(57)【要約】      （修正有）【課題】表示装置が巻き取られる時または解かれる時に表示パネルに加えられる応力を緩和できる、バックカバーの複数の開口部によって高いフレキシビリティを有する表示装置を提供する。【解決手段】表示パネル１２０と、表示パネルの一面に付着し、複数の開口部１１１が配置されたバックカバー１１０とを含み、複数の開口部は、表示パネルに重畳し、複数の開口部のそれぞれは、隣り合う行の開口部に対して互いに交互に配置される。【選択図】図５
2020003794.tif 000002
【特許請求の範囲】
【請求項１】
表示パネルと、
前記表示パネルの一面に取り付けられ、複数の開口部が配置されたバックカバーとを含み、
前記複数の開口部は、前記表示パネルに重畳し、
前記複数の開口部のそれぞれは、隣り合う行の開口部に対して互いに交互に配置された、表示装置。
【請求項２】
前記バックカバー及び前記表示パネルを収納するハウジング部と、
前記バックカバー及び前記表示パネルを前記ハウジング部の外部または前記ハウジング部の内部に移動させる駆動部とをさらに含み、
前記駆動部は、
前記バックカバー及び前記表示パネルをワインディング（ｗｉｎｄｉｎｇ）またはアンワインディング（ｕｎｗｉｎｄｉｎｇ）させるローラ部と、
前記ローラ部と同期化して、前記バックカバー及び前記表示パネルを上下方向に移動させる昇降部とを含む、請求項１に記載の表示装置。
【請求項３】
前記バックカバーは、
前記バックカバーの上側の第１支持領域と、
前記バックカバーの下側で前記ローラ部と締結する第２支持領域と、
前記第１支持領域と前記第２支持領域との間の延性領域とを含み、
前記複数の開口部は、前記延性領域に配置される、請求項２に記載の表示装置。
【請求項４】
前記延性領域は、
前記第１支持領域から前記バックカバーの下側に延長した第１延性領域と、
前記第２支持領域から前記バックカバーの上側に延長した第３延性領域と、
前記第１延性領域と前記第３延性領域との間の第２延性領域とを含み、
前記バックカバーは、
前記第１延性領域と前記第２延性領域との間の第３支持領域と、
前記第２延性領域と前記第３延性領域との間の第４支持領域とをさらに含む、請求項３に記載の表示装置。
【請求項５】
前記表示パネルの一端に配置されたフレキシブルフィルムと、
前記フレキシブルフィルムと連結された印刷回路基板とをさらに含み、
前記表示パネルは、前記第３支持領域及び前記第２延性領域に配置され、
前記フレキシブルフィルム及び前記印刷回路基板は、前記第４支持領域に重畳する、請求項４に記載の表示装置。
【請求項６】
前記バックカバー及び前記表示パネルが前記ローラ部にフルワインディング（ｆｕｌｌ  ｗｉｎｄｉｎｇ）された状態で、前記第３支持領域が平坦である、請求項５に記載の表示装置。
【請求項７】
前記第１支持領域には、前記第１支持領域と前記昇降部を締結するための第１締結孔が配置され、
前記第２支持領域には、前記第２支持領域と前記ローラ部を締結するための第２締結孔が配置され、
前記第１締結孔及び前記第２締結孔のそれぞれの形状は、前記複数の開口部と異なる、請求項４に記載の表示装置。
【請求項８】
前記昇降部は、前記第１支持領域の前記第１締結孔に締結されるヘッドバーをさらに含み、
前記第１締結孔と前記ヘッドバーの締結時に、前記第１締結孔に集中される応力は前記第１延性領域で緩和される、請求項７に記載の表示装置。
【請求項９】
前記昇降部は、前記第１支持領域の前記第１締結孔に締結され、「逆Ｌ」の字状にベンディングされるヘッドバーをさらに含み、
前記第１延性領域は、前記ヘッドバーと同一形状でベンディングされる、請求項７に記載の表示装置。
【請求項１０】
前記延性領域は、前記複数の開口部の長さ方向に延長し、互いに離隔して配置された複数の補強領域をさらに含み、
前記複数の開口部は、前記延性領域のうち前記複数の補強領域を除いた領域に配置された、請求項３に記載の表示装置。
【請求項１１】
前記複数の開口部の幅方向に対する前記複数の補強領域のそれぞれの最大幅ＭＷは、［数式１］によって決められる、請求項１０に記載の表示装置。
【数１】
2020003794.tif 000005
前記ｔ１は前記バックカバーの厚さであり、前記ｔ２は前記バックカバーと前記表示パネルととの間に配置された接着層の厚さであり、前記ａは前記接着層の圧縮率であり、前記Ｒは前記ローラ部のローラの半径である。
【請求項１２】
前記バックカバーは、前記複数の補強領域で前記表示パネルと対向する面の反対面に位置する複数の突出部をさらに含む、請求項１０に記載の表示装置。
【請求項１３】
前記複数の突出部は、長方形状、正弦波状またはジグザグ状の少なくともいずれか一つである、請求項１２に記載の表示装置。
【請求項１４】
前記複数の突出部の最上部と最下部間の距離は、前記複数の補強領域の最大幅と同一であるか小さい、請求項１３に記載の表示装置。
【請求項１５】
前記延性領域は、前記複数の開口部の幅方向に延長し、前記延性領域のエッジに定義されたエッジ補強領域をさらに含み、
前記エッジ補強領域における前記開口部の幅は、前記延性領域のうち前記エッジ補強領域を除いた領域における前記開口部の幅より小さい、請求項１３に記載の表示装置。
【請求項１６】
前記複数の開口部は、長方形状、楕円状、リボン状、ダンベル状または菱形状の少なくともいずれか一つである、請求項１に記載の表示装置。
【請求項１７】
表示パネルと、
前記表示パネルを支持し、複数の開口部が配置されたバックカバーと、
前記表示パネル及び前記バックカバーを収納するように構成されたハウジング部と、
前記表示パネル及び前記バックカバーを列方向にワインディングまたはアンワインディングするように構成されたローラ部とを含み、
前記複数の開口部の前記列方向に対する幅は、前記複数の開口部の行方向に対する幅より小さい、表示装置。
【請求項１８】
前記複数の開口部の境界面は、前記行方向と異なる方向に延長する、請求項１７に記載の表示装置。
【請求項１９】
前記複数の開口部の境界面は、曲面で構成される、請求項１７に記載の表示装置。
【請求項２０】
前記ローラ部と同期化して前記表示パネル及び前記バックカバーを前記ハウジング部の内部または外部に移動させるように構成された昇降部をさらに含み、
前記バックカバーは、
前記昇降部と締結する前記バックカバー一端の第１支持領域と、
前記ローラ部と締結する前記バックカバー他端の第２支持領域と、
前記第１支持領域から前記第２支持領域側に延長した第１延性領域と、
前記第１延性領域から前記第２支持領域側に延長した第３支持領域と、
前記第３支持領域から前記第２支持領域側に延長した第２延性領域と、
前記第２延性領域から前記第２支持領域側に延長した第４支持領域と、
前記第４支持領域と前記第２支持領域との間の第３延性領域とを含み、
前記複数の開口部は、前記第１延性領域、前記第２延性領域及び前記第３延性領域に配置される、請求項１７に記載の表示装置。
【請求項２１】
前記表示パネルと電気的に連結され、前記第４支持領域に重畳するフレキシブルフィルム及び印刷回路基板をさらに含み、
前記表示パネルは、前記第３支持領域及び前記第２延性領域に重畳する、請求項２０に記載の表示装置。
【請求項２２】
前記ローラ部から前記バックカバーがフルアンワインディング（ｆｕｌｌ  ｕｎｗｉｎｄｉｎｇ）された状態で、
前記第１支持領域、前記第１延性領域、前記第３支持領域及び前記第２延性領域は、前記ハウジング部の外部に配置され、
前記第４支持領域、前記第３延性領域及び前記第２支持領域は、前記ハウジング部の内部に配置される、請求項２０に記載の表示装置。
【請求項２３】
前記第２延性領域は、前記行方向に延長し、互いに離隔して配置された複数の補強領域をさらに含み、
前記複数の開口部は、前記第２延性領域で前記複数の補強領域を除いた領域に配置される、請求項２０に記載の表示装置。
【請求項２４】
前記列方向に対する前記複数の補強領域の幅は、前記列方向に対する前記複数の補強領域間の距離より小さい、請求項２３に記載の表示装置。
【請求項２５】
前記バックカバーは、前記複数の補強領域のそれぞれの一面から突き出した複数の突出部をさらに含み、
前記表示パネルは、前記一面の反対面に配置される、請求項２３に記載の表示装置。
【請求項２６】
前記複数の突出部は、前記複数の補強領域に一体化するように構成された、請求項２５に記載の表示装置。
【請求項２７】
フレキシブル表示パネルと、
前記フレキシブル表示パネルの面積より大きく、前記フレキシブル表示パネルの一面に付着し剛性を持つ金属またはプラスチック物質で形成されるバックカバーとを含み、
前記バックカバーは、第１支持領域、第２支持領域、及び前記第１支持領域と第２支持領域との間に配置され、複数の開口部が配置される延性領域を含み、
前記フレキシブル表示パネルは、前記延性領域に配置された、ローラブル表示装置。
【請求項２８】
前記フレキシブル表示パネル及び前記バックカバーをワインディング（ｗｉｎｄｉｎｇ）またはアンワインディング（ｕｎｗｉｎｄｉｎｇ）させるローラ部と、
前記ローラ部と同期化して、前記フレキシブル表示パネル及び前記バックカバーを上下方向に移動させる昇降部とをさらに含む、請求項２７に記載のローラブル表示装置。
【請求項２９】
前記バックカバーは、
前記第１支持領域と前記延性領域との間に配置される第１延性領域と、
前記第２支持領域と前記延性領域との間に配置される第３延性領域と
前記第１延性領域と前記延性領域との間に配置される第３支持領域と、
前記第３延性領域と前記延性領域との間に配置される第４支持領域とをさらに含み、
前記複数の開口部は、前記第１延性領域及び前記第３延性領域にさらに配置される、請求項２８に記載のローラブル表示装置。
【請求項３０】
前記フレキシブル表示パネルの一端に配置されたフレキシブルフィルムと、
前記フレキシブルフィルムと連結された印刷回路基板とをさらに含み、
前記フレキシブル表示パネルは、前記第３支持領域及び前記延性領域に配置され、
前記フレキシブルフィルム及び前記印刷回路基板は、前記第４支持領域に配置される、請求項２９に記載のローラブル表示装置。
【請求項３１】
前記第１支持領域には、前記第１支持領域と前記昇降部を締結するための第１締結孔が配置される、請求項２９に記載のローラブル表示装置。
【請求項３２】
前記第２支持領域には、前記第２支持領域と前記ローラ部を締結するための第２締結孔が配置される、請求項２９に記載のローラブル表示装置。
【請求項３３】
前記延性領域は、前記複数の開口部の長さ方向に延長し、互いに離隔して配置された複数の補強領域をさらに含み、
前記複数の開口部は、前記延性領域のうち前記複数の補強領域を除いた領域に配置された、請求項２７に記載のローラブル表示装置。
【請求項３４】
前記バックカバーは、前記複数の補強領域で前記フレキシブル表示パネルと対向する面の反対面に位置する複数の突出部をさらに含む、請求項３３に記載のローラブル表示装置。
【請求項３５】
前記複数の開口部の列方向に対する幅は、前記複数の開口部の行方向に対する幅より小さい、請求項２７に記載のローラブル表示装置。
【請求項３６】
前記延性領域は、前記複数の開口部の幅方向に延長し、前記延性領域のエッジに定義されたエッジ補強領域をさらに含み、
前記エッジ補強領域における前記開口部の幅は、前記延性領域のうち前記エッジ補強領域を除いた領域における前記開口部の幅より小さい、請求項２７に記載のローラブル表示装置。
【発明の詳細な説明】
【技術分野】
【０００１】
本発明は、表示装置に関し、さらに詳しくは、巻取り状態であっても画像表示が可能なローラブル（ｒｏｌｌａｂｌｅ）表示装置に関する。
【背景技術】
【０００２】
コンピュータのモニターやＴＶ、携帯電話などに使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）などと、別途の光源を要する液晶表示装置（Ｌｉｑｕｉｄ  Ｃｒｙｓｔａｌ  Ｄｉｓｐｌａｙ；ＬＣＤ）などとがある。
【０００３】
表示装置は、コンピュータのモニター及びＴＶだけでなく、個人携帯機器までその適用範囲が多様になっており、広い表示面積を維持しつつも体積と重さを低減した表示装置に対する研究が進んでいる。
【０００４】
また、最近では、フレキシブル（ｆｌｅｘｉｂｌｅ）素材のプラスチックなどの柔延性のある基板に表示部、配線などを形成し、巻取り状態であっても画像表示可能に製造されるローラブル表示装置が次世代表示装置として注目されている。
【発明の概要】
【発明が解決しようとする課題】
【０００５】
本発明が解決しようとする課題は、表示パネルを保護及び支持するために高い剛性を持つバックカバーを含む表示装置を提供することにある。
【０００６】
本発明が解決しようとする他の課題は、表示パネルと共に巻取り可能な高いフレキシビリティ（ｆｌｅｘｉｂｉｌｉｔｙ）を持つバックカバーを含む表示装置を提供することにある。
【０００７】
本発明が解決しようとするさらに他の課題は、表示装置の巻取り時に発生する応力を緩和して表示パネルの破損を最小化した表示装置を提供することにある。
【０００８】
本発明が解決しようとするさらに他の課題は、表示装置の巻取り時に発生する応力によって表示パネルとバックカバーとの間の剥離を最小化した表示装置を提供することにある。
本発明の解決しようとするさらに他の課題は、表示パネルとバックカバーとの間の接着力を向上させた表示装置を提供することにある。
【０００９】
本発明が解決しようとするさらに他の課題は、表示パネルとバックカバーと駆動部との締結時に発生する、表示パネルとバックカバー表面の屈曲を最小化した表示装置を提供することにある。
【００１０】
本発明が解決しようとするさらに他の課題は、表示装置の巻取り時、駆動ＩＣの曲げを最小化して駆動ＩＣの破損を低減した表示装置を提供することにある。
【００１１】
本発明が解決しようとするさらに他の課題は、表示装置の側面における剛性を向上させて、表示装置の側面に加えられる外部の衝撃から表示装置の破損を最小化した表示装置を提供することにある。
本発明が解決しようとするさらに他の課題は、バックカバーの鋭いエッジを改善して、使用者の負傷危険性を最小化した表示装置を提供することにある。
本発明が解決しようとするさらに他の課題は、表示パネルに水分及び酸素が浸透することを最小化して信頼性が向上した表示装置を提供することにある。
【００１２】
本発明が解決しようとするさらに他の課題は、表示装置の巻取り時、表示装置の背面が表示装置のエッジに干渉することを最小化した表示装置を提供することにある。
【００１３】
本発明が解決しようとするまた他の課題は、表示装置の巻取り時、表示装置が設計された位置から離脱しないようにガイドすることができる表示装置を提供することにある。
本発明の課題は、以上で言及した課題に制限されず、言及されなかったまた他の課題は、下記の記載から当業者に明確に理解できるであろう。
【課題を解決するための手段】
【００１４】
前述したような課題を解決するために、本発明の一実施例による表示装置は、表示パネルと、表示パネルの一面に付着し、複数の開口部が配置されたバックカバーとを含み、複数の開口部は、表示パネルに重畳し、複数の開口部のそれぞれは、隣り合う行の開口部に対して互いに交互に配置される。従って、バックカバーの複数の開口部によって高いフレキシビリティを有する表示装置を提供することができ、表示装置がくるくる巻かれたり解けられたりする時、表示パネルに加えられる応力が緩和されることができる。
【００１５】
前述したような課題を解決するために、本発明の他の実施例による表示装置は、表示パネルと、表示パネルを支持し、複数の開口部が配置されたバックカバーと、表示パネル及びバックカバーを収納するように構成されたハウジング部と、表示パネル及びバックカバーを列方向にワインディングまたはアンワインディングするように構成されたローラ部とを含み、複数の開口部の列方向に対する幅は、複数の開口部の行方向に対する幅より小さいことができる。そこで、ローラ部によって表示パネル及びバックカバーがワインディングまたはアンワインディングされる場合、表示パネル及びバックカバーに加えられる応力が複数の開口部によって最小化されることができ、信頼性のあるローラブル表示装置の提供が可能になる。
【００１６】
前述したような課題を解決するために、本発明の一実施例によるローラブル表示装置は、フレキシブル表示パネルと、フレキシブル表示パネルの大きさより大きく、フレキシブル表示パネルの一面に付着し剛性を持つ金属またはプラスチック物質で形成されるバックカバーとを含み、バックカバーは、第１支持領域、第２支持領域、及び第１支持領域と第２支持領域との間に配置され、複数の開口部が配置される延性領域を含み、フレキシブル表示パネルは、前記延性領域に配置される。そこで、剛性を持つバックカバーを通じて前記フレキシブル表示パネルを支持すると同時に、複数の開口部を通じて表示装置がくるくる巻かれたり解けられたりする時に表示パネルに加えられる応力が緩和されることができる。
その他の実施例の具体的な事項は、詳細な説明及び図面に含まれている。
【発明の効果】
【００１７】
本発明は、バックカバーに複数の開口部を配置し、高いフレキシビリティを有するバックカバーを提供できる。
【００１８】
本発明は、バックカバー上に付着する構成により、バックカバーの一部領域のみに選択的に複数の開口部を配置し、高剛性及び高フレキシビリティを両立するバックカバーを提供できる。
本発明は、表示装置の巻取り時に発生する応力を緩和して表示パネルの破損を最小化できる。
本発明は、表示パネルとバックカバーとの接着力を向上させて、表示装置の巻取り時に、表示パネルとバックカバーとの剥離を最小化できる。
本発明は、表示パネル及びバックカバーの表面を、屈曲を持たない平坦な状態を維持できる。
本発明は、駆動ＩＣが常に平坦な状態を維持するようにして、駆動ＩＣの破損を最小化できる。
本発明は、バックカバーの鋭いエッジを改善して、危険性を減少できる。
本発明は、バックカバーの側面で剛性を高めて、外部の衝撃によるバックカバーの変形を最小化できる。
本発明は、表示パネルのエッジを密封して表示パネルに浸透する水分及び酸素を最小化し、表示パネルの信頼性を向上できる。
本発明は、表示装置が所定の位置を離脱することなく、巻取ったりほどいたりするようにガイドできる。
本発明による効果は、以上で例示された内容によって制限されず、さらに多様な効果が本発明内に含まれている。
【図面の簡単な説明】
【００１９】
【図１ａ】本発明の一実施例による表示装置の斜視図である。
【図１ｂ】本発明の一実施例による表示装置の斜視図である。
【図２】本発明の一実施例による表示装置の分解斜視図である。
【図３】本発明の一実施例による表示装置のヘッドバー及び表示部を説明するための概略的な断面図である。
【図４】本発明の一実施例による表示装置の断面図である。
【図５】本発明の一実施例による表示装置の表示部の平面図である。
【図６】図５のＶＩ−ＶＩ’に沿った断面図である。
【図７ａ】本発明の一実施例による表示装置のバックカバーの平面図である。
【図７ｂ】図７ａのＡ領域の拡大図である。
【図８ａ】本発明の他の実施例による表示装置の表示部の平面図である。
【図８ｂ】本発明の他の実施例による表示装置のバックカバーの平面図である。
【図９ａ】本発明の他の実施例による表示装置の断面図である。
【図９ｂ】本発明の他の実施例による表示装置の断面図である。
【図９ｃ】本発明の他の実施例による表示装置の断面図である。
【図１０】本発明のまた他の実施例による表示装置のヘッドバー及び表示部を説明するための概略的な断面図である。
【図１１ａ】本発明の多様な実施例による表示装置のバックカバーの平面図である。
【図１１ｂ】本発明の多様な実施例による表示装置のバックカバーの平面図である。
【図１１ｃ】本発明の多様な実施例による表示装置のバックカバーの平面図である。
【図１２】本発明のまた他の実施例による表示装置のバックカバーの平面図である。
【図１３】本発明のまた他の実施例による表示装置のバックカバーの平面図である。
【図１４】本発明のまた他の実施例による表示装置のバックカバーの補強領域の幅を説明するための概略的な断面図である。
【図１５ａ】本発明のまた他の実施例による表示装置のバックカバーの平面図である。
【図１５ｂ】図１５ａのＸＶｂ−ＸＶｂ’に沿った断面図である。
【図１６】本発明のまた他の実施例による表示装置のバックカバーの平面図である。
【図１７】本発明のまた他の実施例による表示装置の表示部の拡大断面図である。
【図１８】本発明の多様な実施例による表示装置の表示部の拡大断面図である。
【図１９】本発明の多様な実施例による表示装置の表示部の拡大断面図である。
【図２０】本発明の多様な実施例による表示装置の表示部の拡大断面図である。
【図２１】本発明のまた他の実施例による表示装置の表示部の平面図である。
【図２２】本発明のまた他の実施例による表示装置の表示部の平面図である。
【図２３】図２２の表示部がローラにワインディング（ｗｉｎｄｉｎｇ）された状態の断面図である。
【図２４】本発明のまた他の実施例による表示装置の表示部の平面図である。
【図２５】図２４の表示部がローラにワインディングされた状態の断面図である。
【図２６】本発明のまた他の実施例による表示装置の表示部の平面図である。
【発明を実施するための形態】
【００２０】
本発明の利点及び特徴、そして、これらを達成する方法は、添付の図面と共に詳しく後述されている実施例を参照すれば明確になるであろう。しかし、本発明は、以下で開示される実施例に制限されるものではなく、互いに異なる多様な形状で実現されることができ、但し、本実施例は本発明の開示を完全にして、本発明が属する技術分野で通常の知識を持った者に発明の範疇を完全に知らせるために提供されるものであり、本発明は請求項の範疇によって定義されるだけである。
【００２１】
本発明の実施例を説明するための図面に開示された形状、面積、割合、角度、個数などは、例示的であるので、本発明が図示された事項に制限されるものではない。明細書全体にわたって同一の参照符号は同一の構成要素を指称する。また、本発明を説明するにあたって、関連の公知技術に対する具体的な説明が本発明の要旨を不要に曖昧にすると判断される場合、その詳しい説明は省略する。本発明上で言及された「含む」、「持つ」、「なる」などが使用される場合、「〜のみ」が使用されない限り、他の部分が追加されることができる。構成要素を単数で表現した場合に、特に明示的な記載事項がない限り、複数を含む場合を含む。
構成要素を解釈するにあたって、別途の明示的記載がなくても誤差範囲を含むと解釈する。
【００２２】
位置関係に対する説明の場合、例えば、「〜上に」、「〜上部に」、「〜下部に」、「〜横に」などと二つの部分の位置関係が説明される場合、「直」または「直接」が使用されない限り、二つの部分の間に一つ以上の他の部分が位置することもできる。
素子または層が他の素子または層「上（ｏｎ）」と指称されることは、他の素子直上に、または中間に他の層または他の素子を介在した場合を全て含む。
【００２３】
また、第１、第２などが多様な構成要素を述べるために使用されるが、これらの構成要素はこれらの用語によって制限されない。これらの用語は、単に一つの構成要素を他の構成要素と区別するために使用するものである。従って、以下で言及される第１構成要素は、本発明の技術的思想内で第２構成要素であることもできる。
明細書全体にわたって、同一の参照符号は同一の構成要素を指称する。
【００２４】
図面で表れた各構成の面積及び厚さは、説明の便宜のために図示されたものであり、本発明が図示された構成の面積及び厚さに必ずしも限定されるものではない。
【００２５】
本発明の様々な実施例のそれぞれの特徴が部分的にまたは全体的に互いに結合または組み合わせ可能であり、技術的に多様な連動及び駆動が可能で、各実施例が互いに対して独立して実施してもよく、連関関係で共に実施してもよい。
以下では、添付の図面を参照して本発明の多様な実施例を詳しく説明する。
【００２６】
＜表示装置−ローラブル表示装置＞
ローラブル表示装置は、巻取り状態であっても画像表示が可能な表示装置として参照され得る。ローラブル表示装置は、従来の一般的な表示装置と比べて高いフレキシビリティを有してもよい。ローラブル表示装置の使用するか否かによって、ローラブル表示装置は形状を自由に変更できる。具体的には、ローラブル表示装置を使用しない時、ローラブル表示装置を巻取って体積を減少させて保管できる。ローラブル表示装置を使用する時には、巻取られたローラブル表示装置を再び広げて使用できる。
図１ａ及び図１ｂは、本発明の一実施例による表示装置の斜視図である。
図１ａ及び図１ｂを参照すると、本発明の一実施例による表示装置１００は、表示部ＤＰ及びハウジング部ＨＰを含む。
【００２７】
表示部ＤＰは、使用者に映像を表示するための構成であり、例えば、表示素子と表示素子を駆動するための回路、配線及び部品などを配置できる。この時、本発明の一実施例による表示装置１００は、ローラブル表示装置１００であるので、表示部ＤＰは、ワインディング及びアンワインディング（ｕｎ−ｗｉｎｄｉｎｇ）可能に構成されることができる。例えば、表示部ＤＰは、ワインディングまたはアンワインディング可能なフレキシビリティ（ｆｌｅｘｉｂｉｌｉｔｙ）を持つ表示パネル及びバックカバーからなってもよい。表示部ＤＰに対するさらに詳しい説明は、図５〜図７ｂを参照して後述する。
【００２８】
ハウジング部ＨＰは、表示部ＤＰが収納可能なケースである。表示部ＤＰは、ワインディングしてハウジング部ＨＰの内部に収納でき、表示部ＤＰは、アンワインディングしてハウジング部ＨＰの外部に配置できる。
【００２９】
ハウジング部ＨＰは、表示部ＤＰがハウジング部ＨＰの内部及び外部に移動可能となるように開口部ＨＰＯを配置する。表示部ＤＰは、ハウジング部ＨＰの開口部ＨＰＯを通過して上下方向に移動することができる。
【００３０】
一方、表示装置１００の表示部ＤＰは、フルアンワインディング（ｆｕｌｌ  ｕｎｗｉｎｄｉｎｇ）された状態からフルワインディング（ｆｕｌｌ  ｗｉｎｄｉｎｇ）された状態に、またはフルワインディングされた状態からフルアンワインディングされた状態に切り替えられる。
【００３１】
図１ａでは、表示装置１００の表示部ＤＰがフルアンワインディングされた状態を図示し、フルアンワインディングされた状態は、表示装置１００の表示部ＤＰがハウジング部ＨＰの外部に配置された状態である。即ち、使用者が表示装置１００を通じて映像を視聴するために、表示部ＤＰがアンワインディングされてハウジング部ＨＰの外部に最大限配置され、これ以上アンワインディングできない状態をフルアンワインディングされた状態と定義できる。
【００３２】
図１ｂでは、表示装置１００の表示部ＤＰがフルワインディングされた状態を図示し、フルワインディングされた状態は、表示装置１００の表示部ＤＰがハウジング部ＨＰの内部に収納され、これ以上ワインディングすることができない状態である。即ち、使用者が表示装置１００を通じて映像を視聴しない場合は、表示部ＤＰがハウジング部ＨＰの外部に配置されないことが外観の側面で有利であるので、表示部ＤＰがワインディングされてハウジング部ＨＰの内部に収納された状態をフルワインディングされた状態と定義できる。また、表示部ＤＰがハウジング部ＨＰの内部に収納された、フルワインディングされた状態の場合、表示装置１００の体積は小さくなり、運搬が容易になる。
【００３３】
一方、表示部ＤＰをフルアンワインディングされた状態またはフルワインディングされた状態に切り替えるために、表示部ＤＰをワインディングまたはアンワインディングする駆動部が配置される。
【００３４】
＜駆動部＞
図２は、本発明の一実施例による表示装置の分解斜視図である。図３は、本発明の一実施例による表示装置のヘッドバー及び表示部を説明する概略的な断面図である。図４は、本発明の一実施例による表示装置の断面図である。図４は、本発明の一実施例による表示装置１００のローラ１５１及び表示部ＤＰを説明する概略的な断面図である。説明の便宜のために、図３では、ヘッドバー１６４及び表示部ＤＰだけを図示し、図４では、ハウジング部ＨＰ、ローラ１５１及び表示部ＤＰだけを図示した。
先ず、図２を参照すると、駆動部ＭＰは、ローラ部１５０及び昇降部１６０を含む。
【００３５】
ローラ部１５０は、第１方向ＤＲ１または第２方向ＤＲ２に回転し、ローラ部１５０に固定された表示部ＤＰをワインディングまたはアンワインディングする。ローラ部１５０は、ローラ１５１、ローラ支持部１５２及びローラ回転部１５３を含む。
【００３６】
ローラ１５１は、表示部ＤＰをワインディングする部材である。ローラ１５１は、例えば、円筒状の形状を持つように形成されうる。ローラ１５１に表示部ＤＰの下側エッジを固定できる。ローラ１５１が回転すると、ローラ１５１に下側エッジが固定された表示部ＤＰをローラ１５１にワインディングできる。一方、ローラ１５１が反対方向に回転すると、ローラ１５１にワインディングされた表示部ＤＰをローラ１５１からアンワインディングできる。
【００３７】
ローラ支持部１５２は、ローラ１５１の両側からローラ１５１を支持する。具体的に、ローラ支持部１５２は、ハウジング部ＨＰの底面ＨＰＦに配置される。そして、ローラ支持部１５２の上端側面は、ローラ１５１の両側末端と結合する。そこで、ローラ支持部１５２は、ローラ１５１をハウジング部ＨＰの底面ＨＰＦから離隔して支持できる。この時、ローラ１５１をローラ支持部１５２に回転可能に結合できる。
【００３８】
ローラ回転部１５３は、ローラ１５１を第１方向ＤＲ１または第２方向ＤＲ２に回転できる。一対のローラ支持部１５２にそれぞれローラ回転部１５３を配置できる。例えば、ローラ回転部１５３を、ローラ１５１に回転力を伝達する回転モータとできるが、これに制限されない。
【００３９】
昇降部１６０は、ローラ部１５０の駆動に合わせて表示部ＤＰを上下方向に移動させる。昇降部１６０は、リンク支持部１６１、リンク部１６２、リンク昇降部１６３及びヘッドバー１６４を含む。
【００４０】
リンク支持部１６１は、リンク部１６２及びリンク昇降部１６３を支持する。具体的に、リンク支持部１６１を、上下方向に移動するリンク部１６２及び表示部ＤＰがハウジング部ＨＰの開口部ＨＰＯの境界に衝突しないように支持できる。リンク支持部１６１を、リンク部１６２及び表示部ＤＰが前後方向に移動せず、上下方向だけに移動するように支持できる。
【００４１】
リンク部１６２は、互いにヒンジ結合された複数のリンク１６２Ｌを含む。複数のリンク１６２Ｌのそれぞれは、互いに回転可能にヒンジ結合して、リンク昇降部１６３によって上下方向に移動できる。リンク部１６２は、上下方向に移動する時、複数のリンク１６２Ｌのそれぞれが互いに離れるか近くなる方向に回転できる。これに対する具体的な説明は、図４を参照して後述する。
【００４２】
リンク昇降部１６３は、リンク部１６２を上下方向に移動できる。リンク昇降部１６３は、リンク部１６２の複数のリンク１６２Ｌのそれぞれが互いに近くなるように回転させるか、複数のリンク１６２Ｌのそれぞれが互いに離れるように回転させられる。リンク昇降部１６３は、リンク部１６２を上昇または下降させて、リンク部１６２に連結された表示部ＤＰを上昇または下降できる。
【００４３】
この時、リンク昇降部１６３の駆動は、ローラ回転部１５３の駆動と同期して、ローラ部１５０と昇降部１６０を同時に動作できる。例えば、表示部ＤＰがフルアンワインディングされた状態からフルワインディングされた状態に切り替わる時、ローラ部１５０は、ローラ１５１に表示部ＤＰをワインディングさせるように動作し、同時に昇降部１６０は、リンク部１６２の複数のリンク１６２Ｌを回転させて表示部ＤＰを下降させ得る。また、表示部ＤＰがフルワインディングされた状態からフルアンワインディングされた状態に切り替わる時、ローラ部１５０は、表示部ＤＰがローラ１５１からアンワインディングするように動作し、同時に昇降部１６０は、リンク部１６２の複数のリンク１６２Ｌを回転させて表示部ＤＰを上昇させ得る。
【００４４】
昇降部１６０のヘッドバー１６４は、表示部ＤＰの最上端に固定される。ヘッドバー１６４は、リンク部１６２と連結され、リンク部１６２の複数のリンク１６２Ｌの回転によって表示部ＤＰを上下方向に移動させ得る。即ち、表示部ＤＰを、ヘッドバー１６４によってリンク部１６２及びリンク昇降部１６３によって上下方向に移動できる。
図３を共に参照すると、ヘッドバー１６４は、表示部ＤＰの最上端で、表示部ＤＰの正面及び背面を囲むように配置される。
【００４５】
ヘッドバー１６４は、第１ヘッドバー１６４ａ及び第２ヘッドバー１６４ｂを含む。第１ヘッドバー１６４ａは、表示部ＤＰの正面を覆う。第１ヘッドバー１６４ａは、表示部ＤＰに正面で表示される映像を塞がないように表示部ＤＰの最上端エッジに隣接する正面の一部分だけを覆う。
【００４６】
第２ヘッドバー１６４ｂは、表示部ＤＰの背面を覆う。第２ヘッドバー１６４ｂは、表示部ＤＰの最上端エッジに隣接する背面の一部分を覆う。但し、表示部ＤＰの背面には映像が表示されないので、第２ヘッドバー１６４ｂを、第１ヘッドバー１６４ａより表示部ＤＰにより多く重畳できる。
【００４７】
表示部ＤＰを第１ヘッドバー１６４ａ及び第２ヘッドバー１６４ｂに締結するために、表示部ＤＰに第１締結孔ＡＨ１を形成できる。そして、スクリューＳＣは、第１締結孔ＡＨ１を貫通して第１ヘッドバー１６４ａ、表示部ＤＰ及び第２ヘッドバー１６４ｂを締結できる。
【００４８】
第２ヘッドバー１６４ｂには、昇降部１６０のリンク部１６２が締結されるペムナットＰＮを配置する。ペムナットＰＮによって第２ヘッドバー１６４ｂと昇降部１６０のリンク部１６２とを締結できる。従って、昇降部１６０のリンク部１６２が上下方向に移動する時、リンク部１６２に締結された第２ヘッドバー１６４ｂと、第２ヘッドバー１６４ｂに締結された第１ヘッドバー１６４ａと、表示部ＤＰとを共に上下方向に移動できる。
【００４９】
一方、図３では、第１ヘッドバー１６４ａ及び第２ヘッドバー１６４ｂが一字形状であると図示したが、第１ヘッドバー１６４ａ及び第２ヘッドバー１６４ｂの形状は多様に変更することができ、これに制限されない。
以下では、図４を共に参照して、駆動部ＭＰの駆動動作について詳しく説明する。
【００５０】
図４を共に参照すると、ローラ１５１に表示部ＤＰの下側エッジを連結する。そして、ローラ１５１がローラ回転部１５３によって第１方向ＤＲ１、つまり、時計方向に回転すると、表示部ＤＰは、表示部ＤＰの背面がローラ１５１の表面に密着するようにローラ１５１にワインディングされ得る。
【００５１】
反対に、ローラ１５１がローラ回転部１５３によって第２方向ＤＲ２、つまり、半時計方向に回転すると、ローラ１５１にワインディングされた表示部ＤＰはローラ１５１からアンワインディングされてハウジング部ＨＰの外部に配置され得る。
【００５２】
幾つかの実施例において、上述した駆動部ＭＰ以外に他の構造を有する駆動部ＭＰを表示装置１００に適用することもできる。即ち、表示部ＤＰをワインディング及びアンワインディングすることができれば、上述したローラ部１５０及び昇降部１６０の構成を変更してもよく、一部構成を省略してもよく、他の構成を追加してもよい。
＜表示部＞
図５は、本発明の一実施例による表示装置の表示部の平面図である。図６は、図５のＶＩ−ＶＩ’に沿った断面図である。
図５を参照すると、表示部ＤＰは、バックカバー１１０、表示パネル１２０、フレキシブルフィルム１３０及び印刷回路基板１４０を含む。
【００５３】
表示パネル１２０は、使用者に映像を表示するためのパネルである。表示パネル１２０は、映像を表示する表示素子と、表示素子を駆動する駆動素子と、表示素子及び駆動素子に各種の信号を伝達する配線などを配置できる。表示素子を、表示パネル１２０の種類によって異なって定義でき、例えば、表示パネル１２０が有機発光表示パネルの場合、表示素子を、アノード、有機発光層及びカソードを含む有機発光素子とできる。例えば、表示パネル１２０が液晶表示パネルの場合、表示素子を液晶表示素子とできる。以下では、表示パネル１２０が有機発光表示パネルであると仮定するが、表示パネル１２０が有機発光表示パネルに制限されるものではない。また、本発明の一実施例による表示装置１００は、ローラブル表示装置であるので、表示パネル１２０を、ローラ１５１にワインディングまたはアンワインディング可能なフレキシブル表示パネルで実現できる。
表示パネル１２０は、表示領域ＡＡ及び非表示領域ＮＡを含む。
【００５４】
表示領域ＡＡは、表示パネル１２０で映像が表示される領域である。表示領域ＡＡには、複数のサブ画素及び複数のサブ画素を駆動するための回路を配置できる。複数のサブ画素は、表示領域ＡＡを構成する最小単位であり、複数のサブ画素のそれぞれに表示素子を配置できる。例えば、複数のサブ画素のそれぞれには、アノード、有機発光層及びカソードを含む有機発光素子を配置できるが、これに制限されない。また、複数のサブ画素を駆動するための回路には、駆動素子及び配線などを含められる。例えば、回路は、薄膜トランジスタ、ストレージキャパシタ、ゲート配線、データ配線などを備えられるが、これに制限されない。
【００５５】
非表示領域ＮＡは、映像が表示されない領域である。非表示領域ＮＡには、表示領域ＡＡの有機発光素子を駆動するための多様な配線及び回路などが配置される。例えば、非表示領域ＮＡには、表示領域ＡＡの複数のサブ画素及び回路に信号を伝達するためのリンク配線またはゲートドライバーＩＣ、データドライバーＩＣのような駆動ＩＣなどを配置することができるが、これに制限されない。
【００５６】
フレキシブルフィルム１３０は、延性を持ったベースフィルムに各種の部品が配置されたフィルムで、表示領域ＡＡの複数のサブ画素及び回路に信号を供給するためのフィルムとして、表示パネル１２０と電気的に連結できる。フレキシブルフィルム１３０は、表示パネル１２０の非表示領域ＮＡの一端に配置され、電源電圧、データ電圧などを表示領域ＡＡの複数のサブ画素及び回路に供給する。図５では、フレキシブルフィルム１３０が４個であると図示したが、フレキシブルフィルム１３０の個数は、設計によって多様に変更でき、これに制限されない。
【００５７】
一方、フレキシブルフィルム１３０に、例えば、ゲートドライバーＩＣ、データドライバーＩＣのような駆動ＩＣを配置できる。駆動ＩＣは、映像を表示するためのデータとこれを処理するための駆動信号を処理する部品である。駆動ＩＣを、実装される方式によってチップオングラス（Ｃｈｉｐ  Ｏｎ  Ｇｌａｓｓ；ＣＯＧ）、チップオンフィルム（Ｃｈｉｐ  Ｏｎ  Ｆｉｌｍ；ＣＯＦ）、テープキャリアパッケージ（Ｔａｐｅ  Ｃａｒｒｉｅｒ  Ｐａｃｋａｇｅ；ＴＣＰ）などの方式で配置できる。説明の便宜のために、駆動ＩＣがフレキシブルフィルム１３０上に実装されたチップオンフィルム方式であると説明したが、これに制限されない。
【００５８】
印刷回路基板１４０は、フレキシブルフィルム１３０の一端に配置され、フレキシブルフィルム１３０と連結する。印刷回路基板１４０は、駆動ＩＣに信号を供給する部品である。印刷回路基板１４０は、駆動信号、データ信号などのような多様な信号を駆動ＩＣに供給する。印刷回路基板１４０には、各種の部品を配置できる。例えば、印刷回路基板１４０には、タイミングコントローラ、電源部などを配置できる。一方、図５では印刷回路基板１４０が１個であると図示したが、印刷回路基板１４０の個数は、設計によって多様に変更でき、これに制限されない。
【００５９】
バックカバー１１０は、表示パネル１２０、フレキシブルフィルム１３０及び印刷回路基板１４０の背面で配置され、表示パネル１２０、フレキシブルフィルム１３０及び印刷回路基板１４０を支持する。そこで、バックカバー１１０を、表示パネル１２０より大きくできる。バックカバー１１０は、外部から表示部ＤＰの他の構成を保護できる。バックカバー１１０は、剛性を持つ物質で形成されるが、バックカバー１１０の少なくとも一部分は、表示パネル１２０と共にワインディングまたはアンワインディングされるためにフレキシビリティ（ｆｌｅｘｉｂｉｌｉｔｙ）を持つことができる。例えば、バックカバー１１０は、ＳＵＳ（Ｓｔｅｅｌ  Ｕｓｅ  Ｓｔａｉｎｌｅｓｓ）またはインバー（Ｉｎｖａｒ）などの金属材質またはプラスチックなどの物質から形成できる。但し、バックカバー１１０の物質は、設計によって熱変形量、曲率半径、剛性などの物性条件を満す、多様な物質に変更でき、これに制限されない。
図６を参照すると、表示パネル１２０は、基板１２１、バッファ層１２２、画素部１２３、封止層１２４及び封止基板１２５を含む。
【００６０】
基板１２１は、表示パネル１２０の多様な構成を支持するためのベース部材で、絶縁物質で構成できる。基板１２１は、表示パネル１２０をワインディングまたはアンワインディングするために、フレキシビリティを有する物質から形成され得る。例えば、ポリイミド（ＰＩ）などのようなプラスチック物質から形成され得る。
【００６１】
バッファ層１２２は、基板１２１の外側から浸透した水分及び／または酸素が拡散することを防止できる。バッファ層１２２を、シリコン酸化物（ＳｉＯｘ）及びシリコン窒化物（ＳｉＮｘ）の単層や複層で構成できるが、これに制限されない。
【００６２】
画素部１２３は、複数の有機発光素子及び有機発光素子を駆動するための回路を含む。画素部１２３は、表示領域ＡＡに対応する領域であることができる。有機発光素子は、アノード、有機発光層及びカソードを含められる。
【００６３】
アノードは、有機発光層に正孔を供給でき、仕事関数の高い導電性物質から形成され得る。例えば、アノードは、スズ酸化物（Ｔｉｎ  Ｏｘｉｄｅ；ＴＯ）、インジウムスズ酸化物（Ｉｎｄｉｕｍ  Ｔｉｎ  Ｏｘｉｄｅ；ＩＴＯ）、インジウム亜鉛酸化物（Ｉｎｄｉｕｍ  Ｚｉｎｃ  Ｏｘｉｄｅ；ＩＺＯ）、インジウムスズ亜鉛酸化物（Ｉｎｄｉｕｍ  Ｚｉｎｃ  Ｔｉｎ  Ｏｘｉｄｅ；ＩＴＺＯ）などから形成できるが、これに制限されない。
【００６４】
有機発光層は、アノードから正孔の供給を受け、カソードから電子の供給を受けて光を発光することができる。有機発光層は、有機発光層で発した光の色相によって、赤色有機発光層、緑色有機発光層、青色有機発光層及び白色有機発光層などを形成できる。この時、有機発光層が白色有機発光層の場合、多様な色相のカラーフィルターが追加でさらに配置され得る。
【００６５】
カソードは、有機発光層に電子を供給することができ、仕事関数の低い導電性物質から形成できる。例えば、カソードは、マグネシウム（Ｍｇ）、銀（Ａｇ）、アルミニウム（Ａｌ）などのような金属及びこれらの合金からなる群より選択されたいずれか一つ以上で形成できるが、これに制限されない。
【００６６】
一方、有機発光素子で発っした光が放出される方向によって、表示パネル１２０は、トップエミッション（ｔｏｐ  ｅｍｉｓｓｉｏｎ）またはボトムエミッション（ｂｏｔｔｏｍ  ｅｍｉｓｓｉｏｎ）方式で構成され得る。
【００６７】
トップエミッション方式は、有機発光素子で発っせられた光が有機発光素子を形成する基板１２１の上部に放出される方式である。トップエミッション方式の場合、有機発光素子が発っした光を基板１２１の上部に、つまり、カソード側に進行させるために、アノード下部に反射層を形成できる。
【００６８】
ボトムエミッション方式は、有機発光素子で発っした光を、有機発光素子を形成する基板１２１の下部に放出する方式である。ボトムエミッション方式の場合、有機発光素子で発っした光を基板１２１の下部に進行させるために、アノードを透明導電性物質だけで形成でき、カソードを反射率の高い金属物質で形成できる。
【００６９】
以下では、説明の便宜のために、本発明の一実施例による表示装置１００がボトムエミッション方式の表示装置であると仮定して説明するが、これに制限されるものではない。
【００７０】
画素部１２３には、有機発光素子を駆動するための回路が配置される。回路は、薄膜トランジスタ、ストレージキャパシタ、ゲート配線、データ配線、電源配線などで形成できるが、表示装置１００の設計によって多様に変更できる。
【００７１】
画素部１２３上に画素部１２３を覆う封止層１２４が配置される。封止層１２４は、画素部１２３の有機発光素子を密封する。封止層１２４は、外部の湿気、酸素、衝撃などから画素部１２３の有機発光素子を保護できる。封止層１２４は、複数の無機層と複数の有機層が交互に積層して形成できる。例えば、無機層は、シリコン窒化物（ＳｉＮｘ）、シリコン酸化物（ＳｉＯｘ）、アルミニウム酸化物（ＡｌＯｘ）などのような無機物から形成でき、有機層は、エポキシ（Ｅｐｏｘｙ）系列またはアクリル（Ａｃｒｙｌ）系列のポリマーを使用できるが、これに制限されない。
【００７２】
封止層１２４上に封止基板１２５が配置される。封止基板１２５は、封止層１２４と共に画素部１２３の有機発光素子を保護する。封止基板１２５は、外部の湿気、酸素、衝撃などから画素部１２３の有機発光素子を保護できる。封止基板１２５は、耐腐食性が強く、ホイル（ｆｏｉｌ）あるいは薄膜形態で加工が容易なアルミニウム（Ａｌ）、ニッケル（Ｎｉ）、クロム（Ｃｒ）、鉄（Ｆｅ）とニッケルの合金材質などの金属材質から形成できる。そこで、封止基板１２５を金属材質で形成することによって、超薄膜形態で封止基板１２５の実現が可能であり、外部の衝撃及び引っかかりに強い耐保護性を提供できる。
【００７３】
封止層１２４と封止基板１２５との間に第１接着層ＡＤ１を配置できる。第１接着層ＡＤ１は、封止層１２４と封止基板１２５とを接着できる。第１接着層ＡＤ１は接着性を持つ物質からなり、熱硬化型または自然硬化型の接着剤であってよい。例えば、第１接着層ＡＤ１は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）などであり得るが、これに制限されない。
【００７４】
一方、第１接着層ＡＤ１を、封止層１２４及び画素部１２３を囲むように配置できる。即ち、画素部１２３を、バッファ層１２２及び封止層１２４によって密封でき、封止層１２４及び画素部１２３を、バッファ層１２２と第１接着層ＡＤ１によって密封できる。第１接着層ＡＤ１は、封止層１２４及び封止基板１２５と共に画素部１２３の有機発光素子を外部の湿気、酸素、衝撃などから保護できる。この時、第１接着層ＡＤ１は、吸湿剤をさらに含んでもよい。吸湿剤は吸湿性を持つパーティクルであってもよく、外部から水分及び酸素などを吸収して、画素部１２３に水分及び酸素が浸透することを最小化できる。
【００７５】
封止基板１２５上にバックカバー１１０が配置される。バックカバー１１０は、表示パネル１２０の封止基板１２５に接するように配置され、表示パネル１２０を保護できる。バックカバー１１０を、表示パネル１２０を保護するために、剛性を持つ物質で形成できる。
【００７６】
一方、バックカバー１１０は、複数の開口部１１１を含む。複数の開口部１１１をバックカバー１１０がフレキシビリティを有するように形成できる。複数の開口部１１１は、柔軟に変形でき、バックカバー１１０が表示パネル１２０と共にローラ１５１をワインディングするか、ローラ１５１からアンワインディングするようにできる。これに対する具体的な説明は、図７ａ及び図７ｂを参照して後述する。
【００７７】
封止基板１２５とバックカバー１１０との間に第２接着層ＡＤ２が配置される。第２接着層ＡＤ２は、封止基板１２５とバックカバー１１０を接着できる。第２接着層ＡＤ２は、接着性を持つ物質からなり、熱硬化型または自然硬化型の接着剤であってもよい。例えば、第２接着層ＡＤ２は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）などであってよいが、これに制限されない。
【００７８】
図６では、バックカバー１１０の複数の開口部１１１に第２接着層ＡＤ２が満たされていないと図示したが、第２接着層ＡＤ２がバックカバー１１０の複数の開口部１１１の一部または全体に満たされてもよい。もし、第２接着層ＡＤ２がバックカバー１１０の複数の開口部１１１の内側に満たされる場合、第２接着層ＡＤ２とバックカバー１１０の間の接触面積が増加して剥離現象を防止できる。
【００７９】
一方、図６には示されていないが、基板１２１の背面に透光性フィルムをさらに配置できる。透光性フィルムは、表示パネル１２０の全面を保護するか、表示パネル１２０に入射する外部光の反射を最小化するなどの機能を実行できる。例えば、透光性フィルムは、ＰＥＴ（ｐｏｌｙｅｔｈｙｌｅｎｅｔｅｒｅｐｈｔｈａｌａｔｅ）フィルム、反射防止フィルム、偏光フィルム及び透過度制御フィルム（ｔｒａｎｓｍｉｔｔａｎｃｅ  ｃｏｎｔｒｏｌｌａｂｌｅ  ｆｉｌｍ）の少なくともいずれか一つのフィルムであってよいが、これに制限されない。
以下では、図７ａ及び図７ｂを参照して、バックカバー１１０についてより詳しく説明する。
＜バックカバーの具体的構成＞
図７ａは、本発明の一実施例による表示装置でバックカバーの平面図である。図７ｂは、図７ａのＡ領域の拡大図である。
【００８０】
図７ａを参照すると、バックカバー１１０は、支持領域ＰＡ及び延性領域ＭＡを含む。具体的に、バックカバー１１０は、バックカバー１１０の最上端の第１支持領域ＰＡ１、バックカバー１１０の最下端の第２支持領域ＰＡ２、第１支持領域ＰＡ１と第２支持領域ＰＡ２との間の延性領域ＭＡを含む。
【００８１】
バックカバー１１０の第１支持領域ＰＡ１は、バックカバー１１０の最上端領域で、ヘッドバー１６４と締結される領域である。第１支持領域ＰＡ１には、ヘッドバー１６４と締結するために、第１締結孔ＡＨ１が形成される。そして、図３で上述したように、ヘッドバー１６４と第１締結孔ＡＨ１を貫通するスクリューＳＣが配置されて、ヘッドバー１６４とバックカバー１１０の第１支持領域ＰＡ１を締結できる。そして、第１支持領域ＰＡ１がヘッドバー１６４と締結されることによって、ヘッドバー１６４に締結されたリンク部１６２が上昇または下降する時に、バックカバー１１０も共に昇降または下降でき、バックカバー１１０に付着した表示パネル１２０も共に昇降または下降できる。図７ａでは、第１締結孔ＡＨ１が５個であると図示したが、第１締結孔ＡＨ１の個数はこれに制限されない。また、図７ａでは、バックカバー１１０が第１締結孔ＡＨ１を使用してヘッドバー１６４と締結すると説明したが、これに制限されず、別途の締結孔なしにバックカバー１１０とヘッドバー１６４を締結できる。
【００８２】
バックカバー１１０の第２支持領域ＰＡ２は、バックカバー１１０の最下端領域でローラ１５１と締結する領域である。第２支持領域ＰＡ２には、ローラ１５１と締結するために第２締結孔ＡＨ２を形成できる。例えば、ローラ１５１と第２締結孔ＡＨ２を貫通するスクリューＳＣが配置され、ローラ１５１とバックカバー１１０の第２支持領域ＰＡ２を締結できる。そして、第２支持領域ＰＡ２とローラ１５１とを締結することによって、ローラ１５１の回転により、バックカバー１１０がローラ１５１にワインディングまたはアンワインディングされ得る。図７ａでは、第２締結孔ＡＨ２が２個であると図示したが、第２締結孔ＡＨ２の個数はこれに制限されない。
【００８３】
バックカバー１１０の延性領域ＭＡは、表示パネル１２０と共にローラ１５１にワインディングまたはアンワインディングされる領域である。延性領域ＭＡは、表示部ＤＰの他の構成のうち少なくとも表示パネル１２０に重畳できる。
【００８４】
バックカバー１１０の延性領域ＭＡに複数の開口部１１１が配置される。表示部ＤＰがワインディングまたはアンワインディングされる時、複数の開口部１１１は、表示部ＤＰに加えられる応力によって変形することができる。具体的に、表示部ＤＰがワインディングまたはアンワインディングされる時、バックカバー１１０の延性領域ＭＡは、複数の開口部１１１を収縮または膨脹させることによって変形できる。そして、複数の開口部１１１が収縮または膨脹することで、バックカバー１１０の延性領域ＭＡ上に配置された表示パネル１２０のスリップ（ｓｌｉｐ）現象を最小化しながら、表示パネル１２０に加えられる応力、つまり、ストレスを最小化できる。
【００８５】
表示パネル１２０及びバックカバー１１０をワインディングする時、表示パネル１２０とバックカバー１１０の曲率半径差により、ローラ１５１にワインディングされる表示パネル１２０の長さとバックカバー１１０の長さが異なる。例えば、バックカバー１１０及び表示パネル１２０をローラ１５１にワインディングする時、バックカバー１１０及び表示パネル１２０がローラ１５１に一回りワインディングされるために必要な長さを異ならせてもよい。即ち、表示パネル１２０がローラ１５１を基準としてバックカバー１１０より外側に配置されるので、表示パネル１２０がローラ１５１に一回りワインディングされるために必要な長さは、バックカバー１１０がローラ１５１に一回りワインディングされるために必要な長さより長くできる。このように、表示部ＤＰのワインディング時に曲率半径差によってバックカバー１１０と表示パネル１２０でワインディングされる長さが異なり、バックカバー１１０に付着した表示パネル１２０が滑って本来の位置から移動することもある。この時、ワインディングによって発生した応力及び曲率半径差によって表示パネル１２０がバックカバー１１０から滑る現象をスリップ現象と定義する。スリップが大きくなりすぎると、表示パネル１２０がバックカバー１１０から脱着するか、クラックなどの不良が発生する可能性がある。
【００８６】
この時、本発明の一実施例による表示装置１００では、表示部ＤＰがワインディングまたはアンワインディングされて、表示部ＤＰに応力が加えられても、バックカバー１１０の複数の開口部１１１が柔軟に変形して、バックカバー１１０及び表示パネル１２０に加えられる応力を緩和できる。例えば、バックカバー１１０及び表示パネル１２０がローラ１５１にワインディングされる時、バックカバー１１０及び表示パネル１２０を上下方向に変形させる応力を加えることができる。この時、バックカバー１１０の複数の開口部１１１をバックカバー１１０の上下方向に伸ばすことができ、バックカバー１１０の長さも柔軟に変形できる。従って、バックカバー１１０と表示パネル１２０がワインディングされる過程で、曲率半径差によるバックカバー１１０と表示パネル１２０の長さ差をバックカバー１１０の複数の開口部１１１によって補償できる。また、バックカバー１１０と表示パネル１２０がワインディングされる過程で、複数の開口部１１１が変形されてバックカバー１１０から表示パネル１２０に加えられる応力も緩和できる。
【００８７】
図７ａ及び図７ｂを参照すると、複数の開口部１１１は、隣り合う行の複数の開口部１１１に対して交互に配置される。例えば、一つの行に配置された複数の開口部１１１は、当該行と隣り合う行に配置された複数の開口部１１１と交互に配置される。具体的に、奇数行に配置された複数の開口部１１１の中心と、偶数行に配置された複数の開口部１１１の中心とを、交互に配置でき、例えば、開口部１１１の行方向に対する幅１１１ＷＲの１／２ずつ交互に配置できる。但し、図７ａに図示された複数の開口部１１１の配置は例示的なものであり、これに制限されない。
【００８８】
複数の開口部１１１を交互に配置することによって、列方向で中心が互いに一致する複数の開口部１１１間の距離１１１ＷＢを最小化できる。具体的に、延性領域ＭＡで列方向に中心が一致する複数の開口部１１１間の領域は、剛性を持ち得る。そして、バックカバー１１０のワインディング時に、バックカバー１１０を列方向に曲げねばならないものの、列方向に中心が一致する複数の開口部１１１間の一部領域の距離１１１ＷＢが長いほど、バックカバー１１０を列方向に曲げるのが難しい。この時、複数の開口部１１１を行単位で交互に配置することによって、行単位で交互に配置されない場合より列方向で中心が互いに一致する複数の開口部１１１間の距離１１１ＷＢを最小化でき、複数の開口部１１１間の領域も最小化できる。従って、列方向で中心が一致する複数の開口部１１１間の距離１１１ＷＢが減少し、延性領域ＭＡで列方向に延長し続けて複数の開口部１１１が配置されない領域を除去することによって、列方向に剛性を持つ複数の開口部１１１間の領域の距離１１１ＷＢが最小化されて、バックカバー１１０のワインディングまたはアンワインディングを妨害せずにバックカバー１１０の剛性を向上できる。
【００８９】
図７ｂを参照すると、複数の開口部１１１は、行方向に対する最大幅１１１ＷＲが列方向に対する最大幅１１１ＷＣより大きい。即ち、図７ｂに示すように、複数の開口部１１１の横方向に対する最大幅１１１ＷＲが複数の開口部１１１の縦方向に対する最大幅１１１ＷＣより大きくできる。
【００９０】
複数の開口部１１１の行方向に対する幅１１１ＷＲが大きくなるほど、バックカバー１１０の延性領域ＭＡを柔軟に変形できる。具体的に、バックカバー１１０を、ワインディング時に、バックカバー１１０の列方向に曲げることができ、複数の開口部１１１が列方向に伸びるように応力を加えることができる。この時、複数の開口部１１１の行方向に対する幅１１１ＷＲが大きくなると、複数の開口部１１１を列方向に引っぱった時、複数の開口部１１１が列方向に伸びる幅１１１ＷＣを増加できる。そして、複数の開口部１１１が列方向に伸びるほど、延性領域ＭＡに加えられる応力も緩和できる。従って、複数の開口部１１１の行方向に対する幅１１１ＷＲを大きくして、バックカバー１１０の延性領域ＭＡが容易にワインディングまたはアンワインディングされ、延性領域ＭＡに加えられる応力も緩和できる。
【００９１】
複数の開口部１１１の列方向に対する幅１１１ＷＣが大きくなるほど複数の開口部１１１の加工が容易になる。但し、複数の開口部１１１の列方向に対する幅１１１ＷＣが大きくなる場合、延性領域ＭＡで複数の開口部１１１の開口率が大きくなり、延性領域ＭＡに付着する表示パネル１２０とバックカバー１１０の接触面積が減少する。この時、表示パネル１２０とバックカバー１１０の重畳面積、つまり、バックカバー１１０と第２接着層ＡＤ２間の接触面積が減少すれば、バックカバー１１０と第２接着層ＡＤ２の剥離が発生する可能性もある。従って、複数の開口部１１１の列方向に対する幅１１１ＷＣを調節して表示パネル１２０とバックカバー１１０間の剥離が起こらないように接着力を調節でき、複数の開口部１１１の行方向に対する幅１１１ＷＲを調節してバックカバー１１０が高いフレキシビリティを有するように設計できる。
【００９２】
この時、第１支持領域ＰＡ１と第２支持領域ＰＡ２には、延性領域ＭＡに形成したような複数の開口部１１１を形成しない。即ち、第１領域ＰＡ１及び第２支持領域ＰＡ２のそれぞれには、第１締結孔ＡＨ１及び第２締結孔ＡＨ２のみを形成するだけで、延性領域ＭＡに形成したような複数の開口部１１１を形成しない。また、第１締結孔ＡＨ１及び第２締結孔ＡＨ２は、複数の開口部１１１と形状が互いに異なる。第１支持領域ＰＡ１及び第２支持領域ＰＡ２は、それぞれヘッドバー１６４とローラ１５１に固定される領域で、延性領域ＭＡより剛性を持たなければならない。具体的に、第１支持領域ＰＡ１及び第２支持領域ＰＡ２が剛性を持つことによって、第１支持領域ＰＡ１及び第２支持領域ＰＡ２を、ヘッドバー１６４及びローラ１５１に固定できる。従って、表示部ＤＰは、駆動部ＭＰのローラ１５１及びヘッドバー１６４に固定されて、駆動部ＭＰの動作によってハウジング部ＨＰの内部または外部に移動できる。
【００９３】
本発明の一実施例による表示装置１００では、複数の開口部１１１が形成されたバックカバー１１０を表示パネル１２０の背面に配置し、表示パネル１２０を支持及び保護する。バックカバー１１０は、金属材質などで形成されて剛性を持つと同時に、バックカバー１１０のうち表示パネル１２０が配置される延性領域ＭＡに複数の開口部１１１を形成して、バックカバー１１０のフレキシビリティを向上できる。そこで、表示装置１００の表示部ＤＰがハウジング部ＨＰの外部に配置されたフルアンワインディングされた状態で、剛性を持つ材質からなる高剛性のバックカバー１１０は、表示パネル１２０が平坦に広がるように支持できる。一方、表示装置１００の表示部ＤＰがハウジング部ＨＰの内部に収納されたフルワインディングされた状態において、複数の開口部１１１によって高いフレキシビリティを有するバックカバー１１０は、表示パネル１２０と共にローラ１５１にワインディングされて収納され得る。
【００９４】
また、本発明の一実施例による表示装置１００では、複数の開口部１１１の行方向に対する幅１１１ＷＲを調節して、バックカバー１１０がフレキシビリティを有するようにでき、バックカバー１１０のワインディング時に加えられる応力を緩和できる。具体的に、バックカバー１１０及び表示パネル１２０がローラにワインディングされる時、バックカバー１１０は列方向に曲げられ、複数の開口部１１１が列方向に伸びるように応力を加えられ得る。複数の開口部１１１は、行方向に対する幅１１１ＷＲを大きく形成することで、バックカバー１１０及び表示パネル１２０がローラ１５１にワインディングされる時、複数の開口部１１１を列方向に容易に伸ばすことができ、バックカバー１１０に加わる応力を緩和できる。そこで、本発明の一実施例による表示装置１００では、複数の開口部１１１の行方向に対する幅１１１ＷＲを調節してバックカバー１１０のフレキシビリティを高めることができ、バックカバー１１０及び表示パネル１２０をローラ１５１に容易にワインディングできる。また、複数の開口部１１１は列方向に膨脹しながらバックカバー１１０及び表示パネル１２０に加わる応力を緩和でき、表示パネル１２０の破損を低減できる。
【００９５】
また、本発明の一実施例による表示装置１００では、複数の開口部１１１の列方向に対する幅１１１ＷＣを調節して、バックカバー１１０と表示パネル１２０間の接着力を調節できる。具体的に、表示パネル１２０を、バックカバー１１０の延性領域ＭＡに取り付ける。この時、延性領域ＭＡに配置された複数の開口部１１１の開口率が大きいほど表示パネル１２０とバックカバー１１０との接触する面積が減少し、表示パネル１２０とバックカバー１１０との間の接着力を減少させられる。しかし、本発明の一実施例による表示装置１００では、バックカバー１１０の複数の開口部１１１の列方向に対する幅１１１ＷＣを小さく形成して複数の開口部１１１の開口率を減らすことができ、表示パネル１２０とバックカバー１１０の接触面積を増やすことができる。表示パネル１２０とバックカバー１１０の接触面積が増えることによって、表示パネル１２０とバックカバー１１０の接着力を向上できる。そこで、本発明の一実施例による表示装置１００では、複数の開口部１１１の列方向に対する幅１１１ＷＣを調節して、バックカバー１１０と表示パネル１２０間の剥離が起こらないように一定水準以上の接着力を確保できる。
【００９６】
＜バックカバーの複数の延性領域及び複数の支持領域＞
図８ａは、本発明の他の実施例による表示装置の表示部の平面図である。図８ｂは、本発明の他の実施例による表示装置のバックカバーの平面図である。図９ａ〜図９ｃは、本発明の他の実施例による表示装置の断面図である。図８ａ〜図９ｃの表示装置は、図１〜図７ｂの表示装置１００と比べて、バックカバー８１０及びローラ８５１の形状のみが異なるだけで、他の構成は実質的に同一であるので、重複説明は省略する。また、説明の便宜のために、図９ａ〜図９ｃでは、ハウジング部ＨＰ、ローラ８５１、フレキシブルフィルム１３０、印刷回路基板１４０及びバックカバー８１０だけを図示した。
【００９７】
先ず、図８ａ及び図８ｂを参照すると、バックカバー８１０は、複数の支持領域ＰＡ及び複数の延性領域ＭＡを含む。複数の支持領域ＰＡは、複数の開口部１１１が配置されない領域であり、複数の延性領域ＭＡは、複数の開口部１１１が配置された領域である。具体的に、バックカバー８１０の最上端から第１支持領域ＰＡ１、第１延性領域ＭＡ１、第３支持領域ＰＡ３、第２延性領域ＭＡ２、第４支持領域ＰＡ４、第３延性領域ＭＡ３及び第２支持領域ＰＡ２が順次に配置される。
【００９８】
第１支持領域ＰＡ１は、図１〜図７ｂを参照して、上述したようにバックカバー８１０の最上端領域である。第１支持領域ＰＡ１は、ヘッドバー１６４と締結される領域であり、ヘッドバー１６４と締結するためにスクリューＳＣが貫通する第１締結孔ＡＨ１が形成される。
【００９９】
第１延性領域ＭＡ１は、第１支持領域ＰＡ１からバックカバー８１０の下側に延長した領域である。第１延性領域ＭＡ１は、ヘッドバー１６４と第１支持領域ＰＡ１が互いに締結されることによって、バックカバー８１０の表面が屈曲を有する凸凹現象がバックカバー８１０の全面に広がることを防止できる。
【０１００】
具体的に、第１支持領域ＰＡ１とヘッドバー１６４の締結時に、第１締結孔ＡＨ１が形成された第１支持領域ＰＡ１の一部分にスクリューＳＣからの応力が集中する。そして、第１締結孔ＡＨ１が形成された第１支持領域ＰＡ１の一部分と、第１締結孔ＡＨ１が形成されない第１支持領域ＰＡ１の残りの部分の間で応力の差異を発生させて、バックカバー８１０の表面に屈曲を表出できる。但し、第１支持領域ＰＡ１から延長された第１延性領域ＭＡ１は、複数の開口部１１１が配置されることによって、第１支持領域ＰＡ１より相対的に高いフレキシビリティを有し得る。そこで、第１延性領域ＭＡ１を、第１支持領域ＰＡ１の第１締結孔ＡＨ１に集中された応力を緩和するように柔軟に変形できる。従って、第１延性領域ＭＡ１は、第１支持領域ＰＡ１で凸凹現象が発生しても、凸凹現象がバックカバー８１０の全面に広がることを抑制できる。
【０１０１】
第３支持領域ＰＡ３は、第１延性領域ＭＡ１からバックカバー８１０の下側に延長した領域である。第３支持領域ＰＡ３は、表示パネル１２０が取り付けられる領域である。具体的に、第３支持領域ＰＡ３に表示パネル１２０上端の一部分が取り付けられる。
【０１０２】
バックカバー８１０がフルワインディングされた状態の時、第３支持領域ＰＡ３は、ハウジング部ＨＰの内部に配置されるが、ローラ８５１にワインディングされない領域とできる。例えば、フルワインディングされた状態の時、ハウジング部ＨＰの開口部ＨＰＯにバックカバー８１０の第１支持領域ＰＡ１を配置でき、ローラ８５１には、バックカバー８１０の第２支持領域ＰＡ２、第３延性領域ＭＡ３、第４支持領域ＰＡ４及び第２延性領域ＭＡ２がワインディングされ得る。そして、ローラ８５１にワインディングされた第２延性領域ＭＡ２とハウジング部ＨＰの開口部ＨＰＯに配置された第１支持領域ＰＡ１との間に配置された第３支持領域ＰＡ３及び第１延性領域ＭＡ１は、平坦な状態を維持できる。従って、第３支持領域ＰＡ３は、ローラ８５１にワインディングされるかアンワインディングされず常に平坦な状態を維持するため、複数の開口部１１１を形成してフレキシビリティを確保する必要がない。
【０１０３】
そこで、第３支持領域ＰＡ３に複数の開口部１１１が形成されていないことで、第３支持領域ＰＡ３と表示パネル１２０間の接着力を向上できる。具体的に、第３支持領域ＰＡ３と第２接着層ＡＤ２間の接触面積が増えて接着力を向上できる。従って、第３支持領域ＰＡ３、第２接着層ＡＤ２及び表示パネル１２０間の接着力が向上されて、表示パネル１２０と第３支持領域ＰＡ３を固定できる。従って、第３支持領域ＰＡ３でバックカバー８１０と表示パネル１２０間の接着力を向上でき、バックカバー８１０及び表示パネル１２０のワインディング時に加わる応力による、バックカバー８１０と表示パネル１２０との剥離を最小化できる。
【０１０４】
さらに、第３支持領域ＰＡ３に複数の開口部１１１を形成しないことで、第３支持領域ＰＡ３でバックカバー８１０の剛性を向上できる。複数の開口部１１１は、応力に対して柔軟に膨脹及び収縮することができ、バックカバー８１０のフレキシビリティを向上できる効果がある。但し、第３支持領域ＰＡ３には、フレキシビリティ向上のための複数の開口部１１１を配置せず、第３支持領域ＰＡ３は剛性を持つ物質からなるので、他の延性領域ＭＡと比べて高い剛性を持ち得る。従って、剛性が向上した第３支持領域ＰＡ３は、表示パネル１２０を外部の衝撃から保護することができ、表示パネル１２０を平坦に維持できる。
【０１０５】
第２延性領域ＭＡ２は、第３支持領域ＰＡ３からバックカバー８１０の下側に延長した領域である。第２延性領域ＭＡ２は、複数の開口部１１１が配置され、表示パネル１２０が取り付けられる領域である。具体的に、第２延性領域ＭＡ２には、第３支持領域ＰＡ３に取り付けられた表示パネル１２０の部分を除いた表示パネル１２０の残りの部分が取り付けられる。そこで、表示パネル１２０は、第３支持領域ＰＡ３及び第２延性領域ＭＡ２に取り付けられ得る。
【０１０６】
表示部ＤＰａがハウジング部ＨＰの内部に収納され、表示部ＤＰａがローラ８５１にワインディングされる場合、バックカバー８１０の第２延性領域ＭＡ２及び第２延性領域ＭＡ２に付着した表示パネル１２０の下端部分及び中央部分がローラ８５１にワインディングされ得る。この時、バックカバー８１０の第２延性領域ＭＡ２は、複数の開口部１１１が形成されて高いフレキシビリティを持つことができ、表示パネル１２０と共にローラ８５１に容易にワインディングされ得る。第２延性領域ＭＡ２は、図１〜図７ｂを参照して説明した延性領域ＭＡと実質的に同一の機能を実行できる。
【０１０７】
第４支持領域ＰＡ４は、第２延性領域ＭＡ２からバックカバー８１０の下側に延長した領域である。第４支持領域ＰＡ４には、表示パネル１２０の一端に連結されたフレキシブルフィルム１３０及び印刷回路基板１４０が取り付けられる。
【０１０８】
第４支持領域ＰＡ４は、フレキシブルフィルム１３０及び印刷回路基板１４０を保護するためにフレキシブルフィルム１３０及び印刷回路基板１４０をローラ８５１に、曲面でなく平面状にワインディングできる。また、ローラ８５１も第４支持領域ＰＡ４に対応して、一部分を平面状にできる。これに対するさらに詳しい説明は、図９ａ〜図９ｃを参照して後述する。
【０１０９】
第３延性領域ＭＡ３は、第４支持領域ＰＡ４からバックカバー８１０の下側に延長した領域である。第３延性領域ＭＡ３に複数の開口部１１１が配置される。第３延性領域ＭＡ３は、表示パネル１２０の表示領域ＡＡをハウジング部ＨＰの外部に配置できるように延長した領域である。例えば、フルアンワインディングされた状態の時、ローラ８５１に固定されたバックカバー８１０の第２支持領域ＰＡ２からフレキシブルフィルム１３０及び印刷回路基板１４０が付着した第４支持領域ＰＡ４までは、バックカバー８１０及び表示パネル１２０をハウジング部ＨＰの内部に配置でき、表示パネル１２０を取り付けた第２延性領域ＭＡ２及び第３支持領域ＰＡ３を、ハウジング部ＨＰの外部に配置できる。この時、ローラ８５１に固定された第２支持領域ＰＡ２から第３延性領域ＭＡ３及び第４支持領域ＰＡ４の長さが、第２支持領域ＰＡ２からハウジング部ＨＰの開口部ＨＰＯまでの長さより短ければ、表示パネル１２０が取り付けられた第２延性領域ＭＡ２の一部を、ハウジング部ＨＰの内部に配置できる。従って、表示パネル１２０の表示領域ＡＡ下端の一部分がハウジング部ＨＰの内部に配置されるので、映像視聴が難しい場合がある。従って、ローラ８５１に固定された第２支持領域ＰＡ２から第３延性領域ＭＡ３及び第４支持領域ＰＡ４の長さを、ローラ８５１に固定された第２支持領域ＰＡ２からハウジング部ＨＰの開口部ＨＰＯまでの長さと同一に設計できる。
【０１１０】
第２支持領域ＰＡ２は、第３延性領域ＭＡ３からバックカバー８１０の下側に延長した領域である。そして、第２支持領域ＰＡ２は、図１〜図７ｂを参照して上述したように、バックカバー８１０の最下端領域である。第２支持領域ＰＡ２はローラ８５１と締結される領域で、ローラ８５１と締結するために第２締結孔ＡＨ２を形成できる。
【０１１１】
図９ａは、ローラ８５１にバックカバー８１０がフルアンワインディングされた状態の断面図である。図９ｂは、ローラ８５１にバックカバー８１０の第２支持領域ＰＡ２、第３延性領域ＭＡ３及び第４支持領域ＰＡ４がワインディングされた状態の断面図である。図９ｃは、ローラ８５１にバックカバー８１０の第２支持領域ＰＡ２、第３延性領域ＭＡ３、第４支持領域ＰＡ４及び第２延性領域ＭＡ２がワインディングされた状態の断面図である。
【０１１２】
図９ａを参照すると、ローラ８５１は全体的には円筒状であるが、一部分は平面に形成できる。即ち、ローラ８５１の外周面の一部分は平坦に形成され、外周面の残りの部分は曲面で形成される。
【０１１３】
ローラ８５１の平面部分に第２支持領域ＰＡ２が締結される。ローラ８５１に締結された第２支持領域ＰＡ２を除いて、第２支持領域ＰＡ２から延長したバックカバー８１０の残りの部分を平坦に形成できる。
【０１１４】
第３支持領域ＰＡ３に配置されたフレキシブルフィルム１３０及び印刷回路基板１４０上には、カバー部ＣＰがさらに配置される。カバー部ＣＰは、フレキシブルフィルム１３０及び印刷回路基板１４０を覆うように配置され、凸状に形成される。カバー部ＣＰは、印刷回路基板１４０及びフレキシブルフィルム１３０を保護することができ、樹脂などのような絶縁物質から形成され得るが、これに制限されない。
【０１１５】
一方、図８ａ及び図８ｂで上述したように、バックカバー８１０がフルアンワインディングされた状態の時、バックカバー８１０の第３延性領域ＭＡ３及び第４支持領域ＰＡ４をハウジング部ＨＰの内部に配置し、第２延性領域ＭＡ２をハウジング部ＨＰの外部に配置できる。
【０１１６】
次いで、図９ｂを参照すると、ローラ８５１にバックカバー８１０の第２支持領域ＰＡ２、第３延性領域ＭＡ３及び第４支持領域ＰＡ４がワインディングされた状態であり、第４支持領域ＰＡ４から延長した第２延性領域ＭＡ２はアンワインディングされた状態である。
ローラ８５１の外周面のうち、平面部分には第２支持領域ＰＡ２及び第４支持領域ＰＡ４が配置され、曲面部分には第３延性領域ＭＡ３が配置される。
【０１１７】
印刷回路基板１４０及びフレキシブルフィルム１３０が付着した第４支持領域ＰＡ４は、ローラ８５１の平面部分にワインディングされるので、第４支持領域ＰＡ４と第４支持領域ＰＡ４の印刷回路基板１４０及びフレキシブルフィルム１３０は屈曲せず平坦な状態を維持できる。従って、表示部ＤＰａがワインディングまたはアンワインディングされることと関係なく、フレキシブルフィルム１３０及び印刷回路基板１４０を常に平坦に維持でき、フレキシブルフィルム１３０及び印刷回路基板１４０が曲がることによる損傷を防止できる。
【０１１８】
次に、図９ｃを参照すると、ローラ８５１にバックカバー８１０の第２支持領域ＰＡ２、第３延性領域ＭＡ３及び第４支持領域ＰＡ４がワインディングされ、第２延性領域ＭＡ２の一部分がさらにワインディングされた状態にある。
【０１１９】
第２延性領域ＭＡ２の一部分は、ローラ８５１の曲面部分に重畳するようにワインディングされ得る。即ち、ローラ８５１の曲面部分にワインディングされた第３延性領域ＭＡ３上に、ワインディングされた第２延性領域ＭＡ２の一部分は、ローラ８５１の曲面に沿って屈曲できる。
【０１２０】
第２延性領域ＭＡ２の他の一部分は、ローラ８５１の平面部分に重畳するようにワインディングされ得る。ローラ８５１の平面部分にワインディングされた第２支持領域ＰＡ２及び第４支持領域ＰＡ４上にワインディングされた第２延性領域ＭＡ２の他の一部分は、第２延性領域ＭＡ２の一部分と同様、屈曲できる。
【０１２１】
具体的に、第２延性領域ＭＡ２は、第４支持領域ＰＡ４を覆うようにローラ８５１にワインディングされ得る。この時、第２延性領域ＭＡ２と第４支持領域ＰＡ４との間にカバー部ＣＰを配置できる。従って、第２延性領域ＭＡ２は、第４支持領域ＰＡ４のカバー部ＣＰを覆うようにワインディングされ、カバー部ＣＰの形状に沿って屈曲できる。カバー部ＣＰは、曲面を有するので、第２延性領域ＭＡ２も曲面に沿って屈曲できる。特に、カバー部ＣＰの上面の曲面状は、ローラ８５１に対応する形状を有するので、ローラ８５１にワインディングされた第２延性領域ＭＡ２の断面は、実質的に円状を有し得る。
【０１２２】
本発明の他の実施例による表示装置では、第１支持領域ＰＡ１とヘッドバー１６４の締結による凸凹現象を最小化できる。バックカバー８１０の第１支持領域ＰＡ１は、ヘッドバー１６４と締結される領域で、第１締結孔ＡＨ１を形成する。第１支持領域ＰＡ１の第１締結孔ＡＨ１には、ヘッドバー１６４と締結するためにスクリューＳＣが貫通して応力を集中できる。第１締結孔ＡＨ１が形成された第１支持領域ＰＡ１の一部分と、第１締結孔ＡＨ１が形成されない第１支持領域ＰＡ１の残りの部分で、応力の差異が発生して、第１支持領域ＰＡ１の表面は、屈曲を有する凸凹現象が発生し得る。そこで、本発明の他の実施例による表示装置では、バックカバー８１０の第１支持領域ＰＡ１下端に複数の開口部１１１が形成された第１延性領域ＭＡ１を配置して、第１支持領域ＰＡ１で発生した凸凹現象がバックカバー８１０の全面に広がらないようにできる。即ち、第１延性領域ＭＡ１は、複数の開口部１１１が配置され、第１支持領域ＰＡ１より高いフレキシビリティを有する。従って、第１延性領域ＭＡ１で複数の開口部１１１は、第１支持領域ＰＡ１の第１締結孔ＡＨ１に集中された応力を緩和するように柔軟に変形できる。そこで、第１支持領域ＰＡ１で発生した凸凹現象がバックカバー８１０の残りの領域に広がることを最小化できる。
【０１２３】
また、本発明の他の実施例による表示装置では、第３支持領域ＰＡ３によってバックカバー８１０と表示パネル１２０間の接着力を向上できる。具体的に、第３支持領域ＰＡ３は、バックカバー８１０がフルワインディングまたはフルアンワインディングされた状態と関係なく常に平坦な状態を維持することができる。従って、第３支持領域ＰＡ３は、ローラ８５１にワインディングされず、フレキシビリティを確保するために複数の開口部１１１を形成する必要のない領域である。複数の開口部１１１が形成されない第３支持領域ＰＡ３は、第２接着層ＡＤ２との接触面積を増加でき、第２接着層ＡＤ２との接着力を向上できる。第２接着層ＡＤ２とバックカバー８１０間の接着力が弱い場合、バックカバー８１０及び表示パネル１２０をワインディングする時、スリップ現象によってバックカバー８１０と表示パネル１２０が滑るようになり、バックカバー８１０と表示パネル１２０の剥離問題が発生し得る。そこで、本発明の他の実施例による表示装置では、常に平坦な状態を維持することができる第３支持領域ＰＡ３に複数の開口部１１１を形成しないことで、第３支持領域ＰＡ３と第２接着層ＡＤ２間の接触面積及び接着力を向上できる。第３支持領域ＰＡ３と第２接着層ＡＤ２間の接着力を向上するので、第３支持領域ＰＡ３と表示パネル１２０間の接着力も向上でき、表示パネル１２０及びバックカバー８１０のワインディング時に加えられる応力による過度なスリップ及びこれによる表示パネル１２０とバックカバー８１０の剥離問題を最小化できる。
【０１２４】
さらに、本発明の他の実施例による表示装置では、第３支持領域ＰＡ３によって表示部ＤＰａがフルアンワインディングされた状態の時、バックカバー８１０を平坦に維持することができ、剛性を確保することができる。表示部ＤＰａがフルアンワインディングされた状態の場合、第３支持領域ＰＡ３は、表示パネル１２０を平坦に維持できる。第３支持領域ＰＡ３は、複数の開口部１１１が形成された複数の延性領域ＭＡと比べて高い剛性を持つことができるので、フルアンワインディング状態で表示パネル１２０が平坦な状態を維持できる。また、第３支持領域ＰＡ３は、表示部ＤＰａの外側で衝撃に対して高い耐衝撃性を持つことができるので、バックカバー８１０とバックカバー８１０に付着した表示パネル１２０を保護することができる。
【０１２５】
また、本発明の他の実施例による表示装置では、第４支持領域ＰＡ４が常に平坦な状態を維持し、第４支持領域ＰＡ４に付着したフレキシブルフィルム１３０及び印刷回路基板１４０の損傷を最小化することができる。第４支持領域ＰＡ４は、フレキシブルフィルム１３０及び印刷回路基板１４０が付着する領域で、常に平坦な状態を維持できる。そこで、第４支持領域ＰＡ４は、常に平坦な状態を維持することができるので、第３支持領域ＰＡ３と同様に複数の開口部１１１が形成される必要のない領域であることができる。具体的に、バックカバー８１０がローラ８５１にワインディングされる時、バックカバー８１０は、ローラ８５１の形状に沿って曲がりながらワインディングされることができる。そこで、本発明の他の実施例による表示装置では、第４支持領域ＰＡ４がワインディングされるローラ８５１の一部分を平面状に形成して、第４支持領域ＰＡ４がローラ８５１に平たくワインディングされるようにできる。第４支持領域ＰＡ４は、ローラ８５１にワインディングされるにもかかわらず、常に平坦な状態を維持することができるので、第４支持領域ＰＡ４に付着したフレキシブルフィルム１３０及び印刷回路基板１４０も常に平坦な状態を維持することができる。例えば、表示部ＤＰａがフルアンワインディングされた状態の場合、フレキシブルフィルム１３０及び印刷回路基板１４０は、高い剛性を持つ第４支持領域ＰＡ４によって平坦に維持できる。反対に、表示部ＤＰａがフルワインディングされた状態の場合、フレキシブルフィルム１３０及び印刷回路基板１４０は、ローラ８５１の平面部分に安着するので、平坦に維持され得る。従って、本発明の他の実施例による表示装置では、フレキシブルフィルム１３０及び印刷回路基板１４０は屈曲を繰り返さないように形成できるので、フレキシブルフィルム１３０及び印刷回路基板１４０の損傷を最小化できる。
【０１２６】
＜「逆Ｌ」の字状のヘッドバー＞
図１０は、本発明のまた他の実施例による表示装置のヘッドバー及び表示部を説明するための概略的な断面図である。図１０の表示装置は、図８ａ〜図９ｃの表示装置と比べてヘッドバー１０６４の形状が異なるだけで、他の構成は実質的に同一であるので、重複説明は省略する。
【０１２７】
図１０を参照すると、ヘッドバー１０６４は、表示部ＤＰａの最上端で、表示部ＤＰａの正面及び背面を囲むように配置される。ヘッドバー１０６４は、一部分がベンディングされて「逆Ｌ」の字状を有する。
【０１２８】
ヘッドバー１０６４は、第１ヘッドバー１０６４ａ及び第２ヘッドバー１０６４ｂを含む。第１ヘッドバー１０６４ａは、表示部ＤＰａの正面を覆う。第１ヘッドバー１０６４ａは、表示部ＤＰａの正面でバックカバー８１０の第１支持領域ＰＡ１及び第１延性領域ＭＡ１を覆うように配置される。第１ヘッドバー１０６４ａは、第１支持領域ＰＡ１に重畳する一部分が表示パネル１２０の正面に垂直な方向に延長し、第１延性領域ＭＡ１に重畳する残りの部分が表示パネル１２０の正面に水平な方向に延長する。そこで、第１ヘッドバー１０６４ａは、第１支持領域ＰＡ１に重畳する一部分と、第１延性領域ＭＡ１に重畳する残りの部分が約９０度をなし、「逆Ｌ」の字状を有する。そこで、第１ヘッドバー１０６４ａに重畳するバックカバー８１０の第１支持領域ＰＡ１及び第１延性領域ＭＡ１も「逆Ｌ」の字状を有するように曲げられる。但し、図１０では、第１ヘッドバー１０６４ａが第１支持領域ＰＡ１及び第１延性領域ＭＡ１を覆うと図示したが、第１ヘッドバー１０６４ａは、設計によって第１延性領域ＭＡ１からさらに延長して第３支持領域ＰＡ３を覆うこともでき、これに制限されない。
【０１２９】
第２ヘッドバー１０６４ｂは、表示部ＤＰａの背面を覆う。第２ヘッドバー１０６４ｂは、表示部ＤＰａにおいて、バックカバー８１０の第１支持領域ＰＡ１、第１延性領域ＭＡ１及び第３支持領域ＰＡ３を覆うように配置される。第２ヘッドバー１０６４ｂは、第１支持領域ＰＡ１に重畳する一部分が表示パネル１２０の背面に垂直な方向に延長し、第１延性領域ＭＡ１及び第３支持領域ＰＡ３に重畳する残りの部分が表示パネル１２０の背面に水平な方向に延長する。そこで、第２ヘッドバー１０６４ｂは、第１支持領域ＰＡ１に重畳する一部分と、第１延性領域ＭＡ１及び第３支持領域ＰＡ３に重畳する残りの部分が約９０度をなし、「逆Ｌ」の字状を有する。そこで、第２ヘッドバー１０６４ｂに重畳するバックカバー８１０の第１支持領域ＰＡ１と、第１延性領域ＭＡ１及び第３支持領域ＰＡ３も「逆Ｌ」の字状を有するように曲げられる。
【０１３０】
ヘッドバー１０６４が「逆Ｌ」の字状を有するように曲げられることで、凸凹現象を緩和できる。具体的に、第１支持領域ＰＡ１とヘッドバー１０６４の締結時に、第１支持領域ＰＡ１の第１締結孔ＡＨ１が形成された一部分にスクリューＳＣからの応力が集中する。そこで、発生した応力によって第１支持領域ＰＡ１に凸凹現象が発生し得る。この時、第１支持領域ＰＡ１と第１延性領域ＭＡ１が一部分が曲げられたヘッドバー１０６４に締結されることで、第１延性領域ＭＡ１は、ヘッドバー１０６４と同一形状である「逆Ｌ」の字状を有するように曲げられる。そこで、第１支持領域ＰＡ１の第１締結孔ＡＨ１に集中された応力を緩和でき、第１支持領域ＰＡ１で発生した凸凹現象がバックカバー８１０の全面に広がることを最小化できる。
【０１３１】
また、本発明のまた他の実施例による表示装置では、ヘッドバー１０６４が第１ヘッドバー１０６４ａ及び第２ヘッドバー１０６４ｂを含み、第１ヘッドバー１０６４ａ及び第２ヘッドバー１０６４ｂは「逆Ｌ」の字状を有するように一部分が曲げられる。第１ヘッドバー１０６４ａ及び第２ヘッドバー１０６４ｂは、第１支持領域ＰＡ１に重畳する一部分が表示パネル１２０の背面に垂直な方向に延長し、第１延性領域ＭＡ１に重畳する残りの部分が表示パネル１２０の正面に水平な方向に延長する。そこで、第１ヘッドバー１０６４ａ及び第２ヘッドバー１０６４ｂの一部分と残りの部分は、互いに異なる方向に延長することで、第１ヘッドバー１０６４ａ及び第２ヘッドバー１０６４ｂが「逆Ｌ」の字状を有することができる。第１ヘッドバー１０６４ａと第２ヘッドバー１０６４ｂととの間に配置されたバックカバー８１０の第１支持領域ＰＡ１と、第１延性領域ＭＡ１も第１ヘッドバー１０６４ａ及び第２ヘッドバー１０６４ｂの形状に沿って「逆Ｌ」の字状に曲げられる。そこで、第１支持領域ＰＡ１と第１延性領域ＭＡ１が曲がることで、第１支持領域ＰＡ１で第１締結孔ＡＨ１に集中された応力を緩和できる。従って、「逆Ｌ」の字状のヘッドバー１０６４によって第１支持領域ＰＡ１及び第１延性領域ＭＡ１が曲げられ、第１支持領域ＰＡ１で発生した凸凹現象がバックカバー８１０の残りの領域に広がることを最小化することができる。
【０１３２】
＜バックカバーの複数の開口部の多様な形状＞
図１１ａ〜図１１ｃは、本発明の多様な実施例による表示装置のバックカバーの平面図である。図１１ａ〜図１１ｃのバックカバー１１１０ａ、１１１０ｂ、１１１０ｃは、図８ａ〜図９ｃのバックカバー８１０と比べて、複数の開口部１１１１ａ、１１１１ｂ、１１１１ｃの形状のみが異なるだけで、他の構成は実質的に同一であるので、重複説明は省略する。
【０１３３】
図１１ａを参照すると、バックカバー１１１０ａの延性領域ＭＡに複数の開口部１１１１ａが配置され、複数の開口部１１１１ａは楕円状を有する。具体的に、複数の開口部１１１１ａは行方向に長軸を有し、列方向に短軸を有する楕円状からなる。
【０１３４】
図１１ｂを参照すると、バックカバー１１１０ｂの延性領域ＭＡに複数の開口部１１１１ｂが配置され、複数の開口部１１１１ｂはリボン状を有する。具体的に、複数の開口部１１１１ｂの列方向に対する幅は、複数の開口部１１１１ｂの両末端から中央に行くほど小さくなる。従って、複数の開口部１１１１ｂは、リボンのような形状からなる。
【０１３５】
図１１ｃを参照すると、バックカバー１１１０ｃの延性領域ＭＡに複数の開口部１１１１ｃが配置され、複数の開口部１１１１ｃはダンベル状を有する。具体的に、複数の開口部１１１１ｃの列方向に対する幅は、複数の開口部１１１１ｃの中心にいくほど小さくなり、複数の開口部１１１１ｃの中心から離れるほど大きくなる。この時、列方向で複数の開口部１１１１ｃの両側端部の形状は、ラウンド状であってもよい。従って、複数の開口部１１１１ｃは、ダンベルのような形状からなる。
【０１３６】
一方、図１１ａ〜図１１ｃでは、複数の開口部１１１１ａ、１１１１ｂ、１１１１ｃが楕円状、リボン状及びダンベル状であると図示したが、複数の開口部１１１１ａ、１１１１ｂ、１１１１ｃは、行方向に対する幅が列方向に対する幅より大きければ、これに制限されない。例えば、複数の開口部１１１１ａ、１１１１ｂ、１１１１ｃは、長方形状、菱形状など多様に設計することができる。
【０１３７】
図１１ａ〜図１１ｃでは、図８ｂに図示されたバックカバー８１０で複数の開口部１１１１ａ、１１１１ｂ、１１１１ｃの形状が変形されることを図示したが、図１１ａ〜図１１ｃの複数の開口部１１１１ａ、１１１１ｂ、１１１１ｃは、図７ａに図示されたバックカバー１１０に適用されてもよく、これに制限されない。
【０１３８】
また、図１１ａ〜図１１ｃでは、バックカバー１１１０ａ、１１１０ｂ、１１１０ｃの複数の開口部１１１１ａ、１１１１ｂ、１１１１ｃの形状が全て同一であると図示したが、バックカバー１１１０ａ、１１１０ｂ、１１１０ｃの複数の開口部１１１１ａ、１１１１ｂ、１１１１ｃの形状は互いに異なってもよい。
【０１３９】
本発明のまた他の実施例による表示装置において、バックカバー１１１０ａ、１１１０ｂ、１１１０ｃの複数の開口部１１１１ａ、１１１１ｂ、１１１１ｃの形状は、表示パネル１２０に加えられる応力を最小化し、バックカバー１１１０ａ、１１１０ｂ、１１１０ｃが柔軟に変形できるように多様に変更できる。具体的に、バックカバー１１１０ａ、１１１０ｂ、１１１０ｃに複数の開口部１１１１ａ、１１１１ｂ、１１１１ｃが形成されることで、バックカバー１１１０ａ、１１１０ｂ、１１１０ｃがワインディングまたはアンワインディングされる時、バックカバー１１１０ａ、１１１０ｂ、１１１０ｃを柔軟に変形できる。複数の開口部１１１１ａ、１１１１ｂ、１１１１ｃは、柔軟に変形されてバックカバー１１１０ａ、１１１０ｂ、１１１０ｃのワインディング時に発生する応力が分散することができ、バックカバー１１１０ａ、１１１０ｂ、１１１０ｃの延性領域ＭＡに配置された表示パネル１２０に加えられる応力も最小化できる。この時、複数の開口部１１１１ａ、１１１１ｂ、１１１１ｃは、行方向で境界面が平行にならないように形成されて、応力を分散させることができる。具体的に、複数の開口部１１１１ａ、１１１１ｂ、１１１１ｃの列方向にバックカバー１１１０ａ、１１１０ｂ、１１１０ｃがワインディングされる時、複数の開口部１１１１ａ、１１１１ｂ、１１１１ｃを上下に伸ばす方向、つまり、列方向に応力が加えられ、行方向に平行な方向に延長する複数の開口部１１１１ａ、１１１１ｂ、１１１１ｃの境界面に応力が集中することができる。この時、行方向で複数の開口部１１１１ａ、１１１１ｂ、１１１１ｃの境界面が行方向と平行でなければ、つまり、複数の開口部１１１１ａ、１１１１ｂ、１１１１ｃの境界面が行方向と異なる方向に延長すれば、複数の開口部１１１１ａ、１１１１ｂ、１１１１ｃの境界面における法線方向を様々な方向に定義でき、応力も様々な方向に分散できる。
【０１４０】
例えば、図１１ａのバックカバー１１１０ａのように、複数の開口部１１１１ａが楕円状の場合、行方向を基準として複数の開口部１１１１ａの境界面は曲面を有する。従って、楕円状の複数の開口部１１１１ａに応力が加えられる場合、複数の開口部１１１１ａの境界面である曲面の法線方向に沿って応力を様々な方向に分散できる。
【０１４１】
次に、図１１ｂのバックカバー１１１０ｂのように、複数の開口部１１１１ｂがリボン状の場合、行方向で複数の開口部１１１１ｂの境界面は傾斜面を有する。従って、リボン状の複数の開口部１１１１ｂに応力が加えられる場合、複数の開口部１１１１ｂの境界面である傾斜面に沿って応力を分散できる。
【０１４２】
最後に、図１１ｃのバックカバー１１１０ｃのように、複数の開口部１１１１ｃがダンベル状の場合、行方向で複数の開口部１１１１ｃの境界面は曲面を有する。従って、ダンベル状の複数の開口部１１１１ｃに応力が加えられる場合、複数の開口部１１１１ｃの境界面である曲面の法線方向に沿って応力を分散できる。一方、複数の開口部１１１１ｃの両側端部が相対的に狭く、角をなすように形成された場合、複数の開口部１１１１ｃの両側端部に応力を集中できる。この時、ダンベル状の複数の開口部１１１１ｃは、両側端部が曲面を有するようにでき、複数の開口部１１１１ｃの両側端部は、複数の開口部１１１１ｃの中央部分と比べて列方向に対する幅を広くできる。従って、ダンベル状の複数の開口部１１１１ｃでは、列方向に対する両側端部の幅を広く、曲面を有するように形成して、複数の開口部１１１１ｃの両側端部に応力が集中することを最小化できる。
【０１４３】
従って、本発明のまた他の実施例による表示装置では、バックカバー１１１０ａ、１１１０ｂ、１１１０ｃの複数の開口部１１１１ａ、１１１１ｂ、１１１１ｃは、行方向で複数の開口部１１１１ａ、１１１１ｂ、１１１１ｃの境界面が行方向と平行でないように形成され、バックカバー１１１０ａ、１１１０ｂ、１１１０ｃのワインディング時に列方向に複数の開口部１１１１ａ、１１１１ｂ、１１１１ｃを膨脹させるように加えられる応力を分散できる。
【０１４４】
＜バックカバーの剛性補強のための補強領域＞
図１２は、本発明のさらに他の実施例による表示装置のバックカバーの平面図である。図１２のバックカバー１２１０は、図８ａ〜図９ｃのバックカバー８１０と比べて、エッジ補強領域ＥＲＡが追加されただけで、他の構成は実質的に同一であるので、重複説明は省略する。
【０１４５】
図１２を参照すると、バックカバー１２１０は、延性領域ＭＡの左側エッジ及び右側エッジにそれぞれエッジ補強領域ＥＲＡが配置される。エッジ補強領域ＥＲＡは、延性領域ＭＡと比べて複数の開口部１１１ａの列方向に対する幅が狭い領域であり、エッジ補強領域ＥＲＡは、延性領域ＭＡと比べて高い剛性を持つことができる。そこで、バックカバー１２１０は、エッジ補強領域ＥＲＡが配置され、バックカバー１２１０の左側エッジ及び右側エッジで剛性を向上できる。
【０１４６】
エッジ補強領域ＥＲＡに配置された複数の開口部１１１ａは、延性領域ＭＡに配置された複数の開口部１１１のうちエッジ補強領域ＥＲＡに最も隣接した複数の開口部１１１から延長して形成される。エッジ補強領域ＥＲＡの複数の開口部１１１ａは、延性領域ＭＡの複数の開口部１１１と比べて列方向に対する幅を小さくできる。そこで、エッジ補強領域ＥＲＡにおける開口率は、延性領域ＭＡにおける開口率と比べて、さらに低くできる。従って、バックカバー１２１０は、エッジ補強領域ＥＲＡで剛性がさらに向上され得る。
【０１４７】
本発明のまた他の実施例によるバックカバー１２１０では、延性領域ＭＡの左側エッジ及び右側エッジに延性領域ＭＡと比べて開口率の小さいエッジ補強領域ＥＲＡを配置して、バックカバー１２１０の側面で剛性を向上できる。延性領域ＭＡの左側エッジ及び右側エッジに配置されたエッジ補強領域ＥＲＡに配置された複数の開口部１１１ａは、延性領域ＭＡの複数の開口部１１１と比べて列方向に対する幅を小さくできる。従って、エッジ補強領域ＥＲＡにおける開口率は、延性領域ＭＡにおける開口率より低くでき、エッジ補強領域ＥＲＡで剛性を向上できる。そこで、エッジ補強領域ＥＲＡは、バックカバー１２１０の左側エッジ及び右側エッジで剛性を向上でき、バックカバー１２１０の左側エッジ及び右側エッジに外部の衝撃が加えられても、バックカバー１２１０を屈曲せず、平坦に維持できる。従って、本発明のまた他の実施例による表示装置では、バックカバー１２１０の左側エッジ及び右側エッジにエッジ補強領域ＥＲＡを配置してバックカバー１２１０の剛性を向上でき、外部の衝撃から表示パネル１２０を保護できる。
【０１４８】
図１３は、本発明のまた他の実施例による表示装置のバックカバーの平面図である。図１３のバックカバー１３１０は、図８ａ〜図９ｃのバックカバー８１０と比べて、複数の補強領域ＲＡが追加されただけで、他の構成は実質的に同一であるので、重複説明は省略する。
【０１４９】
図１３を参照すると、バックカバー１３１０の第２延性領域ＭＡ２に複数の補強領域ＲＡが定義される。複数の補強領域ＲＡは、第２延性領域ＭＡ２で互いに離隔される。具体的に、複数の補強領域ＲＡは、第２延性領域ＭＡ２で行方向、つまり、複数の開口部１１１の長さ方向に延長し、列方向に互いに離隔される。
【０１５０】
複数の開口部１１１は、第２延性領域ＭＡ２において、複数の補強領域ＲＡを除いた残りの領域に配置される。即ち、複数の開口部１１１は、複数の補強領域ＲＡの間、複数の補強領域ＲＡのうち第３支持領域ＰＡ３に最も隣接した補強領域ＲＡと第３支持領域ＰＡ３との間、複数の補強領域ＲＡのうち第４支持領域ＰＡ４に最も隣接した補強領域ＲＡと第４支持領域ＰＡ４との間に配置される。
【０１５１】
この時、複数の補強領域ＲＡの列方向に対する第１幅Ｗ１は、列方向に対する複数の補強領域ＲＡ間の距離である第２幅Ｗ２よりも小さくできる。具体的に、複数の補強領域ＲＡは、複数の開口部１１１が配置されない領域で、複数の開口部１１１が配置された第２延性領域ＭＡ２の一部分と比べて剛性が高くできる。従って、複数の補強領域ＲＡの列方向に対する第１幅Ｗ１が大きくなるほど、バックカバー１３１０の剛性も向上できる。一方、複数の補強領域ＲＡ間の複数の開口部１１１が配置された第２延性領域ＭＡ２の一部分は、複数の補強領域ＲＡと比べてフレキシビリティを高くできる。従って、複数の補強領域ＲＡ間の第２幅Ｗ２が大きくなるほど、バックカバー１３１０のフレキシビリティが向上されて、バックカバー１３１０のワインディングまたはアンワインディングを容易にできる。まとめると、第１幅Ｗ１が大きくなるほどバックカバー１３１０の剛性が向上されるが、フレキシビリティが低下し、第２幅Ｗ２が大きくなるほどバックカバー１３１０のフレキシビリティは向上されるが、剛性が低下してしまう。
【０１５２】
但し、第２延性領域ＭＡ２は、表示パネル１２０の中央部分及び下端部分が取り付けられた部分で、ローラにワインディングまたはアンワインディングされてハウジング部ＨＰの内部または外部に配置され得る。従って、第２延性領域ＭＡ２がローラに容易にワインディングまたはアンワインディングされるために、複数の補強領域ＲＡ間の第２幅Ｗ２は、複数の補強領域Ｒの列方向に対する第１幅Ｗ１より大きく形成され、第２延性領域ＭＡ２のフレキシビリティを確保できる。また、第２延性領域ＭＡ２は、複数の補強領域ＲＡがさらに配置されることで、剛性が向上されると同時に、複数の補強領域ＲＡの列方向に対する第１幅Ｗ１を複数の補強領域ＲＡ間の第２幅Ｗ２より小さく形成して、フレキシビリティも確保することができる。
【０１５３】
本発明のまた他の実施例によるバックカバー１３１０では、バックカバー１３１０の第２延性領域ＭＡに複数の補強領域ＲＡを配置してバックカバー１３１０のフレキシビリティと剛性を同時に確保することができる。具体的に、バックカバー１３１０の第２延性領域ＭＡ２に複数の補強領域ＲＡが配置される。複数の補強領域ＲＡは、複数の開口部１１１が配置されない領域で、複数の開口部１１１が配置された第２延性領域ＭＡ２と比べて高い剛性を持つことができる。また、第２延性領域ＭＡ２で第３支持領域ＰＡ３と補強領域ＲＡとの間、複数の補強領域ＲＡ間、補強領域ＲＡと第４支持領域ＰＡ４との間にそれぞれ複数の開口部１１１を配置でき、複数の開口部１１１が配置された第２延性領域ＭＡ２の一部分は、高いフレキシビリティを有することができる。第２延性領域ＭＡ２は、ローラにワインディングまたはアンワインディングされる領域で、一定水準のフレキシビリティが確保されなければならない。従って、フレキシビリティの低い複数の補強領域ＲＡのそれぞれの列方向に対する第１幅Ｗ１を、複数の開口部１１１が配置された第２延性領域ＭＡ２の一部領域の列方向に対する第２幅Ｗ２より小さく形成して、第２延性領域ＭＡ２でフレキシビリティを向上できる。また、第２延性領域ＭＡ２には、剛性の高い複数の補強領域ＲＡが配置されることで、第２延性領域ＭＡ２で剛性も向上できる。従って、本発明のまた他の実施例によるバックカバー１３１０では、第２延性領域ＭＡ２に複数の補強領域ＲＡを配置してバックカバー１３１０の剛性を向上させて、外部の衝撃からバックカバー１３１０と表示パネル１２０を保護することができ、複数の補強領域ＲＡの列方向に対する第１幅Ｗ１を複数の補強領域ＲＡ間の第２幅Ｗ２より小さく形成して、フレキシビリティも確保できる。
【０１５４】
一方、複数の補強領域ＲＡの列方向に対する第１幅Ｗ１が大きくなりすぎると、複数の補強領域ＲＡは、バックカバー１３１０がローラにワインディングまたはアンワインディングされることを妨害し得て、表示パネル１２０を破損させ得る。具体的に、複数の補強領域ＲＡは、ローラにワインディングされても、他の延性領域ＭＡと違って低いフレキシビリティを有するので、ローラの形状に沿って柔軟に変形され難いことがある。従って、複数の補強領域ＲＡが曲がることは限界があり、複数の補強領域ＲＡの列方向に対する第１幅Ｗ１が大きくなりすぎると、複数の補強領域ＲＡの上面の角が複数の補強領域ＲＡ上の表示パネル１２０に干渉することができ、表示パネル１２０が破損され得る。そこで、複数の補強領域ＲＡの幅は、ローラの半径、表示パネル１２０及びバックカバー１３１０の厚さなどによって決められることができる。
以下では、複数の補強領域ＲＡの幅を設計することについて、図１４を参照して説明する。
【０１５５】
図１４は、本発明のまた他の実施例による表示装置のバックカバーの補強領域の幅を説明するための概略的な断面図である。説明の便宜のために、図１４では、ローラ８５１、表示パネル１２０、第２接着層ＡＤ２及びバックカバー１３１０のみを概略的に図示し、表示パネル１２０、第２接着層ＡＤ２及びバックカバー１３１０のそれぞれの断面が円状からなり、ローラ８５１の外周面に順次にバックカバー１３１０、第２接着層ＡＤ２及び表示パネル１２０が配置されたことを仮定した。
【０１５６】
図１４を参照すると、ローラ８５１の半径Ｒ、バックカバー１３１０の厚さｔ１、第２接着層ＡＤ２の厚さｔ２及び第２接着層ＡＤ２の圧縮率ａによって複数の補強領域ＲＡの最大幅ＭＷを決めることができる。
【０１５７】
ここで、ローラ８５１の中心からローラ８５１の外周面までの直線距離を、ローラ８５１の半径Ｒと定義できる。また、ローラ８５１の中心からローラ８５１にワインディングされた第２接着層ＡＤ２の外周面までの直線距離を第１長さＬＮ１と定義できる。この時、第１長さＬＮ１は、ローラ８５１の半径Ｒ、バックカバー１３１０の厚さｔ１及び第２接着層ＡＤ２の厚さｔ２に圧縮率ａを掛けた値を足して求めることができる。また、ローラ８５１の中心からローラ８５１にワインディングされたバックカバー１３１０の外周面までの直線距離を第２長さＬＮ２と定義できる。この時、第２長さＬＮ２は、ローラ８５１の半径Ｒ及びバックカバー１３１０の厚さｔ１を足して求めることができる。
【０１５８】
次いで、第１長さＬＮ１及び第２長さＬＮ２から複数の補強領域ＲＡの最大幅ＭＷを求めることができる。具体的に、下記の［数式１］によって複数の補強領域ＲＡの幅ＭＷの最大値を決めることができる。
【数１】
2020003794.tif 000003
数式１を参照すると、補強領域ＲＡの最大幅ＭＷは、第１長さＬＮ１を二乗した値から第２長さＬＮ２を二乗した値を引いた値を２倍して求めることができる。
【０１５９】
一方、ローラ８５１にバックカバー１３１０が一度ワインディングされた状態の場合、二回目にワインディングされたバックカバー１３１０の一部分で複数の補強領域ＲＡの最大幅を決めるためのローラ８５１の半径Ｒを異なる定義とすることができる。この時、ローラ８５１の半径Ｒは、バックカバー１３１０がワインディングされる部材全体の半径を意味すると定義でき、例えば、上記数式１において、ローラ８５１の半径Ｒは、ローラ８５１の半径Ｒにバックカバー１３１０の厚さｔ１を足した値と再び定義して、補強領域ＲＡの最大幅を求めることができる。
【０１６０】
複数の補強領域ＲＡの最大幅ＭＷが上記の数式１から出た値を超える場合、複数の補強領域ＲＡの上面角が第２接着層ＡＤ２上の表示パネル１２０に干渉できる。具体的に、複数の補強領域ＲＡは、延性領域ＭＡと比べてフレキシビリティが低いので、複数の補強領域ＲＡは、延性領域ＭＡと違ってローラ８５１の形状に沿って柔軟に曲がらないこともあり、曲げに限界があり得る。もし、複数の補強領域ＲＡの幅が大きすぎる場合、バックカバー１３１０がローラ８５１にワインディングされる時に、複数の補強領域ＲＡの上面角はローラ８５１の形状に沿って曲がらず、ローラ８５１の外周面から第２接着層ＡＤ２及び表示パネル１２０側に突出すことがある。従って、複数の補強領域ＲＡの上面角は、第２接着層ＡＤ２及び表示パネル１２０に応力を加えて表示パネル１２０が損傷するか、複数の補強領域ＲＡの上面角が第２接着層ＡＤ２を突き抜いて表示パネル１２０に直接接触するようになり、表示パネル１２０が損傷し得る。
【０１６１】
本発明のまた他の実施例による表示装置では、バックカバー１３１０の剛性を確保するために、バックカバー１３１０に複数の補強領域ＲＡを配置する。そして、複数の補強領域ＲＡの最大幅ＭＷは、ローラ８５１の半径Ｒ、バックカバー１３１０の厚さｔ１、第２接着層ＡＤ２の厚さｔ２及び第２接着層ＡＤ２の圧縮率ａを考慮して設計できる。先ず、複数の補強領域ＲＡは、複数の開口部１１１が配置されない領域で、延性領域ＭＡと比べて相対的に剛性が高い。そこで、複数の補強領域ＲＡが延性領域ＭＡで一定間隔で配置されることで、延性領域ＭＡでバックカバー１３１０の剛性を高めることができ、表示パネル１２０を安定して支持及び保護することができる。
【０１６２】
本発明のまた他の実施例による表示装置では、複数の補強領域ＲＡの上面角が表示パネル１２０と干渉しないように、複数の補強領域ＲＡの最大幅ＭＷを設計できる。具体的に、複数の補強領域ＲＡの最大幅ＭＷは、ローラ８５１の半径Ｒ、バックカバー１３１０の厚さｔ１、第２接着層ＡＤ２の厚さｔ２及び第２接着層ＡＤ２の圧縮率ａを考慮して設計できる。複数の補強領域ＲＡは、高い剛性により低いフレキシビリティを有するので、バックカバー１３１０がローラ８５１にワインディングされる時、複数の補強領域ＲＡをローラ８５１の形状に沿って柔軟に曲げることが難しく、曲げにも限界があり得る。従って、複数の補強領域ＲＡを含むバックカバー１３１０がローラ８５１にワインディングされる場合、複数の補強領域ＲＡは、ローラ８５１の形状に沿って完全に曲がらず、複数の補強領域ＲＡの上面角がローラ８５１の外周面から突き出して第２接着層ＡＤ２を圧迫することができる。この時、複数の補強領域ＲＡの幅が大きすぎる場合、複数の補強領域ＲＡの上面角が第２接着層ＡＤ２を圧迫して表示パネル１２０の背面まで接することができる。表示パネル１２０に複数の補強領域ＲＡの角が接する場合、表示パネル１２０が損傷し得る。従って、本発明のまた他の実施例による表示装置では、複数の補強領域ＲＡの最大幅ＭＷをローラ８５１の半径Ｒ、バックカバー１３１０の厚さｔ１、第２接着層ＡＤ２の厚さｔ２及び第２接着層ＡＤ２の圧縮率ａを考慮して設計することができ、複数の補強領域ＲＡがバックカバー１３１０の剛性を向上させつつも、複数の補強領域ＲＡによる表示パネル１２０の破損問題を最小化できる。
【０１６３】
＜バックカバーの剛性補強のための突出部＞
図１５ａは、本発明のまた他の実施例による表示装置のバックカバーの平面図である。図１５ｂは、図１５ａのＸＶ−ＸＶ’に沿った断面図である。図１５ａ及び図１５ｂのバックカバー１５１０は、図１３のバックカバー１３１０と比べて、突出部ＲＡＰのみがさらに追加されただけで、他の構成は実質的に同一であるので、重複説明は省略する。
【０１６４】
図１５ａ及び図１５ｂを参照すると、バックカバー１５１０の複数の補強領域ＲＡに複数の突出部ＲＡＰがさらに配置される。具体的に、複数の突出部ＲＡＰのそれぞれは、複数の補強領域ＲＡのそれぞれに重畳して配置され、複数の補強領域ＲＡに沿って行方向に延長して配置される。
【０１６５】
突出部ＲＡＰは、表示パネル１２０が付着されないバックカバー１５１０の背面に位置する。もし、表示パネル１２０が付着するバックカバー１５１０の正面に突出部ＲＡＰが位置する場合、突出部ＲＡＰによって表示パネル１２０の表面が平坦でなく屈曲を有することができる。そこで、突出部ＲＡＰは、表示パネル１２０に接しないように、表示パネル１２０が付着されないバックカバー１５１０の背面に位置することができる。即ち、突出部ＲＡＰは、複数の補強領域ＲＡで表示パネル１２０と対向するバックカバー１５１０の正面の反対面であるバックカバー１５１０の背面に位置することができる。
【０１６６】
突出部ＲＡＰは、複数の補強領域ＲＡと一体で形成されることができる。例えば、バックカバー１５１０の正面及び背面を同時にエッチングして、バックカバー１５１０に複数の開口部１１１、複数の補強領域ＲＡ及び突出部ＲＡＰを形成できる。具体的に、バックカバー１５１０に複数の開口部１１１を形成すると同時に、バックカバー１５１０の背面では、複数の補強領域ＲＡに重畳する領域で突出部ＲＡＰが突き出すように、突出部ＲＡＰを除いた残りの領域をエッチングすることができる。従って、複数の補強領域ＲＡと突出部ＲＡＰを一体に形成できる。但し、突出部ＲＡＰは、複数の補強領域ＲＡに別途に取り付けられてもよく、これに制限されない。
【０１６７】
一方、突出部ＲＡＰの列方向に対する幅は、図１４を参照して上述したように、複数の補強領域ＲＡの最大幅ＭＷと同一に設計することができる。もし、突出部ＲＡＰの列方向に対する幅が複数の補強領域ＲＡの最大幅ＭＷより大きい場合、突出部ＲＡＰは、バックカバー１５１０のワインディングまたはアンワインディングを妨害し得て、突出部ＲＡＰの角が表示パネル１２０に干渉し得る。従って、突出部ＲＡＰの列方向に対する最大幅は、複数の補強領域ＲＡの列方向に対する最大幅ＭＷより小さいか同一に形成され得る。
【０１６８】
本発明のまた他の実施例による表示装置では、バックカバー１５１０に複数の補強領域ＲＡ及び突出部ＲＡＰが配置されて、バックカバー１５１０の剛性を向上できる。具体的に、バックカバー１５１０の第２延性領域ＭＡ２に複数の補強領域ＲＡ及び複数の補強領域ＲＡでバックカバー１５１０の背面に突き出した突出部ＲＡＰが位置する。複数の補強領域ＲＡ及び突出部ＲＡＰは、複数の開口部１１１が配置されない領域で、延性領域ＭＡと比べて高い剛性を持つことができる。従って、複数の補強領域ＲＡ及び突出部ＲＡＰは、バックカバー１５１０の剛性を向上させて、外側からの衝撃からバックカバー１５１０とバックカバー１５１０に取り付けられた表示パネル１２０を保護できる。
【０１６９】
また、本発明のまた他の実施例による表示装置では、バックカバー１５１０の左側エッジ及び右側エッジに外部の衝撃が加えられても突出部ＲＡＰが複数の補強領域ＲＡを支持するので、バックカバー１５１０が曲がらず平坦に維持され得る。従って、本発明のまた他の実施例による表示装置では、バックカバー１５１０の複数の補強領域ＲＡに突出部ＲＡＰがさらに位置して、バックカバー１５１０の両側エッジにおける剛性を向上させ得る。
【０１７０】
図１６は、本発明のまた他の実施例による表示装置のバックカバーの平面図である。図１６のバックカバー１６１０は、図１５ａ及び図１５ｂのバックカバー１５１０と比べて、突出部ＲＡＰの形状のみが異なるだけで、他の構成は実質的に同一であるので、重複説明は省略する。
【０１７１】
図１６を参照すると、複数の突出部ＲＡＰは、行方向に延長して配置され、正弦波状を有する。即ち、突出部ＲＡＰは、直線形状ではなく屈曲した形状とすることができる。そして、平面上で複数の突出部ＲＡＰの最上部と最下部間の距離ＡＭは、図１４を参照して、上述した複数の補強領域ＲＡの最大幅ＭＷを超えないようにできる。ここで、突出部ＲＡＰの最上部と最下部間の距離ＡＭは、突出部ＲＡＰを平面上から見た時、最も上側に位置する最大突出地点と、最も下側に位置する最大突出地点間の幅で定義され得る。
【０１７２】
一方、図１６では、複数の突出部ＲＡＰが正弦波状を有し、複数の補強領域ＲＡは直線形状であると図示したが、複数の突出部ＲＡＰの最上部と最下部間の距離ＡＭが補強領域ＲＡの最大幅ＭＷを超えなければ、複数の補強領域ＲＡ及び突出部ＲＡＰの形状を多様に変更でき、これに制限されない。例えば、突出部ＲＡＰの形状は、ジグザグ状であってもよく、パルス波状であってもよい。また、突出部ＲＡＰの形状は、周期的な形状であってもよく、非周期的な形状であってもよい。
【０１７３】
本発明のまた他の実施例による表示装置では、バックカバー１６１０に多様な形状の複数の突出部ＲＡＰが位置し、バックカバー１６１０の剛性を向上できる。具体的に、バックカバー１６１０の延性領域ＭＡに複数の補強領域ＲＡ及び複数の補強領域ＲＡでバックカバー１６１０の背面に突き出した突出部ＲＡＰが配置される。複数の突出部ＲＡＰは、行方向に延長し、正弦波状を有することができる。この時、複数の補強領域ＲＡ及び突出部ＲＡＰの最上部と最下部間の距離ＡＭは、ローラ８５１の半径Ｒ、バックカバー１６１０の厚さｔ１、第２接着層ＡＤ２の厚さｔ２及び第２接着層ＡＤ２の圧縮率ａによって決められる補強領域ＲＡの最大幅ＭＷ以内にできる。そこで、複数の突出部ＲＡＰ及び複数の補強領域ＲＡは、バックカバー１６１０のワインディング時に、表示パネル１２０に干渉せずに、バックカバー１６１０の剛性を向上させてバックカバー１６１０の外側からの衝撃からバックカバー１６１０とバックカバー１６１０に取り付けられた表示パネル１２０を保護することができる。従って、本発明のまた他の実施例による表示装置は、バックカバー１６１０の複数の補強領域ＲＡ及び突出部ＲＡＰを多様な形状に設計することができ、バックカバー１６１０の剛性を向上できる。
【０１７４】
＜バックカバーのエッジ保護及び危険性の改善＞
図１７は、本発明のまた他の実施例による表示装置の表示部の拡大断面図である。図１７の表示部ＤＰｂは、図８ａ〜図９ｃの表示部ＤＰａと比べて、バックカバー１７１０のみが異なるだけで、他の構成は実質的に同一であるので、重複説明は省略する。
【０１７５】
図１７を参照すると、バックカバー１７１０の左側エッジ及び右側エッジはベンディングされる。具体的に、バックカバー１７１０の左側エッジ及び右側エッジは、表示パネル１２０側にベンディングされて、バックカバー１７１０の左側エッジ及び右側エッジを表示パネル１２０の側面に対向するように配置できる。バックカバー１７１０の左側エッジ及び右側エッジを、表示パネル１２０の側面とは離隔してベンディングされて、表示パネル１２０の側面に対向するように配置できる。バックカバー１７１０の左側エッジ及び右側エッジがベンディングされることで、ベンディングされた状態のバックカバー１７１０の最左側部分ＥＬ及び最右側部分ＥＲは、ラウンド形状を有することができる。
【０１７６】
この時、バックカバー１７１０の左側エッジ及び右側エッジはベンディングされても、表示パネル１２０とは離隔することができる。具体的に、バックカバー１７１０の左側エッジ及び右側エッジを、表示パネル１２０の基板１２１、バッファ層１２２、画素部１２３、封止層１２４、封止基板１２５に接しないようにベンディングできる。
【０１７７】
一方、図１７では、バックカバー１７１０の左側エッジ及び右側エッジがバックカバー１７１０の正面に接しないと図示したが、これに制限されず、バックカバー１７１０の左側エッジ及び右側エッジはベンディングされて、バックカバー１７１０の正面に接してもよい。具体的に、バックカバー１７１０の左側エッジ及び右側エッジは、表示パネル１２０と対向するバックカバー１７１０の一面に接するようにベンディングされ得る。
【０１７８】
バックカバー１７１０は、剛性を持つ金属物質やプラスチック物質などで形成され得るので、バックカバー１７１０の左側エッジ及び右側エッジを非常に鋭くできる。また、バックカバー１７１０が厚い場合、表示パネル１２０及びバックカバー１７１０をワインディング及びアンワインディングするのに多くの応力を発生させることができ、バックカバー１７１０自体を塑性変形できるので、バックカバー１７１０を、約２００μｍの非常に薄い厚さで形成できる。従って、このようなバックカバー１７１０の薄くて鋭いエッジは、外部の衝撃に脆弱で容易に変形され得るだけでなく、鋭いエッジによって使用者が負傷する危険性もある。
【０１７９】
そこで、本発明のまた他の実施例による表示装置では、バックカバー１７１０の左側エッジ及び右側エッジをベンディングして、鋭いエッジを改善できる。具体的に、バックカバー１７１０の左側エッジ及び右側エッジをベンディングして、ベンディングされた状態のバックカバー１７１０の最左側部分ＥＬ及び最右側部分ＥＲがラウンド形状を有することができるので、使用者がベンディングされた状態のバックカバー１７１０の最左側部分ＥＬ及び最右側部分ＥＲによって負傷する危険性を減少できる。
【０１８０】
また、本発明のまた他の実施例による表示装置では、ベンディングされた状態のバックカバー１７１０の最左側部分ＥＬ及び最右側部分ＥＲの厚さが他の部分に比べて厚くできる。そこで、バックカバー１７１０の最左側部分ＥＬ及び最右側部分ＥＲにおける剛性が向上し、バックカバー１７１０の左側及び右側で外力が加えられても、バックカバー１７１０の変形を最小化できる。また、別途の追加構成なしにバックカバー１７１０のエッジをベンディングする簡素な工程でバックカバー１７１０の鋭いエッジを改善し、バックカバー１７１０の剛性を向上させる効果がある。
【０１８１】
＜バックカバー及び接着層を使用した側面透湿防止＞
図１８〜図２０は、本発明の多様な実施例による表示装置の表示部の拡大断面図である。図１８は、本発明のまた他の実施例による表示装置の表示部ＤＰｃの拡大断面図である。図１９は、本発明のまた他の実施例による表示装置の表示部ＤＰｄの拡大断面図である。図２０は、本発明のまた他の実施例による表示装置の表示部ＤＰｅの拡大断面図である。図１８〜図２０の表示部ＤＰｃ、ＤＰｄ、ＤＰｅは、図１７の表示部ＤＰｂと比べてバックカバー１８１０、１９１０、２０１０のみが異なり、第３接着層ＡＤ３が追加されただけで、他の構成は実質的に同一であるので、重複説明は省略する。
【０１８２】
図１８〜図２０を参照すると、バックカバー１８１０、１９１０、２０１０の左側エッジ及び右側エッジはベンディングされて表示パネル１２０に接する。例えば、図１８を参照すると、バックカバー１８１０の左側エッジ及び右側エッジはベンディングされて表示パネル１２０の背面に接することができる。即ち、バックカバー１８１０の左側エッジ及び右側エッジは、図１８に示すように、バッファ層１２２の背面に接することができる。但し、これに制限されず、バックカバー１８１０の左側エッジ及び右側エッジはベンディングされて表示パネル１２０の基板１２１の背面に接することもできる。また、表示パネル１２０の基板１２１と画素部１２３との間に配置された複数の絶縁層、例えば、バッファ層１２２、ゲート絶縁層、層間絶縁層、平坦化層、パッシベーション層などのような多様な絶縁層の少なくともいずれか一つの背面にバックカバー１８１０の左側エッジ及び右側エッジが接することもできる。
【０１８３】
また、図１９を参照すると、バックカバー１９１０の左側エッジ及び右側エッジはベンディングされて表示パネル１２０の側面に接することができる。即ち、図１９に示すように、バックカバー１９１０の左側エッジ及び右側エッジは、基板１２１及びバッファ層１２２の側面に接することができる。但し、これに制限されず、バックカバー１９１０の左側エッジ及び右側エッジはベンディングされて、表示パネル１２０の基板１２１及びバッファ層１２２のいずれか一つの側面のみに接することもできる。また、バックカバー１９１０の左側エッジ及び右側エッジは、基板１２１と画素部１２３との間に配置された複数の絶縁層及び基板１２１の少なくとも一つの側面に接することもできる。
【０１８４】
また、図２０を参照すると、バックカバー２０１０の左側エッジ及び右側エッジはベンディングされて、表示パネル１２０の正面に接することができる。即ち、バックカバー２０１０の左側エッジ及び右側エッジは、基板１２１の正面に接することができる。但し、これに制限されず、表示パネル１２０の基板１２１の正面に偏光板や保護フィルムなどが配置される場合、バックカバー２０１０の左側エッジ及び右側エッジはベンディングされて、表示パネル１２０の基板１２１の正面に配置された構成要素に接することができる。
【０１８５】
図１８〜図２０を参照すると、バックカバー１８１０、１９１０、２０１０の左側エッジ及び右側エッジと表示パネル１２０の間の空間に第３接着層ＡＤ３が配置される。第３接着層ＡＤ３は、バックカバー１８１０、１９１０、２０１０と表示パネル１２０の側面の間を充填する。具体的に、第３接着層ＡＤ３は、左側エッジと右側エッジに隣接したバックカバー１８１０、１９１０、２０１０の一面の一部と表示パネル１２０の側面の間を充填できる。例えば、図１８を参照すると、第３接着層ＡＤ３は、バックカバー１８１０、表示パネル１２０の第１接着層ＡＤ１、封止基板１２５、第２接着層ＡＤ２及びバッファ層１２２がなす空間を充填できる。また、図１９を参照すると、第３接着層ＡＤ３は、バックカバー１９１０、表示パネル１２０の第１接着層ＡＤ１、封止基板１２５、第２接着層ＡＤ２、バッファ層１２２及び基板１２１の側面がなす空間を充填できる。また、図２０を参照すると、第３接着層ＡＤ３は、バックカバー２０１０、表示パネル１２０の第１接着層ＡＤ１、封止基板１２５、第２接着層ＡＤ２、バッファ層１２２及び基板１２１の側面及び正面がなす空間を充填できる。
【０１８６】
第３接着層ＡＤ３は、バックカバー１８１０、１９１０、２０１０の左側エッジ及び右側エッジが表示パネル１２０に接する状態を維持するようにバックカバー１８１０、１９１０、２０１０と表示パネル１２０とを互いに固定できる。第３接着層ＡＤ３は例えば、エポキシ（ｅｐｏｘｙ）系列の非伝導性接着剤とできるが、これに制限されない。
【０１８７】
また、第３接着層ＡＤ３は、ソフトな特性を持つ物質とできる。ソフトな特性の第３接着層ＡＤ３に外部からの衝撃が加えられても、衝撃を吸収及び緩衝することができ、表示パネル１２０及びバックカバー１８１０、１９１０、２０１０を保護することができる。第３接着層ＡＤ３は、低いモジュラスを有する物質とすることができ、例えば、０．０５ＭＰａ〜５ＭＰａのモジュラスを有する物質とできるが、これに制限されない。
【０１８８】
一方、第３接着層ＡＤ３は、表示パネル１２０の側面に浸透する水分及び酸素を最小化することができる。第３接着層ＡＤ３が表示パネル１２０の側面を囲む形状に充填することで、表示パネル１２０の側面における水分及び酸素の浸透経路を増加できる。従って、第３接着層ＡＤ３が配置されて表示パネル１２０を水分及び酸素から保護して、表示パネル１２０の信頼性を向上できる。
【０１８９】
また、第３接着層ＡＤ３は吸湿剤を含むことができる。第３接着層ＡＤ３に含まれた吸湿剤は、吸湿性を持つパーティクルとできる。吸湿剤は、外部から表示パネル１２０に水分及び酸素が浸透することを最小化できる。
【０１９０】
本発明の多様な実施例による表示装置では、バックカバー１８１０、１９１０、２０１０の左側エッジ及び右側エッジをベンディングして鋭いエッジを改善することができる。具体的に、バックカバー１８１０、１９１０、２０１０の左側エッジ及び右側エッジは、非常に薄くて鋭く危険であり、外部の衝撃にも脆弱で容易に変形され得る。このようなバックカバー１８１０、１９１０、２０１０の左側エッジ及び右側エッジを表示パネル１２０に接するようにベンディングしてバックカバー１８１０、１９１０、２０１０の最左側部分ＥＬ及び最右側部分ＥＲがラウンド形状を有し得る。例えば、図１８を参照すると、バックカバー１８１０の左側エッジ及び右側エッジはベンディングされて表示パネル１２０の背面に接し得る。図１９を参照すると、バックカバー１９１０の左側エッジ及び右側エッジはベンディングされて表示パネル１２０の側面に接することができる。図２０を参照すると、バックカバー２０１０の左側エッジ及び右側エッジは表示パネル１２０の基板１２１の正面に接することができる。図１８〜図２０のバックカバー１８１０、１９１０、２０１０では、左側エッジ及び右側エッジを表示パネル１２０に接するようにベンディングでき、バックカバー１８１０、１９１０、２０１０の最左側部分ＥＬ及び最右側部分ＥＲがラウンド形状を有し得る。そこで、本発明の多様な実施例による表示装置では、バックカバー１８１０、１９１０、２０１０の左側エッジ及び右側エッジをベンディングしてバックカバー１８１０、１９１０、２０１０の最左側部分及び最右側部分がラウンド形状を有するようにして、鋭いエッジを改善することができ、鋭いエッジから使用者の負傷を最小化できる。
【０１９１】
また、本発明の多様な実施例による表示装置では、バックカバー１８１０、１９１０、２０１０と表示パネル１２０の側面の間の空間に第３接着層ＡＤ３を充填して表示部ＤＰｃ、ＤＰｄ、ＤＰｅの側面剛性を高めることができる。具体的に、第３接着層ＡＤ３は、低いモジュラスを有するソフトな特性の物質からなり、衝撃を吸収及び緩衝することができる。このような第３接着層ＡＤ３をバックカバー１８１０、１９１０、２０１０と表示パネル１２０の側面の間の空間に充填して、表示部ＤＰｃ、ＤＰｄ、ＤＰｅの側面で衝撃を吸収及び緩衝することができる。例えば、図１８を参照すると、バックカバー１８１０の左側エッジ及び右側エッジを、表示パネル１２０の背面に接するようにベンディングし、第３接着層ＡＤ３を、バックカバー１８１０と表示パネル１２０の背面の間の空間に充填できる。図１９を参照すると、バックカバー１９１０の左側エッジ及び右側エッジを、表示パネル１２０の側面に接するようにベンディングし、第３接着層ＡＤ３を、バックカバー１９１０と表示パネル１２０の背面及び側面の間の空間に充填できる。最後に、図２０を参照すると、バックカバー２０１０の左側エッジ及び右側エッジは、表示パネル１２０の正面に接するようにベンディングされ、第３接着層ＡＤ３は、バックカバー２０１０と表示パネル１２０の背面、側面及び正面の間の空間に充填されることができる。従って、本発明の多様な実施例による表示装置では、バックカバー１８１０、１９１０、２０１０と表示パネル１２０の間の空間にソフトな特性の第３接着層ＡＤ３を充填し、表示部ＤＰｃ、ＤＰｄ、ＤＰｅのバックカバー１８１０、１９１０、２０１０及び表示パネル１２０に加えられる外部の衝撃を第３接着層ＡＤ３で緩和することができ、表示部ＤＰｃ、ＤＰｄ、ＤＰｅの損傷を最小化することができる。
【０１９２】
さらに、本発明の多様な実施例による表示装置では、バックカバー１８１０、１９１０、２０１０と表示パネル１２０の間の空間に充填された第３接着層ＡＤ３が表示パネル１２０の側面に水分及び酸素が浸透することを最小化して表示装置の信頼性を向上できる。具体的に、バックカバー１８１０、１９１０、２０１０の左側エッジ及び右側エッジはベンディングされて表示パネル１２０に接することができ、バックカバー１８１０、１９１０、２０１０と表示パネル１２０の間の空間に第３接着層ＡＤ３を充填できる。そして、第３接着層ＡＤ３を、表示パネル１２０の側面を囲むように充填し、表示パネル１２０の側面に水分及び酸素の浸透経路を増加できる。例えば、図１８〜図２０を参照すると、バックカバー１８１０、１９１０、２０１０の左側エッジ及び右側エッジを、表示パネル１２０の背面、側面または正面に接するようにベンディングでき、バックカバー１８１０、１９１０、２０１０を、表示パネル１２０の画素部１２３の側面を囲むように配置できる。そして、表示パネル１２０の画素部１２３の側面とバックカバー１８１０、１９１０、２０１０の間に第３接着層ＡＤ３が充填され、画素部１２３の側面に水分及び酸素の浸透を最小化できる。また、第３接着層ＡＤ３は、吸湿性を持つ吸湿剤をさらに含み、吸湿剤から水分及び酸素浸透の防止効果を向上できる。そこで、本発明の多様な実施例による表示装置では、バックカバー１８１０、１９１０、２０１０の左側エッジ及び右側エッジをベンディングしてバックカバー１８１０、１９１０、２０１０と表示パネル１２０の側面の間に第３接着層ＡＤ３を充填して、表示パネル１２０の側面に外部の水分及び酸素が浸透することを最小化できる。
【０１９３】
＜補助封止層を使用した透湿防止の強化＞
図２１は、本発明のまた他の実施例による表示装置の表示部の平面図である。図２１の表示部ＤＰｆは、図１９の表示部ＤＰｄと比べて補助封止層１２４ａのみが追加されただけで、他の構成は実質的に同一であるので、重複説明は省略する。
【０１９４】
図２１を参照すると、補助封止層１２４ａは、バックカバー８１０上で、表示パネル１２０の上側エッジを覆うように配置される。具体的に、補助封止層１２４ａは、表示パネル１２０の上側エッジを覆うように、表示パネル１２０上側エッジに隣接するバックカバー８１０の正面一部及び表示パネル１２０の上側エッジに隣接する表示パネル１２０の正面一部を覆うことができる。
【０１９５】
補助封止層１２４ａは、例えば、エポキシ系列またはアクリル系列の非伝導性物質とできるが、これに制限されない。また、補助封止層１２４ａは、吸湿剤をさらに含むこともできる。補助封止層１２４ａに含まれた吸湿剤は、吸湿性を持つパーティクルとできる。吸湿剤は、外部から表示パネル１２０に水分及び酸素が浸透することを最小化できる。
【０１９６】
本発明のまた他の実施例による表示装置では、バックカバー８１０上に配置された表示パネル１２０の上側エッジを覆うように補助封止層１２４ａがさらに配置されて、表示パネル１２０を外部の水分及び酸素から保護できる。バックカバー８１０上に配置された表示パネル１２０の左側エッジ及び右側エッジは、第３接着層ＡＤ３によって保護される一方、表示パネル１２０の上側エッジは、外部にそのまま露出して酸素及び水分を浸透できる。この時、補助封止層１２４ａが表示パネル１２０の上側エッジを覆うように配置されて、表示パネル１２０の上側を密封できる。即ち、補助封止層１２４ａは、表示パネル１２０の上側を囲むように配置され、表示パネル１２０の上側に水分及び酸素が浸透する経路を増加させるか遮断して水分及び酸素が表示パネル１２０に浸透することを最小化できる。また、補助封止層１２４ａは、水分及び酸素を吸収できる吸湿剤をさらに含むことができる。従って、本発明のまた他の実施例による表示装置では、表示パネル１２０のエッジのうち上側エッジを覆う補助封止層１２４ａをさらに配置して、表示パネル１２０の内部に水分及び酸素が浸透することを最小化して表示パネル１２０の信頼性を向上できる。
【０１９７】
一方、図２１では、表示パネル１２０の上側エッジを覆うように補助封止層１２４ａが配置されたと図示したが、これに制限されず、補助封止層１２４ａは、表示パネル１２０の下側エッジをさらに覆うように配置され得る。
【０１９８】
＜表示装置のワインディング及びアンワインディングガイド＞
図２２は、本発明のまた他の実施例による表示装置の表示部の平面図である。図２３は、図２２の表示部がローラにワインディングされた状態の断面図である。具体的に、図２３は、バックカバー２２１０及び表示パネル１２０がローラ１５１にワインディングされた状態で、バックカバー２２１０、表示パネル１２０及びローラ１５１を正面からみた断面図である。図２２及び図２３の表示部ＤＰｇは、図１７の表示部ＤＰｂと比べてバックカバー２２１０のみが異なるだけで、他の構成は実質的に同一であるので、重複説明は省略する。説明の便宜のために、図２２では、表示部ＤＰｇの構成のうちバックカバー２２１０及び表示パネル１２０のみを概略的に図示した。
【０１９９】
図２２を参照すると、バックカバー２２１０は台形状である。バックカバー２２１０の下側エッジの長さは、バックカバー２２１０の上側エッジの長さより長い。そこで、バックカバー２２１０の左側エッジ及び右側エッジを、バックカバー２２１０の下側エッジに対して傾斜して配置できる。換言すると、バックカバー２２１０の左側エッジ及び右側エッジを、バックカバー２２１０の上側エッジに対して傾斜して配置できる。従って、バックカバー２２１０の一部分でバックカバー２２１０の左側エッジと右側エッジ間の幅は、バックカバー２２１０の他の部分でバックカバー２２１０の左側エッジと右側エッジ間の幅と異なることができる。例えば、バックカバー２２１０の上端部分でバックカバー２２１０の左側エッジ及び右側エッジ間の幅は、バックカバー２２１０の下端部分でバックカバー２２１０の左側エッジ及び右側エッジ間の幅より狭くできる。このように、バックカバー２２１０は、上端に行くほど狭くなる台形状とできる。但し、これに制限されず、下端から上端に行くほど幅が増加する任意の形状全てがバックカバー２２１０に適用され得る。
【０２００】
一方、バックカバー２２１０の左側エッジ及び右側エッジは、バックカバー２２１０の正面に接するようにベンディングされる。具体的に、バックカバー２２１０の左側エッジ及び右側エッジは、表示パネル１２０が付着したバックカバー２２１０の正面に接するようにベンディングされる。そこで、ベンディングされた状態のバックカバー２２１０の最左側部分ＥＬ及び最右側部分ＥＲの全体厚さは、バックカバー２２１０の既存の厚さより厚くできる。バックカバー２２１０の最左側部分ＥＬ及び最右側部分ＥＲの全体厚さは、バックカバー２２１０の厚さと表示パネル１２０の厚さの合計より厚くできる。また、バックカバー２２１０の左側エッジ及び右側エッジをベンディングすることで、バックカバー２２１０の薄くて鋭い左側エッジ及び右側エッジを改善できる。
【０２０１】
一方、バックカバー２２１０を台形で形成することで、バックカバー２２１０のワインディング時に、ベンディングされた状態のバックカバー２２１０の最左側部分ＥＬ及び最右側部分ＥＲがバックカバー２２１０の他の部分と互いに干渉しないようにできる。また、ベンディングされた状態のバックカバー２２１０の最左側部分ＥＬ及び最右側部分ＥＲがバックカバー２２１０のワインディングをガイドできる。
【０２０２】
さらに詳しい説明のために、バックカバー２２１０がローラ１５１に完全にワインディングされるためには、ローラ１５１が３周回転しなければならず、ローラ１５１が１回転した時にローラ１５１にバックカバー２２１０の下端領域がワインディングされ、ローラ１５１が２回転した時にローラ１５１にバックカバー２２１０の中央領域がワインディングされ、ローラ１５１が３回転した時にローラ１５１にバックカバー２２１０の上端領域がワインディングされると仮定して説明する。但し、ローラ１５１にバックカバー２２１０が完全にワインディングされるために必要なローラ１５１の回転数は設計によって変えることができ、ローラ１５１の回転数によってバックカバー２２１０の下側エッジの長さ及び上側エッジの長さも変えることができ、これに制限されない。
【０２０３】
先ず、ベンディングされた状態のバックカバー２２１０の最左側部分ＥＬは、第１左側部分ＥＬ１、第２左側部分ＥＬ２及び第３左側部分ＥＬ３を含むことができる。ベンディングされた状態のバックカバー２２１０の最右側部分ＥＲは、第１右側部分ＥＲ１、第２右側部分ＥＲ２及び第３右側部分ＥＲ３を含むことができる。
【０２０４】
第１左側部分ＥＬ１及び第１右側部分ＥＲ１は、バックカバー２２１０の下端部分における最左側部分及び最右側部分で、図２３に示すように、ローラにワインディングされた時にローラに最も近く配置される層を構成する部分である。第２左側部分ＥＬ２及び第２右側部分ＥＲ２は、バックカバー２２１０の中央部分における最左側部分及び最右側部分であり、図２３に示すように、ローラにワインディングされた時にローラに２番目に近く配置される層を構成する部分である。第３左側部分ＥＬ３及び第３右側部分ＥＲ３は、バックカバー２２１０の上端部分における最左側部分及び最右側部分であり、図２３に示すように、ローラにワインディングされた時にローラに最も遠く配置される層を構成する部分である。
【０２０５】
図２３を共に参照すると、第１左側部分ＥＬ１及び第１右側部分ＥＲ１は、ローラ１５１に最も先にワインディングされる。従って、ローラ１５１の外周面に第１左側部分ＥＬ１及び第１右側部分ＥＲ１が直接接することができる。
【０２０６】
第１左側部分ＥＬ１及び第１右側部分ＥＲ１がローラ１５１にワインディングされた状態で、第２左側部分ＥＬ２及び第２右側部分ＥＲ２を、第１左側部分ＥＬ１及び第１右側部分ＥＲ１上にワインディングできる。しかし、第２左側部分ＥＬ２及び第２右側部分ＥＲ２は、第１左側部分ＥＬ１及び第１右側部分ＥＲ１の上端に重畳して配置されず、第１左側部分ＥＬ１及び第１右側部分ＥＲ１間のバックカバー２２１０の下端部分に重畳して配置される。
【０２０７】
第２左側部分ＥＬ２及び第２右側部分ＥＲ２は、第１左側部分ＥＬ１及び第１右側部分ＥＲ１よりローラ１５１の中心に近く配置される。具体的に、バックカバー２２１０は、下端から上端に行くほど左側エッジ及び右側エッジ間の幅が狭くなる。そこで、第２左側部分ＥＬ２及び第２右側部分ＥＲ２が配置されたバックカバー２２１０の中央部分の幅は、第１左側部分ＥＬ１及び第１右側部分ＥＲ１が配置されたバックカバー２２１０の下端部分の幅より狭い。従って、第２左側部分ＥＬ２及び第２右側部分ＥＲ２間の幅は、第１左側部分ＥＬ１及び第１右側部分ＥＲ１間の幅より狭い。従って、第２左側部分ＥＬ２及び第２右側部分ＥＲ２を、第１左側部分ＥＬ１及び第１右側部分ＥＲ１の内側に配置できる。
【０２０８】
第１左側部分ＥＬ１、第１右側部分ＥＲ１、第２左側部分ＥＬ２及び第２右側部分ＥＲ２がローラ１５１にワインディングされた状態で、第３左側部分ＥＬ３及び第３右側部分ＥＲ３を、第２左側部分ＥＬ２及び第２右側部分ＥＲ２上にワインディングできる。第３左側部分ＥＬ３及び第３右側部分ＥＲ３を、第２左側部分ＥＬ２及び第２右側部分ＥＲ２に重畳して配置されず、第２左側部分ＥＬ２及び第２右側部分ＥＲ２間のバックカバー２２１０の中央部分に重畳して配置できる。
【０２０９】
第３左側部分ＥＬ３及び第３右側部分ＥＲ３を、第２左側部分ＥＬ２及び第２右側部分ＥＲ２よりローラ１５１の中心に近く配置できる。具体的に、第３左側部分ＥＬ３及び第３右側部分ＥＲ３が配置されたバックカバー２２１０の上端部分の幅は、第２左側部分ＥＬ２及び第２右側部分ＥＲ２が配置されたバックカバー２２１０の中央部分の幅より狭い。従って、第３左側部分ＥＬ３及び第３右側部分ＥＲ３間の幅を、第２左側部分ＥＬ２及び第２右側部分ＥＲ２間の幅より狭い。従って、第３左側部分ＥＬ３及び第３右側部分ＥＲ３は、第２左側部分ＥＬ２及び第２右側部分ＥＲ２の内側に配置できる。
【０２１０】
一方、ローラ１５１にバックカバー２２１０がワインディングされた状態で、第１左側部分ＥＬ１及び第１右側部分ＥＲ１の最上部は、表示パネル１２０より突き出し、第２左側部分ＥＬ２及び第２右側部分ＥＲ２の下面より突き出して配置される。従って、バックカバー２２１０のワインディング時に、第２左側部分ＥＬ２及び第２右側部分ＥＲ２は、第１左側部分ＥＬ１及び第１右側部分ＥＲ１の外側に移動することができない。
【０２１１】
また、突き出した第１左側部分ＥＬ１及び第１右側部分ＥＲ１の側面は、第２左側部分ＥＬ２及び第２右側部分ＥＲ２の側面とそれぞれ接することができる。従って、ローラ１５１にバックカバー２２１０がワインディングされる時、第２左側部分ＥＬ２及び第２右側部分ＥＲ２は、第１左側部分ＥＬ１及び第１右側部分ＥＲ１の側面に接しながら、第１左側部分ＥＬ１及び第１右側部分ＥＲ１の内側のみに配置されるようにガイドすることができる。従って、バックカバー２２１０のワインディング時に、バックカバー２２１０の正面に突き出した第１左側部分ＥＬ１及び第１右側部分ＥＲ１は、第２左側部分ＥＬ２及び第２右側部分ＥＲ２が配置されたバックカバー２２１０の中央部分がローラ１５１に安定してワインディングするようにガイドすることができる。
【０２１２】
同様に、ローラ１５１にバックカバー２２１０がワインディングされた状態で、第２左側部分ＥＬ２及び第２右側部分ＥＲ２の最上部は、第３左側部分ＥＬ３及び第３右側部分ＥＲ３の下面より突き出して配置される。従って、バックカバー２２１０のワインディング時に、第３左側部分ＥＬ３及び第３右側部分ＥＲ３を、第２左側部分ＥＬ２及び第２右側部分ＥＲ２の間のみに配置でき、第２左側部分ＥＬ２及び第２右側部分ＥＲ２の外側に移動することができない。
【０２１３】
また、突き出した第２左側部分ＥＬ２及び第２右側部分ＥＲ２の側面は、第３左側部分ＥＬ３及び第３右側部分ＥＲ３の側面とそれぞれ接することができる。従って、ローラ１５１にバックカバー２２１０がワインディングされる時、第３左側部分ＥＬ３及び第３右側部分ＥＲ３は、第２左側部分ＥＬ２及び第２右側部分ＥＲ２の側面に接しながら、第２左側部分ＥＬ２及び第２右側部分ＥＲ２の内側のみに配置されるようにガイドすることができる。従って、バックカバー２２１０のワインディング時に、バックカバー２２１０の正面に突き出した第２左側部分ＥＬ２及び第２右側部分ＥＲ２は、第３左側部分ＥＬ３及び第３右側部分ＥＲ３が配置されたバックカバー２２１０の上端部分がローラ１５１に安定してワインディングするようにガイドすることができる。
【０２１４】
但し、バックカバー２２１０のワインディングをガイドすることができれば、第１左側部分ＥＬ１及び第１右側部分ＥＲ１の側面と第２左側部分ＥＬ２及び第２右側部分ＥＲ２の側面が接せず離隔してもよく、第２左側部分ＥＬ２及び第２右側部分ＥＲ２の側面と第３左側部分ＥＬ３及び第３右側部分ＥＲ３の側面が接せず離隔してもよく、これに制限されない。
【０２１５】
一方、図２２及び図２３において、バックカバー２２１０の全体平面状が台形であると図示したが、ローラ１５１にワインディングまたはアンワインディングされるバックカバー２２１０の一部領域のみを台形状で形成することができ、これに制限されない。例えば、ローラ１５１にバックカバー２２１０の第２支持領域ＰＡ２、第３延性領域ＭＡ３、第４支持領域ＰＡ４、第２延性領域ＭＡ２のみがワインディングまたはアンワインディングされ、バックカバー２２１０の第１支持領域ＰＡ１、第１延性領域ＭＡ１及び第３支持領域ＰＡ３は常に平坦な状態を維持する場合、バックカバー２２１０の第２支持領域ＰＡ２、第３延性領域ＭＡ３、第４支持領域ＰＡ４、第２延性領域ＭＡ２を台形で形成し、第１支持領域ＰＡ１、第１延性領域ＭＡ１及び第３支持領域ＰＡ３は、左側エッジと右側エッジ間の幅が一定の長方形状で形成することができる。
【０２１６】
本発明のまた他の実施例による表示装置では、バックカバー２２１０のワインディング時に、バックカバー２２１０の正面に左側エッジ及び右側エッジがベンディングして突き出した最左側部分ＥＬ及び最右側部分ＥＲと、バックカバー２２１０の背面間の干渉を最小化するために、バックカバー２２１０は、下端から上端に行くほど幅が狭くなる台形状からなることができる。具体的に、バックカバー２２１０の左側エッジ及び右側エッジは、バックカバー２２１０の両面のうち表示パネル１２０が付着した面に向かってベンディングして突き出すことができる。そして、バックカバー２２１０は、下側エッジの長さが上側エッジの長さよりさらに長い台形状からなる。従って、ワインディング時にローラ１５１の回転数が増加するほど、ローラ１５１にワインディングされるバックカバー２２１０の左側エッジ及び右側エッジ間の幅も減少する。従って、バックカバー２２１０の正面にベンディングして突き出した最左側部分ＥＬ及び最右側部分ＥＲ上にバックカバー２２１０の他の部分がさらにワインディングされても、バックカバー２２１０の幅は次第に狭くなるので、バックカバー２２１０の他の部分を、突き出した最左側部分ＥＬと最右側部分ＥＲの間に配置できる。従って、本発明のまた他の実施例による表示装置では、バックカバー２２１０を台形状に形成して、バックカバー２２１０の正面に突き出した最左側部分ＥＬ及び最右側部分ＥＲとバックカバー２２１０の背面が互いに干渉しないようにできる。
【０２１７】
また、本発明のまた他の実施例による表示装置では、バックカバー２２１０の突き出した最左側部分ＥＬ及び最右側部分ＥＲがバックカバー２２１０のワインディング及びアンワインディングをガイドすることができる。例えば、ローラ１５１が１回転した時、ローラ１５１にワインディングされたバックカバー２２１０の第１左側部分ＥＬ１及び第１右側部分ＥＲ１は、ローラ１５１の中心から最も遠い所に配置される。次いで、ローラ１５１が２回転した時、ローラ１５１にワインディングされたバックカバー２２１０の第２左側部分ＥＬ２及び第２右側部分ＥＲ２を、第１左側部分ＥＬ１と第１右側部分ＥＲ１の間に配置できる。最後に、ローラ１５１が３回転した時、ローラ１５１にワインディングされたバックカバー２２１０の第３左側部分ＥＬ３及び第３右側部分ＥＲ３を、第２左側部分ＥＬ２と第２右側部分ＥＲ２の間に配置できる。このように、ローラ１５１にワインディングされるバックカバー２２１０の左側エッジ及び右側エッジを重畳しないようにワインディングできる。この時、第１左側部分ＥＬ１及び第１右側部分ＥＲ１は、第２左側部分ＥＬ２及び第２右側部分ＥＲ２の下面より突き出して、第２左側部分ＥＬ２及び第２右側部分ＥＲ２が第１左側部分ＥＬ１及び第１右側部分ＥＲ１の外側に移動せず、第１左側部分ＥＬ１及び第１右側部分ＥＲ１の間だけに配置されるようにガイドすることができる。同様に、第２左側部分ＥＬ２及び第２右側部分ＥＲ２は、第３左側部分ＥＬ３及び第３右側部分ＥＲ３の下面より突き出して、第３左側部分ＥＬ３及び第３右側部分ＥＲ３が第２左側部分ＥＬ２及び第２右側部分ＥＲ２の間だけに配置されるようにガイドすることができる。従って、本発明のまた他の実施例による表示装置では、バックカバー２２１０の正面から突き出した最左側部分ＥＬ及び最右側部分ＥＲがバックカバー２２１０がローラ１５１にワインディングまたはアンワインディングされることをガイドすることができ、バックカバー２２１０が設計された位置から離脱することを最小化することができる。
【０２１８】
さらに、本発明のまた他の実施例による表示装置では、バックカバー２２１０の左側エッジ及び右側エッジをベンディングして鋭いエッジを改善することができる。具体的に、バックカバー２２１０は、非常に薄くて剛性の高い材質からなることができ、バックカバー２２１０の左側エッジ及び右側エッジは非常に鋭いことができる。そこで、バックカバー２２１０の左側エッジ及び右側エッジをバックカバー２２１０の正面、つまり、バックカバー２２１０の表示パネル１２０が付着した面にベンディングすることができる。左側エッジ及び右側エッジがベンディングされたバックカバー２２１０の最左側部分ＥＬ及び最右側部分ＥＲはラウンド形状を有するので、バックカバー２２１０の鋭いエッジを改善することができ、使用者の負傷危険を最小化することができる。
【０２１９】
図２４は、本発明のまた他の実施例による表示装置の表示部の平面図である。図２５は、図２４の表示部がローラにワインディングされた状態の断面図である。図２４及び図２５の表示部ＤＰｈは、図２２及び図２３の表示部ＤＰｇと比べてバックカバー２４１０が異なり、ガイド部ＧＰＬ、ＧＰＲが追加されただけで、他の構成は実質的に同一であるので、重複説明は省略する。
【０２２０】
図２４を参照すると、バックカバー２４１０の左側エッジに左側ガイド部ＧＰＬを配置し、バックカバー２４１０の右側エッジに右側ガイド部ＧＰＲを配置する。左側ガイド部ＧＰＬを、バックカバー２４１０の左側エッジを囲むように配置し、右側ガイド部ＧＰＲを、バックカバー２４１０の右側エッジを囲むように配置できる。但し、左側ガイド部ＧＰＬ及び右側ガイド部ＧＰＲは、バックカバーの左側エッジ及び右側エッジに接するように配置されてもよく、これに制限されない。
【０２２１】
左側ガイド部ＧＰＬは、第１左側ガイド部ＧＰＬ１、第２左側ガイド部ＧＰＬ２及び第３左側ガイド部ＧＰＬ３を含むことができる。右側ガイド部ＧＰＲは、第１右側ガイド部ＧＰＲ１、第２右側ガイド部ＧＰＲ２及び第３右側ガイド部ＧＰＲ３を含むことができる。
【０２２２】
第１左側ガイド部ＧＰＬ１及び第１右側ガイド部ＧＰＲ１は、それぞれバックカバー２４１０の下端部分の第１左側部分ＥＬ１及び第１右側部分ＥＲ１を囲むように配置される。第２左側ガイド部ＧＰＬ２及び第２右側ガイド部ＧＰＲ２は、それぞれバックカバー２４１０の中央部分の第２左側部分ＥＬ２及び第２右側部分ＥＲ２を囲むように配置される。第３左側ガイド部ＧＰＬ３及び第３右側ガイド部ＧＰＲ３は、それぞれバックカバー２４１０の上端部分の第３左側部分ＥＬ３及び第３右側部分ＥＲ３を囲むように配置される。
【０２２３】
一方、左側ガイド部ＧＰＬ及び右側ガイド部ＧＰＲは、バックカバー２４１０と共にローラ１５１にワインディングされるためにフレキシビリティを有する物質からなることができ、例えば、ポリマー、ゴムなどからなることができるが、これに制限されない。
【０２２４】
また、左側ガイド部ＧＰＬ及び右側ガイド部ＧＰＲは、バックカバー２４１０の薄くて鋭い左側エッジ及び右側エッジを囲み、左側ガイド部ＧＰＬ及び右側ガイド部ＧＰＲの外面のうち少なくとも一部が緩い曲面からなることで、エッジがベンディングされない状態のバックカバー２４１０の鋭いエッジを改善することができる。
【０２２５】
図２５を参照すると、左側ガイド部ＧＰＬ及び右側ガイド部ＧＰＲの下面は、バックカバー２４１０の背面と同一平面上に配置される。即ち、左側ガイド部ＧＰＬ及び右側ガイド部ＧＰＲの下面を、バックカバー２４１０の背面と段差なく、ローラ１５１の表面に共に密着してワインディングできる。
【０２２６】
一方、左側ガイド部ＧＰＬ及び右側ガイド部ＧＰＲの厚さは、バックカバー２４１０及び表示パネル１２０の厚さの合計より厚くできる。例えば、バックカバー２４１０の背面でかつ左側ガイド部ＧＰＬの下面から左側ガイド部ＧＰＬの上端までの第１高さＸは、バックカバー２４１０の背面から表示パネル１２０の正面までの第２高さＹより高い。また、バックカバー２４１０の背面でかつ右側ガイド部ＧＰＲの下面から右側ガイド部ＧＰＲの上端までの第１高さＸは、バックカバー２４１０の背面から表示パネル１２０の正面までの第２高さＹより高い。
【０２２７】
左側ガイド部ＧＰＬ及び右側ガイド部ＧＰＲの厚さである第１高さＸは、バックカバー２４１０及び表示パネル１２０の厚さである第２高さＹの二倍値より小さいか同一とできる。例えば、バックカバー２４１０及び表示パネル１２０の厚さである第２高さＹと左側ガイド部ＧＰＬ及び右側ガイド部ＧＰＲの厚さである第１高さＸは、下記の［数式２］を満すことができる。
【数２】
2020003794.tif 000004
【０２２８】
従って、左側ガイド部ＧＰＬ及び右側ガイド部ＧＰＲの厚さは、バックカバー２４１０及び表示パネル１２０の厚さより厚いが、バックカバー２４１０及び表示パネル１２０の厚さの二倍よりは小さいことができる。
【０２２９】
一方、第１左側ガイド部ＧＰＬ１及び第１右側ガイド部ＧＰＲ１は、ローラ１５１に最も先にワインディングされる。具体的に、バックカバー２４１０の下側エッジがローラ１５１に締結され、バックカバー２４１０の下端部分の左側エッジ及び右側エッジがローラ１５１に最も先にワインディングされる。そこで、バックカバー２４１０の下端部分の左側エッジ及び右側エッジを囲む第１左側ガイド部ＧＰＬ１及び第１右側ガイド部ＧＰＲ１も、ローラ１５１に最も先にワインディングされてローラ１５１の外周面に接することができる。
【０２３０】
第１左側ガイド部ＧＰＬ１及び第１右側ガイド部ＧＰＲ１がローラ１５１にワインディングされた状態で、第２左側ガイド部ＧＰＬ２及び第２右側ガイド部ＧＰＲ２を、第１左側ガイド部ＧＰＬ１及び第１右側ガイド部ＧＰＲ１上にワインディングできる。この時、第２左側ガイド部ＧＰＬ２及び第２右側ガイド部ＧＰＲ２を、第１左側ガイド部ＧＰＬ１及び第１右側ガイド部ＧＰＲ１に重畳せず、第１左側ガイド部ＧＰＬ１及び第１右側ガイド部ＧＰＲ１間のバックカバー２４１０の下端部分に重畳して配置できる。
【０２３１】
第２左側ガイド部ＧＰＬ２及び第２右側ガイド部ＧＰＲ２は、第１左側ガイド部ＧＰＬ１及び第１右側ガイド部ＧＰＲ１よりローラ１５１の中心に近く配置される。具体的に、バックカバー２４１０は、下端から上端に行くほど幅が狭くなる台形状からなる。そこで、バックカバー２４１０の下端領域で左側エッジ及び右側エッジを囲む第１左側ガイド部ＧＰＬ１及び第１右側ガイド部ＧＰＲ１の幅は、バックカバー２４１０の上端領域で左側エッジ及び右側エッジを囲む第２左側ガイド部ＧＰＬ２及び第２右側ガイド部ＧＰＲ２の幅より広い。従って、第２左側ガイド部ＧＰＬ２及び第２右側ガイド部ＧＰＲ２を、第１左側ガイド部ＧＰＬ１及び第１右側ガイド部ＧＰＲ１よりバックカバー２４１０の中央にさらに近く配置できる。
【０２３２】
第１左側ガイド部ＧＰＬ１、第１右側ガイド部ＧＰＲ１、第２左側ガイド部ＧＰＬ２及び第２右側ガイド部ＧＰＲ２がローラ１５１にワインディングされた状態で、第３左側ガイド部ＧＰＬ３及び第３右側ガイド部ＧＰＲ３を第２左側ガイド部ＧＰＬ２及び第２右側ガイド部ＧＰＲ２上にワインディングできる。そして、第３左側ガイド部ＧＰＬ３及び第３右側ガイド部ＧＰＲ３を、第２左側ガイド部ＧＰＬ２及び第２右側ガイド部ＧＰＲ２に重畳せず、第２左側ガイド部ＧＰＬ２及び第２右側ガイド部ＧＰＲ２間のバックカバー２４１０の中央部分に重畳して配置できる。
【０２３３】
第３左側ガイド部ＧＰＬ３及び第３右側ガイド部ＧＰＲ３も、第２左側ガイド部ＧＰＬ２及び第２右側ガイド部ＧＰＲ２よりローラ１５１の中心に近く配置できる。具体的に、第３左側ガイド部ＧＰＬ３及び第３右側ガイド部ＧＰＲ３が配置されたバックカバー２４１０の上端部分の幅は、第２左側ガイド部ＧＰＬ２及び第２右側ガイド部ＧＰＲ２が配置されたバックカバー２４１０の中央部分の幅より狭い。従って、第３左側ガイド部ＧＰＬ３及び第３右側ガイド部ＧＰＲ３を、第２左側ガイド部ＧＰＬ２及び第２右側ガイド部ＧＰＲ２よりバックカバー２４１０の中央にさらに近く配置できる。
【０２３４】
一方、バックカバー２４１０のワインディング時に、ローラ１５１の外周面から第１左側ガイド部ＧＰＬ１及び第１右側ガイド部ＧＰＲ１の最上部は、第２左側ガイド部ＧＰＬ２及び第２右側ガイド部ＧＰＲ２の下面より突き出して配置される。従って、バックカバー２４１０のワインディング時に、第２左側ガイド部ＧＰＬ２及び第２右側ガイド部ＧＰＲ２を、第１左側ガイド部ＧＰＬ１及び第１右側ガイド部ＧＰＲ１の間のみに配置でき、第１左側ガイド部ＧＰＬ１及び第１右側ガイド部ＧＰＲ１の外側に移動することができない。
【０２３５】
また、突き出した第１左側ガイド部ＧＰＬ１及び第１右側ガイド部ＧＰＲ１の側面は、第２左側ガイド部ＧＰＬ２及び第２右側ガイド部ＧＰＲ２の側面とそれぞれ接することができる。従って、ローラ１５１にバックカバー２４１０がワインディングされる時、第２左側ガイド部ＧＰＬ２及び第２右側ガイド部ＧＰＲ２は、第１左側ガイド部ＧＰＬ１及び第１右側ガイド部ＧＰＲ１の側面に接しながら、第１左側ガイド部ＧＰＬ１及び第１右側ガイド部ＧＰＲ１の内側のみに配置されるようにガイドすることができる。従って、バックカバー２４１０のワインディング時に、バックカバー２４１０の正面に突き出した第１左側ガイド部ＧＰＬ１及び第１右側ガイド部ＧＰＲ１は、第２左側ガイド部ＧＰＬ２及び第２右側ガイド部ＧＰＲ２が配置されたバックカバー２４１０の中央部分がローラ１５１に安定してワインディングするようにガイドすることができる。
【０２３６】
同様に、ローラ１５１にバックカバー２４１０がワインディングされた状態で、第２左側ガイド部ＧＰＬ２及び第２右側ガイド部ＧＰＲ２の最上部は、第３左側ガイド部ＧＰＬ３及び第３右側ガイド部ＧＰＲ３の下面より突き出して配置される。従って、バックカバー２４１０のワインディング時に、第３左側ガイド部ＧＰＬ３及び第３右側ガイド部ＧＰＲ３を、第２左側ガイド部ＧＰＬ２及び第２右側ガイド部ＧＰＲ２のみに配置でき、第２左側ガイド部ＧＰＬ２及び第２右側ガイド部ＧＰＲ２の外側に移動することができない。
【０２３７】
また、突き出した第２左側ガイド部ＧＰＬ２及び第２右側ガイド部ＧＰＲ２の側面は、第３左側ガイド部ＧＰＬ３及び第３右側ガイド部ＧＰＲ３の側面とそれぞれ接することができる。従って、ローラ１５１にバックカバー２４１０がワインディングされる時、第３左側ガイド部ＧＰＬ３及び第３右側ガイド部ＧＰＲ３は、第２左側ガイド部ＧＰＬ２及び第２右側ガイド部ＧＰＲ２の側面に接しながら、第２左側ガイド部ＧＰＬ２及び第２右側ガイド部ＧＰＲ２の内側のみに配置されるようにガイドすることができる。従って、バックカバー２４１０のワインディング時に、バックカバー２４１０の正面に突き出した第２左側ガイド部ＧＰＬ２及び第２右側ガイド部ＧＰＲ２は、第３左側ガイド部ＧＰＬ３及び第３右側ガイド部ＧＰＲ３が配置されたバックカバー２４１０の上端部分がローラ１５１に安定してワインディングするようにガイドすることができる。
【０２３８】
本発明のまた他の実施例による表示装置では、バックカバー２４１０の薄くて鋭い左側エッジ及び右側エッジをそれぞれ囲む左側ガイド部ＧＰＬ及び右側ガイド部ＧＰＲが配置される。バックカバー２４１０の薄くて鋭いエッジは、表示装置の使用者、作業者などが負傷する危険がある。また、バックカバー２４１０が薄いため外部からの衝撃に脆弱であり、バックカバー２４１０の変形が発生し得る。この時、バックカバー２４１０の薄くて鋭いエッジを囲む左側ガイド部ＧＰＬ及び右側ガイド部ＧＰＲは、緩い曲面からなることができ、バックカバー２４１０よりフレキシビリティを有する物質からなることができ、バックカバー２４１０より厚く形成されるため、バックカバー２４１０の薄くて鋭いエッジを改善することができる。また、左側ガイド部ＧＰＬ及び右側ガイド部ＧＰＲは、バックカバー２４１０及び表示パネル１２０より厚い厚さを有するため、バックカバー２４１０の左側エッジ及び右側エッジにおける剛性を向上できる。従って、バックカバー２４１０の側面で外力が加えられても、バックカバー２４１０の変形を最小化できる。
【０２３９】
また、本発明のまた他の実施例による表示装置は、バックカバー２４１０が台形からなることで、バックカバー２４１０の正面に突き出した左側ガイド部ＧＰＬ及び右側ガイド部ＧＰＲが互いに干渉せずにローラ１５１にワインディングできる。バックカバー２４１０は、下側エッジの長さが上側エッジの長さより長い台形状である。即ち、バックカバー２４１０は、下端から上端に行くほど幅が狭くなる台形状である。この時、バックカバー２４１０の下側エッジがローラ１５１に締結されてバックカバー２４１０の下端からローラ１５１にワインディングできる。従って、ローラ１５１に最も先に第１左側ガイド部ＧＰＬ１及び第１右側ガイド部ＧＰＲ１がワインディングされ、次いで、第２左側ガイド部ＧＰＬ２及び第２右側ガイド部ＧＰＲ２がワインディングされる。そして、第１左側ガイド部ＧＰＬ１及び第１右側ガイド部ＧＰＲ１間の幅は、第２左側ガイド部ＧＰＬ２及び第２右側ガイド部ＧＰＲ２間の幅より広い。従って、第１左側ガイド部ＧＰＬ１及び第１右側ガイド部ＧＰＲ１と第２左側ガイド部ＧＰＬ２及び第２右側ガイド部ＧＰＲ２は、互いに重畳しないことができる。次に、第２左側ガイド部ＧＰＬ２及び第２右側ガイド部ＧＰＲ２がワインディングされた後、第３左側ガイド部ＧＰＬ３及び第３右側ガイド部ＧＰＲ３がワインディングされる。そして、第２左側ガイド部ＧＰＬ２及び第２右側ガイド部ＧＰＲ２間の幅は、第３左側ガイド部ＧＰＬ３及び第３右側ガイド部ＧＰＲ３間の幅より広い。従って、第２左側ガイド部ＧＰＬ２及び第２右側ガイド部ＧＰＲ２は、第３左側ガイド部ＧＰＬ３及び第３右側ガイド部ＧＰＲ３と互いに重畳しないことができる。従って、本発明のまた他の実施例による表示装置では、ローラ１５１にバックカバー２４１０がワインディングされる時、バックカバー２４１０の正面から突き出した左側ガイド部ＧＰＬ及び右側ガイド部ＧＰＲ上にバックカバー２４１０の他の部分がさらにワインディングされても、左側ガイド部ＧＰＬ及び右側ガイド部ＧＰＲ間の幅は、バックカバー２４１０の下端から上端に行くほど狭くなるので、バックカバー２４１０の背面と左側ガイド部ＧＰＬ及び右側ガイド部ＧＰＲは互いに干渉しないことができる。
【０２４０】
さらに、本発明のまた他の実施例による表示装置では、左側ガイド部ＧＰＬ及び右側ガイド部ＧＰＲを配置してバックカバー２４１０のワインディング及びアンワインディングをガイドすることができる。具体的に、バックカバー２４１０がワインディングされた状態で、第１左側ガイド部ＧＰＬ１及び第１左側ガイド部ＧＰＬ１上の第２左側ガイド部ＧＰＬ２は互いに重畳せず、第１左側ガイド部ＧＰＬ１の側面に第２左側ガイド部ＧＰＬ２の側面が接しながらワインディングされることができる。そして、ローラ１５１の外周面を基準として、第１左側ガイド部ＧＰＬ１の上面を、第２左側ガイド部ＧＰＬ２の下面よりさらに高く配置できる。従って、第２左側ガイド部ＧＰＬ２は、第１左側ガイド部ＧＰＬ１の上端一部分によって、第１左側ガイド部ＧＰＬ１の外側に移動せず、第１左側ガイド部ＧＰＬ１の内側のみに配置できる。また、ローラ１５１の外周面から第１右側ガイド部ＧＰＲ１の上面が第２右側ガイド部ＧＰＲ２の下面より高く配置され、第１右側ガイド部ＧＰＲ１の側面と第２右側ガイド部ＧＰＲ２の側面を互いに接しながらワインディングできる。従って、第２右側ガイド部ＧＰＲ２を、第１右側ガイド部ＧＰＲ１の上端一部分によって、第１右側ガイド部ＧＰＲ１の外側に移動せず、第１右側ガイド部ＧＰＲ１の内側のみに配置できる。これと同様に、第２左側ガイド部ＧＰＬ２及び第２右側ガイド部ＧＰＲ２は、それぞれ第３左側ガイド部ＧＰＬ３及び第３右側ガイド部ＧＰＲ３が第２左側ガイド部ＧＰＬ２及び第２右側ガイド部ＧＰＲ２の間のみに配置されるようにガイドすることができる。従って、本発明のまた他の実施例による表示装置では、左側ガイド部ＧＰＬ及び右側ガイド部ＧＰＲが互いに側面が接するようにワインディングされることで、バックカバー２４１０のワインディング及びアンワインディングをガイドすることができる。そこで、バックカバー２４１０がローラ１５１にワインディングまたはアンワインディングされる時、バックカバー２４１０が設計された位置から離脱してワインディングまたはアンワインディングされることを最小化することができる。
【０２４１】
図２６は、本発明のまた他の実施例による表示装置のバックカバーの平面図である。図２６の表示部ＤＰｉは、図２４及び図２５の表示部ＤＰｈと比べて、バックカバー２６１０のみが異なるだけで、他の構成は実質的に同一であるので、重複説明は省略する。
【０２４２】
図２６を参照すると、バックカバー２６１０の左側エッジ及び右側エッジは階段状でなる。そして、バックカバー２６１０の第１左側部分ＥＬ１と第１右側部分ＥＲ１間の幅は一定であり、バックカバー２６１０の第２左側部分ＥＬ２と第２右側部分ＥＲ２間の幅は一定であり、バックカバー２６１０の第３左側部分ＥＬ３と第３右側部分ＥＲ３間の幅は一定であることができる。そこで、第１左側ガイド部ＧＰＬ１と第１右側ガイド部ＧＰＲ１間の幅も一定であり、第２左側ガイド部ＧＰＬ２と第２右側ガイド部ＧＰＲ２間の幅も一定であり、第３左側ガイド部ＧＰＬ３と第３右側ガイド部ＧＰＲ３間の幅も一定であることができる。
【０２４３】
一方、バックカバー２６１０の下側エッジから延長した第１左側部分ＥＬ１と第１右側部分ＥＲ１間の幅は、バックカバー２６１０の上側エッジから延長した第３左側部分ＥＬ３と第３右側部分ＥＲ３間の幅より大きくなることができる。バックカバー２６１０の第１左側部分ＥＬ１と第１右側部分ＥＲ１間の幅が最も大きく、バックカバー２６１０の第３左側部分ＥＬ３と第３右側部分ＥＲ３間の幅が最も狭いことができる。即ち、バックカバー２６１０の第１左側部分ＥＬ１と第１右側部分ＥＲ１間の幅、バックカバー２６１０の第２左側部分ＥＬ２と第２右側部分ＥＲ２間の幅、バックカバー２６１０の第３左側部分ＥＬ３と第３右側部分ＥＲ３間の幅の順に幅が狭くなることができる。また、第１左側ガイド部ＧＰＬ１と第１右側ガイド部ＧＰＲ１間の幅、第２左側ガイド部ＧＰＬ２と第２右側ガイド部ＧＰＲ２間の幅、第３左側ガイド部ＧＰＬ３と第３右側ガイド部ＧＰＲ３間の幅の順に幅が狭くなることができる。
【０２４４】
第１左側ガイド部ＧＰＬ１と第１右側ガイド部ＧＰＲ１間の幅は、第２左側ガイド部ＧＰＬ２と第２右側ガイド部ＧＰＲ２間の幅より広いので、第１左側ガイド部ＧＰＬ１及び第１右側ガイド部ＧＰＲ１は、バックカバー２６１０の背面に干渉しないことができる。具体的に、第１左側ガイド部ＧＰＬ１及び第１右側ガイド部ＧＰＲ１を、ローラ１５１に最も先にワインディングできる。次いで、第１左側ガイド部ＧＰＬ１及び第１右側ガイド部ＧＰＲ１がローラ１５１にワインディングされた状態で、第２左側ガイド部ＧＰＬ２及び第２右側ガイド部ＧＰＲ２を、第１左側ガイド部ＧＰＬ１及び第１右側ガイド部ＧＰＲ１上にワインディングできる。この時、第１左側ガイド部ＧＰＬ１と第１右側ガイド部ＧＰＲ１間の幅が第２左側ガイド部ＧＰＬ２と第２右側ガイド部ＧＰＲ２間の幅より広いので、第２左側ガイド部ＧＰＬ２及び第２右側ガイド部ＧＰＲ２は、第１左側ガイド部ＧＰＬ１及び第１右側ガイド部ＧＰＲ１と重畳しないことができる。そして、第２左側ガイド部ＧＰＬ２及び第２右側ガイド部ＧＰＲ２を、第１左側ガイド部ＧＰＬ１と第１右側ガイド部ＧＰＲ１間のバックカバー２６１０の下端部分に重畳して配置できる。従って、第１左側ガイド部ＧＰＬ１と第１右側ガイド部ＧＰＲ１は、バックカバー２６１０の中央部分の第２左側ガイド部ＧＰＬ２と第２右側ガイド部ＧＰＲ２の外側に配置され、バックカバー２６１０の中央部分の背面に干渉しないようにできる。
【０２４５】
第２左側ガイド部ＧＰＬ２と第２右側ガイド部ＧＰＲ２間の幅は、第３左側ガイド部ＧＰＬ３と第３右側ガイド部ＧＰＲ３間の幅より広いので、第２左側ガイド部ＧＰＬ２及び第２右側ガイド部ＧＰＲ２は、バックカバー２６１０の背面に干渉しないことができる。具体的に、第２左側ガイド部ＧＰＬ２及び第２右側ガイド部ＧＰＲ２がローラ１５１にワインディングされた状態で、第３左側ガイド部ＧＰＬ３及び第３右側ガイド部ＧＰＲ３は、第２左側ガイド部ＧＰＬ２及び第２右側ガイド部ＧＰＲ２上にワインディングされることができる。この時、第２左側ガイド部ＧＰＬ２と第２右側ガイド部ＧＰＲ２間の幅が第３左側ガイド部ＧＰＬ３と第３右側ガイド部ＧＰＲ３間の幅より広いので、第３左側ガイド部ＧＰＬ３及び第３右側ガイド部ＧＰＲ３は、第２左側ガイド部ＧＰＬ２及び第２右側ガイド部ＧＰＲ２と重畳しないことができる。そして、第３左側ガイド部ＧＰＬ３及び第３右側ガイド部ＧＰＲ３は、第２左側ガイド部ＧＰＬ２と第２右側ガイド部ＧＰＲ２間のバックカバー２６１０の中央部分に重畳して配置されることができる。従って、第２左側ガイド部ＧＰＬ２と第２右側ガイド部ＧＰＲ２は、バックカバー２６１０の上端部分の第３左側ガイド部ＧＰＬ３と第３右側ガイド部ＧＰＲ３の外側に配置され、バックカバー２６１０の上端部分の背面に干渉しないことができる。
【０２４６】
一方、第２左側ガイド部ＧＰＬ２及び第２右側ガイド部ＧＰＲ２の長さは、第１左側ガイド部ＧＰＬ１及び第１右側ガイド部ＧＰＲ１の長さより長いことができる。また、第３左側ガイド部ＧＰＬ３及び第３右側ガイド部ＧＰＲ３の長さは、第２左側ガイド部ＧＰＬ２及び第２右側ガイド部ＧＰＲ２の長さより長いことができる。
【０２４７】
この時、第１左側ガイド部ＧＰＬ１及び第１右側ガイド部ＧＰＲ１、第２左側ガイド部ＧＰＬ２及び第２右側ガイド部ＧＰＲ２、第３左側ガイド部ＧＰＬ３及び第３右側ガイド部ＧＰＲ３の長さは、ローラ１５１に一回りワインディングされるバックカバー２６１０の長さに基づいて決まることができる。具体的に、ローラ１５１にバックカバー２６１０がワインディングされるほど、バックカバー２６１０及び表示パネル１２０の厚さによって一回りワインディングされるために必要なバックカバー２６１０の長さは次第に増加することができる。
【０２４８】
例えば、第１左側ガイド部ＧＰＬ１及び第１右側ガイド部ＧＰＲ１は、ローラ１５１にバックカバー２６１０が一回りワインディングされた長さと同一であることができる。この時、バックカバー２６１０がワインディングされるローラ１５１の半径によるローラ１５１の周りと第１左側ガイド部ＧＰＬ１及び第１右側ガイド部ＧＰＲ１の長さが対応することができる。即ち、第１左側ガイド部ＧＰＬ１及び第１右側ガイド部ＧＰＲ１の長さは、ローラ１５１にバックカバー２６１０が一回りワインディングされる長さを基準として設計することができる。
【０２４９】
第２左側ガイド部ＧＰＬ２及び第２右側ガイド部ＧＰＲ２は、ローラ１５１にバックカバー２６１０が二回り目にワインディングされた長さと同一であることができる。この時、ローラ１５１に第１左側ガイド部ＧＰＬ１及び第１右側ガイド部ＧＰＲ１が含まれたバックカバー２６１０の下端部分がワインディングされた状態であるので、第２左側ガイド部ＧＰＬ２及び第２右側ガイド部ＧＰＲ２の長さは、バックカバー２６１０の下端部分で囲まれたローラ１５１の周りに対応することができる。従って、第２左側ガイド部ＧＰＬ２及び第２右側ガイド部ＧＰＲ２の長さは、第１左側ガイド部ＧＰＬ１及び第１右側ガイド部ＧＰＲ１の長さより長くなることができる。即ち、第２左側ガイド部ＧＰＬ２及び第２右側ガイド部ＧＰＲ２の長さは、ローラ１５１にバックカバー２６１０が一回りワインディングされる長さを基準として設計することができる。
【０２５０】
第３左側ガイド部ＧＰＬ３及び第３右側ガイド部ＧＰＲ３は、ローラ１５１にバックカバー２６１０が三回り目ワインディングされた長さと同一であることができる。ローラ１５１には、バックカバー２６１０の下端部分及び中央部分がワインディングされた状態であるので、第３左側ガイド部ＧＰＬ３及び第３右側ガイド部ＧＰＲ３の長さは、バックカバー２６１０の下端部分及び中央部分で囲まれたローラ１５１の周りに対応することができる。従って、第３左側ガイド部ＧＰＬ３及び第３右側ガイド部ＧＰＲ３の長さは、第２左側ガイド部ＧＰＬ２及び第２右側ガイド部ＧＰＲ２の長さより長くなることができる。即ち、第３左側ガイド部ＧＰＬ３及び第３右側ガイド部ＧＰＲ３の長さは、ローラ１５１にバックカバー２６１０が一回りワインディングされる長さを基準として設計することができる。
【０２５１】
但し、図２６では、ローラ１５１にバックカバー２６１０が三回りワインディングされることを基準として、バックカバー２６１０の下端部分、中央部分及び上端部分の三つの部分に分けられると図示したが、バックカバー２６１０がローラ１５１にワインディングされる回数によってバックカバー２６１０を複数の領域に区分することができ、これに制限されない。
【０２５２】
本発明のまた他の実施例による表示装置では、バックカバー２６１０の左側エッジ及び右側エッジを階段状に形成することで、バックカバー２６１０の正面に突き出した左側ガイド部及び右側ガイド部が互いに干渉せずローラ１５１にワインディングされることができる。具体的に、ローラ１５１に最も先に第１左側ガイド部ＧＰＬ１と第１右側ガイド部ＧＰＲ１が一回りワインディングされ、次いで、第２左側ガイド部ＧＰＬ２及び第２右側ガイド部ＧＰＲ２が二回り目ワインディングされることができる。そして、第１左側ガイド部ＧＰＬ１と第１右側ガイド部ＧＰＲ１間の幅が第２左側ガイド部ＧＰＬ２と第２右側ガイド部ＧＰＲ２間の幅より広いことができる。従って、第１左側ガイド部ＧＰＬ１及び第１右側ガイド部ＧＰＲ１は、第２左側ガイド部ＧＰＬ２及び第２右側ガイド部ＧＰＲ２とそれぞれ重畳しないことができる。次に、第２左側ガイド部ＧＰＬ２及び第２右側ガイド部ＧＰＲ２がワインディングされた状態で、第３左側ガイド部ＧＰＬ３と第３右側ガイド部ＧＰＲ３が三回り目ワインディングされることができる。そして、第２左側ガイド部ＧＰＬ２と第２右側ガイド部ＧＰＲ２間の幅が第３左側ガイド部ＧＰＬ３と第３右側ガイド部ＧＰＲ３間の幅より広いことができる。従って、第２左側ガイド部ＧＰＬ２及び第２右側ガイド部ＧＰＲ２は、第３左側ガイド部ＧＰＬ３及び第３右側ガイド部ＧＰＲ３とそれぞれ重畳しないことができる。従って、本発明のまた他の実施例による表示装置では、バックカバー２６１０を階段状に形成して、バックカバー２６１０の背面と左側ガイド部ＧＰＬ及び右側ガイド部ＧＰＲが互いに干渉しないことができる。
【０２５３】
本発明のまた他の実施例による表示装置では、バックカバー２６１０がローラ１５１に一回りワインディングされる長さを基準としてバックカバー２６１０の左側エッジ及び右側エッジを階段状に形成することで、バックカバー２６１０の正面に突き出した左側ガイド部ＧＰＬ及び右側ガイド部ＧＰＲがバックカバー２６１０のワインディング及びアンワインディングをガイドすることができる。例えば、ローラ１５１が１回転した時、バックカバー２６１０の第１左側ガイド部ＧＰＬ１及び第１右側ガイド部ＧＰＲ１がローラ１５１にワインディングされることができる。ローラ１５１が２回転した時、バックカバー２６１０の第２左側ガイド部ＧＰＬ２及び第２右側ガイド部ＧＰＲ２が第１左側ガイド部ＧＰＬ１及び第１右側ガイド部ＧＰＲ１上にワインディングされることができる。この時、第１左側ガイド部ＧＰＬ１と第１右側ガイド部ＧＰＲ１間の幅は、第２左側ガイド部ＧＰＬ２と第２右側ガイド部ＧＰＲ２間の幅より広いので、第２左側ガイド部ＧＰＬ２及び第２右側ガイド部ＧＰＲ２は、第１左側ガイド部ＧＰＬ１と第１右側ガイド部ＧＰＲ１の間に配置されることができる。ローラ１５１が３回転した時、バックカバー２６１０の第３左側ガイド部ＧＰＬ３及び第３右側ガイド部ＧＰＲ３が第２左側ガイド部ＧＰＬ２及び第２右側ガイド部ＧＰＲ２上にワインディングされることができる。そして、第２左側ガイド部ＧＰＬ２と第２右側ガイド部ＧＰＲ２間の幅は、第３左側ガイド部ＧＰＬ３と第３右側ガイド部ＧＰＲ３間の幅より広いので、第３左側ガイド部ＧＰＬ３及び第３右側ガイド部ＧＰＲ３は、第２左側ガイド部ＧＰＬ２と第２右側ガイド部ＧＰＲ２の間に配置されることができる。この時、第１左側ガイド部ＧＰＬ１及び第１右側ガイド部ＧＰＲ１は、第２左側ガイド部ＧＰＬ２及び第２右側ガイド部ＧＰＲ２の下面より突き出して、第２左側ガイド部ＧＰＬ２及び第２右側ガイド部ＧＰＲ２が第１左側ガイド部ＧＰＬ１及び第１右側ガイド部ＧＰＲ１の間のみに配置されるようにガイドすることができる。同様に、第２左側ガイド部ＧＰＬ２及び第２右側ガイド部ＧＰＲ２は、第３左側ガイド部ＧＰＬ３及び第３右側ガイド部ＧＰＲ３の下面より突き出して、第３左側ガイド部ＧＰＬ３及び第３右側ガイド部ＧＰＲ３が第２左側ガイド部ＧＰＬ２及び第２右側ガイド部ＧＰＲ２の間のみに配置されるようにガイドすることができる。従って、本発明のまた他の実施例による表示装置は、バックカバー２６１０の正面に突き出した左側ガイド部ＧＰＬ及び右側ガイド部ＧＰＲがバックカバー２６１０がローラ１５１にワインディングまたはアンワインディングされることをガイドすることができる。
本発明の実施例による表示装置は、以下のように説明することができる。
【０２５４】
本発明の一実施例による表示装置は、表示パネルと、表示パネルの一面に付着し、複数の開口部が配置されたバックカバーとを含み、複数の開口部は、表示パネルに重畳し、複数の開口部のそれぞれは、隣り合う行の開口部に対して交互に配置される。
【０２５５】
本発明の他の特徴によると、表示装置は、バックカバー及び表示パネルを収納するハウジング部と、バックカバー及び表示パネルをハウジング部の外部またはハウジング部の内部に移動させる駆動部とをさらに含み、駆動部は、バックカバー及び表示パネルをワインディング（ｗｉｎｄｉｎｇ）またはアンワインディング（ｕｎｗｉｎｄｉｎｇ）させるローラ部と、ローラ部と同期化して、バックカバー及び表示パネルを上下方向に移動させる昇降部とを含むことができる。
【０２５６】
本発明のまた他の特徴によると、バックカバーは、バックカバー上側の第１支持領域と、バックカバー下側でローラ部と締結する第２支持領域と、第１支持領域と第２支持領域との間の延性領域とを含み、複数の開口部は、延性領域に配置されることができる。
【０２５７】
本発明のまた他の特徴によると、延性領域は、第１支持領域からバックカバーの下側に延長した第１延性領域と、第２支持領域からバックカバーの上側に延長した第３延性領域と、第１延性領域と第３延性領域との間の第２延性領域を含み、バックカバーは、第１延性領域と第２延性領域との間の第３支持領域と、第２延性領域と第３延性領域との間の第４支持領域とをさらに含むことができる。
【０２５８】
本発明のまた他の特徴によると、表示装置は、表示パネルの一端に配置されたフレキシブルフィルムと、フレキシブルフィルムと連結された印刷回路基板とをさらに含み、表示パネルは、第３支持領域及び第２延性領域に配置され、フレキシブルフィルム及び印刷回路基板は、第４支持領域に重畳することができる。
【０２５９】
本発明のまた他の特徴によると、バックカバー及び表示パネルがローラ部にフルワインディング（ｆｕｌｌ  ｗｉｎｄｉｎｇ）された状態で、第３支持領域は平坦にできる。
【０２６０】
本発明のまた他の特徴によると、第１支持領域には、第１支持領域と昇降部を締結するための第１締結孔が配置され、第２支持領域には、第２支持領域とローラ部を締結するための第２締結孔が配置され、第１締結孔及び第２締結孔のそれぞれの形状は、複数の開口部と異なることができる。
【０２６１】
本発明のまた他の特徴によると、昇降部は、第１支持領域の第１締結孔に締結されるヘッドバーをさらに含み、第１締結孔とヘッドバーの締結時に、第１締結孔に集中される応力は第１延性領域で緩和されることができる。
【０２６２】
本発明のまた他の特徴によると、昇降部は、第１支持領域の第１締結孔に締結され、「逆Ｌ」の字状にベンディングされるヘッドバーをさらに含み、第１延性領域は、ヘッドバーと同一形状でベンディングされることができる。
【０２６３】
本発明のまた他の特徴によると、延性領域は、複数の開口部の長さ方向に延長し、互いに離隔して配置された複数の補強領域をさらに含み、複数の開口部は、延性領域のうち複数の補強領域を除いた領域に配置されることができる。
【０２６４】
本発明のまた他の特徴によると、複数の開口部の幅方向に対する複数の補強領域のそれぞれの最大幅は、バックカバーの厚さ、バックカバーと表示パネルとの間に配置された接着層の厚さ及び圧縮率、ローラ部のローラの半径に基づいて決められることができる。
本発明のまた他の特徴によると、バックカバーは、複数の補強領域で表示パネルと対向する面の反対面に位置する複数の突出部をさらに含むことができる。
本発明のまた他の特徴によると、複数の突出部は、長方形状、正弦波状またはジグザグ状の少なくともいずれか一つであることができる。
本発明のまた他の特徴によると、複数の突出部の最上部と最下部間の距離は、複数の補強領域の最大幅と同一であるか小さいことができる。
【０２６５】
本発明のまた他の特徴によると、延性領域は、複数の開口部の幅方向に延長し、延性領域のエッジに定義されたエッジ補強領域をさらに含み、エッジ補強領域における開口部の幅は、延性領域のうちエッジ補強領域を除いた領域における開口部の幅より小さいことができる。
本発明のまた他の特徴によると、複数の開口部は、長方形状、楕円状、リボン状、ダンベル状または菱形状の少なくともいずれか一つであることができる。
【０２６６】
本発明の他の実施例による表示装置は、表示パネルと、表示パネルを支持し、複数の開口部が配置されたバックカバーと、表示パネル及びバックカバーを収納するように構成されたハウジング部と、表示パネル及びバックカバーを列方向にワインディングまたはアンワインディングするように構成されたローラ部とを含み、複数の開口部の列方向に対する幅は、複数の開口部の行方向に対する幅より小さい。
本発明の他の特徴によると、複数の開口部の境界面は、行方向と異なる方向に延長することができる。
本発明のまた他の特徴によると、複数の開口部の境界面は、曲面で構成されることができる。
【０２６７】
本発明のまた他の特徴によると、表示装置は、ローラ部と同期化して表示パネル及びバックカバーをハウジング部の内部または外部に移動させるように構成された昇降部をさらに含み、バックカバーは、昇降部と締結するバックカバー一端の第１支持領域と、ローラ部と締結するバックカバー他端の第２支持領域と、第１支持領域から第２支持領域側に延長した第１延性領域と、第１延性領域から第２支持領域側に延長した第３支持領域と、第３支持領域から第２支持領域側に延長した第２延性領域と、第２延性領域から第２支持領域側に延長した第４支持領域、第４支持領域と第２支持領域との間の第３延性領域とを含み、複数の開口部は、第１延性領域、第２延性領域及び第３延性領域に配置されることができる。
【０２６８】
本発明のまた他の特徴によると、表示装置は、表示パネルと電気的に連結され、第４支持領域に重畳するフレキシブルフィルム及び印刷回路基板をさらに含み、表示パネルは、第３支持領域及び第２延性領域に重畳することができる。
【０２６９】
本発明のまた他の特徴によると、ローラ部からバックカバーがフルアンワインディング（ｆｕｌｌ  ｕｎｗｉｎｄｉｎｇ）された状態で、第１支持領域、第１延性領域、第３支持領域及び第２延性領域は、ハウジング部の外部に配置され、第４支持領域、第３延性領域及び第２支持領域は、ハウジング部の内部に配置されることができる。
【０２７０】
本発明のまた他の特徴によると、第２延性領域は、行方向に延長し、互いに離隔して配置された複数の補強領域をさらに含み、複数の開口部は、第２延性領域で複数の補強領域を除いた領域に配置されることができる。
本発明のまた他の特徴によると、列方向に対する複数の補強領域の幅は、列方向に対する複数の補強領域間の距離より小さいことができる。
【０２７１】
本発明のまた他の特徴によると、バックカバーは、複数の補強領域のそれぞれの一面から突き出した複数の突出部をさらに含み、表示パネルは、一面の反対面に配置されることができる。
本発明のまた他の特徴によると、複数の突出部は、複数の補強領域に一体化するように構成されることができる。
【０２７２】
本発明の一実施例によるローラブル表示装置は、フレキシブル表示パネルと、フレキシブル表示パネルの面積より大きく、フレキシブル表示パネルの一面に付着し剛性を持つ金属またはプラスチック物質で形成されるバックカバーとを含み、バックカバーは、第１支持領域、第２支持領域、及び第１支持領域と第２支持領域との間に配置され、複数の開口部が配置される延性領域を含み、フレキシブル表示パネルは、前記延性領域に配置される。
【０２７３】
本発明の他の特徴によると、ローラブル表示装置は、フレキシブル表示パネル及びバックカバーをワインディング（ｗｉｎｄｉｎｇ）またはアンワインディングさせるローラ部と、ローラ部と同期化して、フレキシブル表示パネル及びバックカバーを上下方向に移動させる昇降部とをさらに含むことができる。
【０２７４】
本発明のまた他の特徴によると、バックカバーは、第１支持領域と延性領域との間に配置される第１延性領域と、第２支持領域と延性領域との間に配置される第３延性領域と、第１延性領域と延性領域との間に配置される第３支持領域と、第３延性領域と延性領域との間に配置される第４支持領域とをさらに含み、複数の開口部は、第１延性領域及び第３延性領域にさらに配置されることができる。
【０２７５】
本発明のまた他の特徴によると、ローラブル表示装置は、フレキシブル表示パネルの一端に配置されたフレキシブルフィルムと、フレキシブルフィルムと連結された印刷回路基板とをさらに含み、フレキシブル表示パネルは、第３支持領域及び延性領域に配置され、フレキシブルフィルム及び印刷回路基板は、第４支持領域に配置されることができる。
本発明のまた他の特徴によると、第１支持領域には、第１支持領域と昇降部を締結するための第１締結孔が配置されることができる。
本発明のまた他の特徴によると、第２支持領域には、第２支持領域とローラ部を締結するための第２締結孔が配置されることができる。
【０２７６】
本発明のまた他の特徴によると、延性領域は、複数の開口部の長さ方向に延長し、互いに離隔して配置された複数の補強領域をさらに含み、複数の開口部は、延性領域のうち複数の補強領域を除いた領域に配置されることができる。
【０２７７】
本発明のまた他の特徴によると、バックカバーは、複数の補強領域でフレキシブル表示パネルと対向する面の反対面に位置する複数の突出部をさらに含むことができる。
本発明のまた他の特徴によると、複数の開口部の列方向に対する幅は、複数の開口部の行方向に対する幅より小さいことができる。
【０２７８】
本発明のまた他の特徴によると、延性領域は、複数の開口部の幅方向に延長し、延性領域のエッジに定義されたエッジ補強領域をさらに含み、エッジ補強領域における開口部の幅は、延性領域のうちエッジ補強領域を除いた領域における開口部の幅より小さいことができる。
【０２７９】
以上、添付の図面を参照して本発明の実施例をさらに詳しく説明したが、本発明は、必ずしもこのような実施例に限られるものではなく、本発明の技術思想を逸脱しない範囲内で多様に変形実施されることができる。従って、本発明に開示された実施例は、本発明の技術思想を制限するためではなく説明するためのもので、このような実施例によって本発明の技術思想の範囲が制限されるものではない。従って、以上で記述した実施例は全ての面で例示的であり、制限的ではないと理解すべきである。本発明の保護範囲は、下記の請求の範囲によって解釈されなければならず、それと同等な範囲内にある全ての技術思想は、本発明の権利範囲に含まれると解釈されなければならない。
【図１ａ】
2020003794.tif 000006
【図１ｂ】
2020003794.tif 000007
【図２】
2020003794.tif 000008
【図３】
2020003794.tif 000009
【図４】
2020003794.tif 000010
【図５】
2020003794.tif 000011
【図６】
2020003794.tif 000012
【図７ａ】
2020003794.tif 000013
【図７ｂ】
2020003794.tif 000014
【図８ａ】
2020003794.tif 000015
【図８ｂ】
2020003794.tif 000016
【図９ａ】
2020003794.tif 000017
【図９ｂ】
2020003794.tif 000018
【図９ｃ】
2020003794.tif 000019
【図１０】
2020003794.tif 000020
【図１１ａ】
2020003794.tif 000021
【図１１ｂ】
2020003794.tif 000022
【図１１ｃ】
2020003794.tif 000023
【図１２】
2020003794.tif 000024
【図１３】
2020003794.tif 000025
【図１４】
2020003794.tif 000026
【図１５ａ】
2020003794.tif 000027
【図１５ｂ】
2020003794.tif 000028
【図１６】
2020003794.tif 000029
【図１７】
2020003794.tif 000030
【図１８】
2020003794.tif 000031
【図１９】
2020003794.tif 000032
【図２０】
2020003794.tif 000033
【図２１】
2020003794.tif 000034
【図２２】
2020003794.tif 000035
【図２３】
2020003794.tif 000036
【図２４】
2020003794.tif 000037
【図２５】
2020003794.tif 000038
【図２６】
2020003794.tif 000039
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
複数の表示素子が配置される表示領域及び前記複数の表示素子を駆動する配線が配置される非表示領域を含む表示パネルと、
前記表示パネルの一面に取り付けられ、複数の開口部が配置されたバックカバーと、
前記バックカバー及び前記表示パネルをワインディング（ｗｉｎｄｉｎｇ）またはアンワインディング（ｕｎｗｉｎｄｉｎｇ）させるローラ部と、
前記ローラ部と同期化して、前記バックカバー及び前記表示パネルを上下方向に移動させる昇降部とを含み、
前記複数の開口部は、前記表示パネルに重畳し、
前記複数の開口部のそれぞれは、隣り合う行の開口部に対して互いに交互に配置され、
前記バックカバーの大きさは前記表示パネルの大きさよりも大きく、
前記表示パネルの複数のエッジのそれぞれと対応する前記バックカバーの複数のエッジのそれぞれは、前記表示パネルの前記複数のエッジのそれぞれの外側に突出する、表示装置。
【請求項２】
前記バックカバー及び前記表示パネルを収納するハウジング部をさらに含む、請求項１に記載の表示装置。
【請求項３】
前記バックカバーは、
前記バックカバーの上側の第１支持領域と、
前記バックカバーの下側で前記ローラ部と締結する第２支持領域と、
前記第１支持領域と前記第２支持領域との間の延性領域とを含み、
前記複数の開口部は、前記延性領域に配置される、請求項２に記載の表示装置。
【請求項４】
前記延性領域は、
前記第１支持領域から前記バックカバーの下側に延長した第１延性領域と、
前記第２支持領域から前記バックカバーの上側に延長した第３延性領域と、
前記第１延性領域と前記第３延性領域との間の第２延性領域とを含み、
前記バックカバーは、
前記第１延性領域と前記第２延性領域との間の第３支持領域と、
前記第２延性領域と前記第３延性領域との間の第４支持領域とをさらに含む、請求項３に記載の表示装置。
【請求項５】
前記表示パネルの一端に配置されたフレキシブルフィルムと、
前記フレキシブルフィルムと連結された印刷回路基板とをさらに含み、
前記表示パネルは、前記第３支持領域及び前記第２延性領域に配置され、
前記フレキシブルフィルム及び前記印刷回路基板は、前記第４支持領域に重畳する、請求項４に記載の表示装置。
【請求項６】
前記バックカバー及び前記表示パネルが前記ローラ部にフルワインディング（ｆｕｌｌ  ｗｉｎｄｉｎｇ）された状態で、前記第３支持領域が平坦である、請求項５に記載の表示装置。
【請求項７】
前記第１支持領域には、前記第１支持領域と前記昇降部を締結するための第１締結孔が配置され、
前記第２支持領域には、前記第２支持領域と前記ローラ部を締結するための第２締結孔が配置され、
前記第１締結孔及び前記第２締結孔のそれぞれの形状は、前記複数の開口部と異なる、請求項４に記載の表示装置。
【請求項８】
前記昇降部は、前記第１支持領域の前記第１締結孔に締結されるヘッドバーをさらに含み、
前記第１締結孔と前記ヘッドバーの締結時に、前記第１締結孔に集中される応力は前記第１延性領域で緩和される、請求項７に記載の表示装置。
【請求項９】
前記昇降部は、前記第１支持領域の前記第１締結孔に締結され、「逆Ｌ」の字状にベンディングされるヘッドバーをさらに含み、
前記第１延性領域は、前記ヘッドバーと同一形状でベンディングされる、請求項７に記載の表示装置。
【請求項１０】
前記延性領域は、前記複数の開口部の長さ方向に延長し、互いに離隔して配置された複数の補強領域をさらに含み、
前記複数の開口部は、前記延性領域のうち前記複数の補強領域を除いた領域に配置された、請求項３に記載の表示装置。
【請求項１１】
前記複数の開口部の幅方向に対する前記複数の補強領域のそれぞれの最大幅ＭＷは、［数式１］によって決められる、請求項１０に記載の表示装置。
【数１】
2020003794.tif 000040
前記ｔ１は前記バックカバーの厚さであり、前記ｔ２は前記バックカバーと前記表示パネルとの間に配置された接着層の厚さであり、前記ａは前記接着層の圧縮率であり、前記Ｒは前記ローラ部のローラの半径である。
【請求項１２】
前記バックカバーは、前記複数の補強領域で前記表示パネルと対向する面の反対面に位置する複数の突出部をさらに含む、請求項１０に記載の表示装置。
【請求項１３】
前記複数の突出部は、長方形状、正弦波状またはジグザグ状の少なくともいずれか一つである、請求項１２に記載の表示装置。
【請求項１４】
前記複数の突出部の最上部と最下部間の距離は、前記複数の補強領域の最大幅と同一であるか小さい、請求項１３に記載の表示装置。
【請求項１５】
前記延性領域は、前記複数の開口部の幅方向に延長し、前記延性領域のエッジに定義されたエッジ補強領域をさらに含み、
前記エッジ補強領域における前記開口部の幅は、前記延性領域のうち前記エッジ補強領域を除いた領域における前記開口部の幅より小さい、請求項１３に記載の表示装置。
【請求項１６】
前記複数の開口部は、長方形状、楕円状、リボン状、ダンベル状または菱形状の少なくともいずれか一つである、請求項１に記載の表示装置。
【請求項１７】
複数の表示素子が配置される表示領域及び前記複数の表示素子を駆動する配線が配置される非表示領域を含む表示パネルと、
前記表示パネルを支持し、複数の開口部が配置されたバックカバーと、
前記表示パネル及び前記バックカバーを収納するように構成されたハウジング部と、
前記表示パネル及び前記バックカバーを列方向にワインディングまたはアンワインディングするように構成されたローラ部と、
前記表示パネル及び前記バックカバーを前記ハウジング部の内部または外部に移動させるように構成された昇降部とを含み、
前記複数の開口部の前記列方向に対する幅は、前記複数の開口部の行方向に対する幅より小さく、
前記バックカバーの大きさは前記表示パネルの大きさよりも大きく、
前記表示パネルの複数のエッジのそれぞれと対応する前記バックカバーの複数のエッジのそれぞれは、前記表示パネルの前記複数のエッジのそれぞれの外側に突出する表示装置。
【請求項１８】
前記複数の開口部の境界面は、前記行方向と異なる方向に延長する、請求項１７に記載の表示装置。
【請求項１９】
前記複数の開口部の境界面は、曲面で構成される、請求項１７に記載の表示装置。
【請求項２０】
前記バックカバーは、
前記昇降部と締結する前記バックカバー一端の第１支持領域と、
前記ローラ部と締結する前記バックカバー他端の第２支持領域と、
前記第１支持領域から前記第２支持領域側に延長した第１延性領域と、
前記第１延性領域から前記第２支持領域側に延長した第３支持領域と、
前記第３支持領域から前記第２支持領域側に延長した第２延性領域と、
前記第２延性領域から前記第２支持領域側に延長した第４支持領域と、
前記第４支持領域と前記第２支持領域との間の第３延性領域とを含み、
前記複数の開口部は、前記第１延性領域、前記第２延性領域及び前記第３延性領域に配置される、請求項１７に記載の表示装置。
【請求項２１】
前記表示パネルと電気的に連結され、前記第４支持領域に重畳するフレキシブルフィルム及び印刷回路基板をさらに含み、
前記表示パネルは、前記第３支持領域及び前記第２延性領域に重畳する、請求項２０に記載の表示装置。
【請求項２２】
前記ローラ部から前記バックカバーがフルアンワインディング（ｆｕｌｌ  ｕｎｗｉｎｄｉｎｇ）された状態で、
前記第１支持領域、前記第１延性領域、前記第３支持領域及び前記第２延性領域は、前記ハウジング部の外部に配置され、
前記第４支持領域、前記第３延性領域及び前記第２支持領域は、前記ハウジング部の内部に配置される、請求項２０に記載の表示装置。
【請求項２３】
前記第２延性領域は、前記行方向に延長し、互いに離隔して配置された複数の補強領域をさらに含み、
前記複数の開口部は、前記第２延性領域で前記複数の補強領域を除いた領域に配置される、請求項２０に記載の表示装置。
【請求項２４】
前記列方向に対する前記複数の補強領域の幅は、前記列方向に対する前記複数の補強領域間の距離より小さい、請求項２３に記載の表示装置。
【請求項２５】
前記バックカバーは、前記複数の補強領域のそれぞれの一面から突き出した複数の突出部をさらに含み、
前記表示パネルは、前記一面の反対面に配置される、請求項２３に記載の表示装置。
【請求項２６】
前記複数の突出部は、前記複数の補強領域に一体化するように構成された、請求項２５に記載の表示装置。
【請求項２７】
複数の表示素子が配置される表示領域及び前記複数の表示素子を駆動する配線が配置される非表示領域を含むフレキシブル表示パネルと、
前記フレキシブル表示パネルより大きく、前記フレキシブル表示パネルの一面に取り付けられるバックカバーと、
前記バックカバー及び前記フレキシブル表示パネルをワインディング（ｗｉｎｄｉｎｇ）またはアンワインディング（ｕｎｗｉｎｄｉｎｇ）させるローラ部と、
前記ローラ部と同期化して、前記バックカバー及び前記フレキシブル表示パネルを上下方向に移動させる昇降部とを含み、
前記バックカバーは、第１支持領域、第２支持領域、及び前記第１支持領域と第２支持領域との間に配置され、複数の開口部が配置される延性領域を含み、
前記フレキシブル表示パネルは、前記延性領域に配置され、
前記バックカバーの複数のエッジのそれぞれは、前記フレキシブル表示パネルの前記複数のエッジのそれぞれの外側に突出する、ローラブル表示装置。
【請求項２８】
前記バックカバーは、
前記第１支持領域と前記延性領域との間に配置される第１延性領域と、
前記第２支持領域と前記延性領域との間に配置される第３延性領域と
前記第１延性領域と前記延性領域との間に配置される第３支持領域と、
前記第３延性領域と前記延性領域との間に配置される第４支持領域とをさらに含み、
前記複数の開口部は、前記第１延性領域及び前記第３延性領域にさらに配置される、請求項２７に記載のローラブル表示装置。
【請求項２９】
前記フレキシブル表示パネルの一端に配置されたフレキシブルフィルムと、
前記フレキシブルフィルムと連結された印刷回路基板とをさらに含み、
前記フレキシブル表示パネルは、前記第３支持領域及び前記延性領域に配置され、
前記フレキシブルフィルム及び前記印刷回路基板は、前記第４支持領域に配置される、請求項２８に記載のローラブル表示装置。
【請求項３０】
前記第１支持領域には、前記第１支持領域と前記昇降部を締結するための第１締結孔が配置される、請求項２８に記載のローラブル表示装置。
【請求項３１】
前記第２支持領域には、前記第２支持領域と前記ローラ部を締結するための第２締結孔が配置される、請求項２８に記載のローラブル表示装置。
【請求項３２】
前記延性領域は、前記複数の開口部の長さ方向に延長し、互いに離隔して配置された複数の補強領域をさらに含み、
前記複数の開口部は、前記延性領域のうち前記複数の補強領域を除いた領域に配置された、請求項２７に記載のローラブル表示装置。
【請求項３３】
前記バックカバーは、前記複数の補強領域で前記フレキシブル表示パネルと対向する面の反対面に位置する複数の突出部をさらに含む、請求項３２に記載のローラブル表示装置。
【請求項３４】
前記複数の開口部の列方向に対する幅は、前記複数の開口部の行方向に対する幅より小さい、請求項２７に記載のローラブル表示装置。
【請求項３５】
前記延性領域は、前記複数の開口部の幅方向に延長し、前記延性領域のエッジに定義されたエッジ補強領域をさらに含み、
前記エッジ補強領域における前記開口部の幅は、前記延性領域のうち前記エッジ補強領域を除いた領域における前記開口部の幅より小さい、請求項２７に記載のローラブル表示装置。